(57)【要約】  テレビのホワイトスペース送信（ＴＶＷＳ）のためのプリアンブル及びペイロードを有する物理層コンバージェンスプロトコルパケットデータユニット（ＰＰＤＵ）を生成するための方法が提供される。ＰＰＤＵのシンボルは、１２８の総（直交周波数分割多重化）ＯＦＤＭトーン又は２５６の総ＯＦＤＭトーンを各々含む。プリアンブルは、ＰＰＤＵのシンボルが１２８の総ＯＦＤＭトーンを含む場合は１０８のＯＦＤＭデータトーンを有し、ＰＰＤＵのシンボルが２５６の総ＯＦＤＭトーンを含む場合は２３４のＯＦＤＭデータトーンを有する信号（ＳＩＧ）フィールドシンボルを含む。ＳＩＧフィールドシンボルは、ペイロード内のデータ量又はＰＰＤＵがテレビ放送周波数スペクトルを占有する時間の長さのうちの少なくとも１つを示す。ＰＰＤＵは、８０２．１１ａｃ信号をある率だけダウンクロックし、ＰＰＤＵの帯域幅がＴＶＷＳチャネルの使用に適するそれにまで低減させることによって生成される。
2014515570.tif 000002
【特許請求の範囲】
【請求項１】
送信機において動作可能なテレビ放送周波数スペクトルでの無線通信のための方法であって、
プリアンブル及びペイロードを有する物理層コンバージェンスプロトコルパケットデータユニット（ＰＰＤＵ）を生成することであって、前記ＰＰＤＵのシンボルは１２８の総（直交周波数分割多重化）ＯＦＤＭトーン又は２５６の総ＯＦＤＭトーンを各々含み、前記プリアンブルは、
前記ＰＰＤＵの前記シンボルが１２８の総ＯＦＤＭトーンを含む場合は１０８のＯＦＤＭデータトーンを有し、前記ＰＰＤＵの前記シンボルが２５６の総ＯＦＤＭトーンを含む場合は２３４のＯＦＤＭデータトーンを有する信号（ＳＩＧ）フィールドシンボルを含み、前記ＳＩＧフィールドシンボルは、前記ペイロード内のデータ量又は前記ＰＰＤＵが前記テレビ放送周波数スペクトルを占有する時間の長さのうちの少なくとも１つ示すことと、
前記テレビ放送周波数スペクトルで前記ＰＰＤＵを送信することと、を備える、方法。
【請求項２】
前記ＰＰＤＵを生成することは、第２の帯域幅を有する前記ＰＰＤＵを生成するために第１の帯域幅を有する第１の信号をある率だけダウンクロックすることを含み、前記第１の信号は、２つ以上のシンボルを有する第１のショートトレーニングフィールド（ＳＴＦ）を含む第１の信号プリアンブルを有し、前記第１のＳＴＦは、第１のＳＴＦ継続時間を有し、前記プリアンブルは、
第２のＳＴＦ継続時間を有する第２のＳＴＦをさらに含み、前記第２のＳＴＦ継続時間は、前記率が乗じられた前記第１のＳＴＦ継続時間よりも小さい請求項１に記載の方法。
【請求項３】
前記第２のＳＴＦ継続時間は、前記率が乗じられた前記第１のＳＴＦ継続時間の１／２に等しい請求項２に記載の方法。
【請求項４】
前記第２のＳＴＦは、１つのシンボルのみを含む請求項２に記載の方法。
【請求項５】
前記ＰＰＤＵの前記シンボルが１２８の総ＯＦＤＭトーンを各々含む場合は、前記第１の帯域幅は、４０ＭＨｚであり、前記第２の帯域幅は、４ＭＨｚ以上で、８ＭＨｚ以下であり、前記第１のＳＴＦ継続時間は、８μｓｅｃに等しく、前記第２のＳＴＦ継続時間は、２０μｓｅｃ以上で、４０μｓｅｃ以下であり、
前記ＰＰＤＵの前記シンボルが２５６の総ＯＦＤＭトーンを各々含む場合は、前記第１の帯域幅は、８０ＭＨｚであり、前記第２の帯域幅は、４ＭＨｚ以上で、８ＭＨｚ以下であり、前記第１のＳＴＦ継続時間は、８μｓｅｃであり、前記第２のＳＴＦ継続時間は、４０μｓｅｃ以上で、８０μｓｅｃ以下である請求項２に記載の方法。
【請求項６】
前記プリアンブルは、
前記ＰＰＤＵの前記シンボルが１２８の総ＯＦＤＭトーンを各々含む場合は８つ目又は１６ごとのトーンがポピュレートされ、前記ＰＰＤＵの前記シンボルが２５６の総ＯＦＤＭトーンを各々含む場合は１６ごとのトーンがポピュレートされるショートトレーニングフィールド（ＳＴＦ）シンボルをさらに含む請求項１に記載の方法。
【請求項７】
前記プリアンブルは、
前記ＰＰＤＵの前記シンボルが１２８の総ＯＦＤＭトーンを各々含む場合は２μｓｅｃ以上で、４μｓｅｃ以下の繰り返し間隔を有し、前記ＰＰＤＵの前記シンボルが２５６の総ＯＦＤＭトーンを各々含む場合は４μｓｅｃ以上で、８μｓｅｃ以下の繰り返し間隔を有するショートトレーニングフィールド（ＳＴＦ）シンボルをさらに含む請求項１に記載の方法。
【請求項８】
前記ＰＰＤＵを生成することは、第２の帯域幅を有する前記ＰＰＤＵを生成するために第１の帯域幅を有する第１の信号をある率だけダウンクロックすることを含み、前記第１の信号は、少なくとも１つのシンボルを有する第１のＳＩＧフィールドを含む第１の信号プリアンブルを有し、前記第１のＳＩＧフィールドの前記シンボルは、前記第１の信号の２０ＭＨｚサブバンド当たり４８のＯＦＤＭデータトーンに制限される請求項１に記載の方法。
【請求項９】
前記ＰＰＤＵを生成することは、第２の帯域幅を有する前記ＰＰＤＵを生成するために第１の帯域幅を有する第１の信号をある率だけダウンクロックすることを含み、前記第１の信号は、少なくとも１０のシンボルを含む第１の信号プリアンブルを有し、前記ＰＰＤＵの前記プリアンブルは、７つのシンボルを有する請求項１に記載の方法。
【請求項１０】
前記ＰＰＤＵを生成することは、第２の帯域幅を有する前記ＰＰＤＵを生成するために第１の帯域幅を有する第１の信号をある率だけダウンクロックすることを含み、前記第１の信号は、第１の信号プリアンブルを有し、前記第１の信号プリアンブルは、第１の信号プリアンブル継続時間を有し、前記ＰＰＤＵの前記プリアンブルの継続時間は、前記率が乗じられた前記第１の信号プリアンブル継続時間の８２％未満である請求項１に記載の方法。
【請求項１１】
前記ＳＩＧフィールドシンボルは、前記ＰＰＤＵの前記シンボルが１２８の総ＯＦＤＭトーンを各々含む場合は５４ビットのデータ、前記ＰＰＤＵの前記シンボルが２５６の総ＯＦＤＭトーンを各々含む場合は１１７ビットのデータを含む請求項１記載の方法。
【請求項１２】
前記ＳＩＧフィールドシンボルは、前記ペイロードの帯域幅、前記ペイロードの変調及びコーディングレート方式、及び前記ペイロードの空間ストリーム数をさらに備える請求項１に記載の方法。
【請求項１３】
前記ＳＩＧフィールドシンボルは、前記プリアンブル又は前記ペイロードの１つ以上のシンボルがビーム形成されるかどうかをさらに示す請求項１に記載の方法。
【請求項１４】
前記ＳＩＧフィールドシンボルは、前記プリアンブル又は前記ペイロードの１つ以上のシンボルがビーム形成されるかどうかを示すために直交２位相偏移変調（ＱＢＰＳＫ）を用いて変調される請求項１に記載の方法。
【請求項１５】
前記ＳＩＧフィールドシンボルは、前記ペイロードが単一ユーザモード又は多ユーザモードのいずれで送信されるべきかをさらに示し、前記ペイロードが前記多ユーザモードで送信されるべきである場合は、前記ＳＩＧフィールドシンボルは、前記ペイロードの少なくとも１つの意図された受信機を識別するグループ識別子をさらに示し、前記プリアンブルは、
前記ペイロードの変調及びコーディングレート方式を示す信号Ｂ（ＳＩＧ−Ｂ）フィールドシンボルをさらに含む請求項１に記載の方法。
【請求項１６】
前記プリアンブルは、
前記ペイロードの少なくとも１つの意図される受信機を識別するグループ識別子（ＩＤ）、複数のユーザのうちの各ユーザに関する前記ペイロードのための空間ストリーム数、及び／又は前記複数のユーザのうちの各ユーザに関する前記ペイロードのための変調及びコーディングレート方式のうちの少なくとも１つを示すビーム形成信号（ＢＦ−ＳＩＧ）フィールドをさらに含む請求項１の方法。
【請求項１７】
前記ＰＰＤＵの前記帯域幅は、前記ＰＰＤＵの前記シンボルが１２８の総ＯＦＤＭトーンを各々含む場合は５ＭＨｚ以上で、６ＭＨｚ以下であり、前記ＰＰＤＵの前記帯域幅は、前記ＰＰＤＵの前記シンボルが２５６の総ＯＦＤＭトーンを各々含む場合は８ＭＨｚである請求項１に記載の方法。
【請求項１８】
前記テレビ放送周波数スペクトルは、１ＧＨｚ未満である請求項１に記載の方法。
【請求項１９】
１２８の総ＯＦＤＭトーンを含む前記ＰＰＤＵの前記シンボルを生成するために４０ＭＨｚ帯域幅信号を５以上、１０以下の率だけダウンクロックすることと、
２５６の総ＯＦＤＭトーンを含む前記ＰＰＤＵの前記シンボルを生成するために８０ＭＨｚ帯域幅信号を１０以上、２０以下の率だけダウンクロックすることと、をさらに備える１に記載の方法。
【請求項２０】
前記４０ＭＨｚ及び８０ＭＨｚ帯域幅を米国電気電子学会（ＩＥＥＥ）の８０２．１１ａｃ規格に準拠して定義される請求項１９に記載の方法。
【請求項２１】
前記プリアンブルの各シンボルは、前記ＰＰＤＵの前記シンボルが１２８の総ＯＦＤＭトーンを各々含む場合は４μｓｅｃ以上、８μｓｅｃ以下で、前記ＰＰＤＵの前記シンボルが２５６の総ＯＦＤＭトーンを各々含む場合は８μｓｅｃ以上、１６μｓｅｃ以下のサイクリックプリフィックス継続時間を有する請求項１に記載の方法。
【請求項２２】
前記ＰＰＤＵの各プリアンブルシンボルの、サイクリックプリフィックス継続時間を含むシンボル継続時間は、前記ＰＰＤＵの前記シンボルが１２８の総ＯＦＤＭトーンを各々含む場合は２０μｓｅｃ以上、４０μｓｅｃ以下であり、前記ＰＰＤＵの前記シンボルが２５６の総ＯＦＤＭトーンを各々含む場合は４０μｓｅｃ以上、８０μｓｅｃ以下である請求項１に記載の方法。
【請求項２３】
前記ＰＰＤＵを生成することは、第２の帯域幅を有する前記ＰＰＤＵを生成するために第１の帯域幅を有する第１の信号をある率だけダウンクロックすることを含み、前記第１の信号は、２つレガシーショートトレーニングフィールド（ＳＴＦ）シンボルと、２つのレガシーロングトレーニング（ＬＴＥ）フィールドシンボルと、１つの第１の信号フィールドシンボルと、２つの超高スループット（ＶＨＴ）信号Ａフィールドシンボルと、１つのＶＨＴ  ＳＴＦフィールドシンボルと、少なくとも１つのＶＨＴ  ＬＴＥフィールドシンボルと、１つ第１の信号Ｂフィールドシンボルと、を含み、前記プリアンブルは、
ショートトレーニングフィールド（ＳＴＦ）シンボルと、
２つのロングトレーニングフィールド（ＬＴＥ）シンボルと、
多ユーザ、多入力多出力（ＭＵ−ＭＩＭＯ）モード又は単一ユーザビーム形成（ＳＵ−ＢＦ）モードに関するビーム形成信号（ＢＦ−ＳＩＧ）フィールドシンボルと、
プリコーディングされたショートトレーニング（ＰＣ−ＳＴＦ）フィールドシンボルと、
少なくとも１つのプリコーディングされたロングトレーニング（ＰＣ−ＬＴＦ）フィールドシンボルと、をさらに含む請求項１に記載の方法。
【請求項２４】
テレビ放送周波数スペクトルでの無線通信のために構成された無線送信機装置であって、
プリアンブル及びペイロードを有する物理層コンバージェンスプロトコルパケットデータユニット（ＰＰＤＵ）を生成するように好適化された処理回路であって、前記ＰＰＤＵのシンボルは１２８の総（直交周波数分割多重化）ＯＦＤＭトーン又は２５６の総ＯＦＤＭトーンを各々含み、前記プリアンブルは、
前記ＰＰＤＵの前記シンボルが１２８の総ＯＦＤＭトーンを含む場合は１０８のＯＦＤＭデータトーンを有し、前記ＰＰＤＵの前記シンボルが２５６の総ＯＦＤＭトーンを含む場合は２３４のＯＦＤＭデータトーンを有する信号（ＳＩＧ）フィールドシンボルを含み、前記ＳＩＧフィールドシンボルは、前記ペイロード内のデータ量又は前記ＰＰＤＵが前記テレビ放送周波数スペクトルを占有する時間の長さのうちの少なくとも１つ示す処理回路と、
前記処理回路に通信可能な形で結合され及び前記テレビ放送周波数スペクトルで前記ＰＰＤＵを送信ように好適化された無線送信機と、を備える、無線送信機装置。
【請求項２５】
前記処理回路は、第２の帯域幅を有する前記ＰＰＤＵを生成するために第１の帯域幅を有する第１の信号をある率だけダウンクロックするようにさらに好適化され、前記第１の信号は、２つ以上のシンボルを有する第１のショートトレーニングフィールド（ＳＴＦ）を含む第１の信号プリアンブルを有し、前記第１のＳＴＦは、第１のＳＴＦ継続時間を有し、前記プリアンブルは、
第２のＳＴＦ継続時間を有する第２のＳＴＦをさらに含み、前記第２のＳＴＦ継続時間は、前記率が乗じられた前記第１のＳＴＦ継続時間よりも小さい請求項２４に記載の無線送信機装置。
【請求項２６】
前記プリアンブルは、
前記ＰＰＤＵの前記シンボルが１２８の総ＯＦＤＭトーンを各々含む場合は８つ目又は１６ごとのトーンがポピュレートされ、前記ＰＰＤＵの前記シンボルが２５６の総ＯＦＤＭトーンを各々含む場合は１６ごとのトーンがポピュレートされるショートトレーニングフィールド（ＳＴＦ）をさらに含む請求項２４に記載の無線送信機装置。
【請求項２７】
前記処理回路は、第２の帯域幅を有する前記ＰＰＤＵを生成するために第１の帯域幅を有する第１の信号をある率だけダウンクロックするようにさらに好適化され、前記第１の信号は、少なくとも１０のシンボルを含む第１の信号プリアンブルを有し、前記ＰＰＤＵの前記プリアンブルは、７つのシンボルを有する請求項２４に記載の無線送信機装置。
【請求項２８】
前記処理回路は、第２の帯域幅を有する前記ＰＰＤＵを生成するために第１の帯域幅を有する第１の信号をある率だけダウンクロックするようにさらに好適化され、前記第１の信号は、２つのレガシーショートトレーニングフィールド（ＳＴＦ）シンボルと、２つのレガシーロングトレーニングフィールド（ＬＴＥ）フィールドシンボルと、１つの第１の信号フィールドシンボルと、２つの超高スループット（ＶＨＴ）信号Ａフィールドシンボルと、１つのＶＨＴ  ＳＴＦフィールドシンボルと、少なくとも１つのＶＨＴ  ＬＴＦフィールドシンボルと、１つの第１の信号Ｂフィールドシンボルと、を含む第１の信号プリアンブルを有し、前記プリアンブルは、
ショートトレーニングフィールド（ＳＴＥ）シンボルと、
２つのロングトレーニングフィールド（ＬＴＦ）シンボルと、
多ユーザ、多入力多出力（ＭＵ−ＭＩＭＯ）モード又は単一ユーザビーム形成（ＳＵ−ＢＦ）モードのためのビーム形成信号フィールド（ＢＦ−ＳＩＦＧ）フィールドシンボルと、
プリコーディングされたショートトレーニングフィールド（ＰＣ−ＳＴＦ）フィールドシンボルと、
少なくとも１つのプリコーディングされたロングトレーニング（ＰＣ−ＬＴＦ）フィールドシンボルと、をさらに含む請求項２４に記載の無線送信機装置。
【請求項２９】
テレビ放送周波数スペクトルでの無線通信ために構成された無線送信機装置であって、
プリアンブル及びペイロードを有する物理層コンバージェンスプロトコルパケットデータユニット（ＰＰＤＵ）を生成するための手段であって、前記ＰＰＤＵのシンボルは１２８の総（直交周波数分割多重化）ＯＦＤＭトーン又は２５６の総ＯＦＤＭトーンを各々含み、前記プリアンブルは、
前記ＰＰＤＵの前記シンボルが１２８の総ＯＦＤＭトーンを含む場合は１０８のＯＦＤＭデータトーンを有し、前記ＰＰＤＵの前記シンボルが２５６の総ＯＦＤＭトーンを含む場合は２３４のＯＦＤＭデータトーンを有する信号（ＳＩＧ）フィールドシンボルを含み、前記ＳＩＧフィールドシンボルは、前記ペイロード内のデータ量又は前記ＰＰＤＵが前記テレビ放送周波数スペクトルを占有する時間の長さのうちの少なくとも１つ示す手段と、
前記テレビ放送周波数スペクトルで前記ＰＰＤＵを送信するための手段と、を備える、装置。
【請求項３０】
テレビ放送周波数スペクトルでの無線通信のために１つ以上の命令が格納されている非一時的なコンピュータによって読み取り可能な媒体であって、それらは、
少なくとも１つのプロセッサによって実行されたときに
プリアンブル及びペイロードを有する物理層コンバージェンスプロトコルパケットデータユニット（ＰＰＤＵ）を生成すること、及び
前記テレビ放送周波数スペクトルで前記ＰＰＤＵを送信することをプロセッサに行わせ、前記ＰＰＤＵのシンボルは１２８の総（直交周波数分割多重化）ＯＦＤＭトーン又は２５６の総ＯＦＤＭトーンを各々含み、前記プリアンブルは、
前記ＰＰＤＵの前記シンボルが１２８の総ＯＦＤＭトーンを含む場合は１０８のＯＦＤＭデータトーンを有し、前記ＰＰＤＵの前記シンボルが２５６の総ＯＦＤＭトーンを含む場合は２３４のＯＦＤＭデータトーンを有する信号（ＳＩＧ）フィールドシンボルを含み、前記ＳＩＧフィールドシンボルは、前記ペイロード内のデータ量又は前記ＰＰＤＵが前記テレビ放送周波数スペクトルを占有する時間の長さのうちの少なくとも１つ示す、非一時的なコンピュータによって読み取り可能な媒体。
【請求項３１】
受信機において動作可能なテレビ放送周波数スペクトルでの無線通信のための方法であって、
プリアンブル及びペイロードを有する物理層コンバージェンスプロトコルパケットデータユニット（ＰＰＤＵ）を前記テレビ放送周波数スペクトルで受信することを備え、前記ＰＰＤＵのシンボルは、１２８の総（直交周波数分割多重化）ＯＦＤＭトーン又は２５６の総ＯＦＤＭトーンを各々含み、前記プリアンブルは、
前記ＰＰＤＵの前記シンボルが１２８の総ＯＦＤＭトーンを含む場合は１０８のＯＦＤＭデータトーンを有し、前記ＰＰＤＵの前記シンボルが２５６の総ＯＦＤＭトーンを含む場合は２３４のＯＦＤＭデータトーンを有する信号（ＳＩＧ）フィールドシンボルを含み、前記ＳＩＧフィールドシンボルは、前記ペイロード内のデータ量又は前記ＰＰＤＵが前記テレビ放送周波数スペクトルを占有する時間の長さのうちの少なくとも１つを示す、方法。
【請求項３２】
前記プリアンブルは、
前記ＰＰＤＵの前記シンボルが１２８の総ＯＦＤＭトーンを各々含む場合は８つ目ごとのトーンがポピュレートされ、前記ＰＰＤＵの前記シンボルが２５６の総ＯＦＤＭトーンを各々含む場合は１６ごとのトーンがポピュレートされるショートトレーニングフィールド（ＳＴＦ）シンボルをさらに含む請求項３１に記載の方法。
【請求項３３】
前記プリアンブルは、
前記ＰＰＤＵの前記シンボルが１２８のＯＦＤＭトーンを各々含む場合は２マイクロ秒（μｓ）以上で、４μｓ以下の繰り返し間隔を有し、前記ＰＰＤＵの前記シンボルが２５６のＯＦＤＭトーンを各々含む場合は４マイクロ秒（μｓ）以上で、８μｓ以下の繰り返し間隔を有するショートトレーニングフィールド（ＳＴＦ）シンボルをさらに含む請求項３１に記載の方法。
【請求項３４】
前記ＳＩＧフィールドシンボルは、前記ＰＰＤＵの前記シンボルが１２８の総ＯＦＤＭトーンを各々含む場合は５４ビットのデータを、前記ＰＰＤＵの前記シンボルが２５６の総ＯＦＤＭトーンを各々含む場合は１１７ビットのデータを含む請求項３１に記載の方法。
【請求項３５】
前記ＳＩＧフィールドシンボルは、前記ペイロードの帯域幅、前記ペイロードの変調及びコーディングレート方式、及び前記ペイロードの空間ストリーム数をさらに示す請求項３１に記載の方法。
【請求項３６】
前記ＳＩＧフィールドシンボルは、前記プリアンブル又は前記ペイロードの１つ以上のシンボルがビーム形成されるかどうかをさらに示す請求項３１に記載の方法。
【請求項３７】
前記ＳＩＧフィールドシンボルは、前記プリアンブル又は前記ペイロードの１つ以上のシンボルがビーム形成されるかどうかを示すために直交２位相偏移変調（ＱＢＰＳＫ）を用いて変調される請求項３１に記載の方法。
【請求項３８】
前記ＳＩＧフィールドシンボルは、前記ＰＰＤＵが単一ユーザＰＰＤＵ又は多ユーザＰＰＤＵのいずれであるかをさらに示し、前記ＰＰＤＵが多ユーザＰＰＤＵである場合は、前記ＳＩＧフィールドシンボルは、前記ペイロードの少なくとも１つの意図される受信機を識別するグループ識別子（ＩＤ）をさらに示し、前記プリアンブルは、
前記ペイロードの変調及びコーディングレート方式を示す信号Ｂ（ＳＩＧ−Ｂ）フィールドシンボルをさらに含む請求項３１に記載の方法。
【請求項３９】
前記プリアンブルは、
前記ペイロードの少なくとも１つの意図される受信機を識別するグループ識別子（ＩＤ）、複数のユーザのうちの各ユーザに関する前記ペイロードのための空間ストリーム数、及び／又は前記複数のユーザのうちの各ユーザに関する前記ペイロードのための変調及びコーディングレート方式のうちの少なくとも１つを示すビーム形成信号（ＢＦ−ＳＩＧ）フィールドをさらに含む請求項３１に記載の方法。
【請求項４０】
前記ＰＰＤＵの前記帯域幅は、前記ＰＰＤＵの前記シンボルが１２８の総ＯＦＤＭトーンを各々含む場合は５ＭＨｚ以上で、６ＭＨｚ以下であり、前記ＰＰＤＵの前記シンボルが２５６の総ＯＦＤＭトーンを各々含む場合は、前記ＰＰＤＵの前記帯域幅は、８ＭＨｚである請求項３１に記載の方法。
【請求項４１】
前記テレビ放送周波数スペクトルは、１ＧＨｚ未満である請求項３１に記載の方法。
【請求項４２】
前記プリアンブルの各シンボルは、前記ＰＰＤＵの前記シンボルが１２８の総ＯＦＤＭトーンを各々含む場合は４μｓｅｃ以上、８μｓｅｃ以下で、前記ＰＤＵの前記シンボルが２５６の総ＯＦＤＭトーンを各々含む場合は８μｓｅｃ以上で、１６μｓｅｃ以下のサイクリックプリフィックス継続時間を有する請求項３１に記載の方法。
【請求項４３】
前記ＰＰＤＵの各プリアンブルシンボルの、サイクリックプリフィックス継続時間を含むシンボル継続時間は、前記ＰＰＤＵの前記シンボルが１２８の総ＯＦＤＭトーンを各々含む場合は２０μｓｅｃ以上で、４０μｓｅｃ以下であり、前記ＰＤＵの前記シンボルが２５６の総ＯＦＤＭトーンを各々含む場合は４０μｓｅｃ以上で、８０μｓｅｃ以下である請求項３１に記載の方法。
【請求項４４】
前記プリアンブルは、
ショートトレーニングフィールド（ＳＴＦ）シンボルと、
２つのロングトレーニングフィールド（ＬＴＦ）シンボルと、
多ユーザ、多入力多出力（ＭＵ−ＭＩＭＯ）モード又は単一ユーザビーム形成（ＳＵ−ＢＦ）モードのためのビーム形成信号（ＢＦ−ＳＩＧ）フィールドシンボルと、
プリコーディングされたショートトレーニング（ＰＣ−ＳＴＦ）フィールドシンボルと、
少なくとも１つのプリコーディングされたロングトレーニング（ＰＣ−ＬＴＦ）フィールドシンボルと、をさらに含む請求項３１に記載の方法。
【請求項４５】
前記ＰＰＤＵを受信することは、
前記受信機のクロックにダウンクロック率を適用することを含み、前記ダウンクロック率は、前記受信されたＰＰＤＵの帯域幅と関連付けられる請求項３１に記載の方法。
【請求項４６】
テレビ放送周波数スペクトルでの無線通信のための無線受信機装置であって、
プリアンブル及びペイロードを有する物理層コンバージェンスプロトコルパケットデータユニット（ＰＰＤＵ）を前記テレビ放送周波数スペクトルで受信するように好適化された無線受信機であって、前記ＰＰＤＵのシンボルは、１２８の総（直交周波数分割多重化）ＯＦＤＭトーン又は２５６の総ＯＦＤＭトーンを各々含み、前記プリアンブルは、
前記ＰＰＤＵの前記シンボルが１２８の総ＯＦＤＭトーンを含む場合は１０８のＯＦＤＭデータトーンを有し、前記ＰＰＤＵの前記シンボルが２５６の総ＯＦＤＭトーンを含む場合は２３４のＯＦＤＭデータトーンを有する信号（ＳＩＧ）フィールドシンボルを含み、前記ＳＩＧフィールドシンボルは、前記ペイロード内のデータ量又は前記ＰＰＤＵが前記テレビ放送周波数スペクトルを占有する時間の長さのうちの少なくとも１つを示す無線受信機と
前記無線受信機に通信可能な形で結合され、受信された前記ＰＰＤＵを処理するように好適化された処理回路と、を備える、無線受信機装置。
【請求項４７】
前記処理回路は、前記無線受信機装置のクロックにダウンクロック率を適用するようにさらに好適化され、前記ダウンクロック率は、前記受信されたＰＰＤＵの帯域幅と関連付けられる請求項４６に記載の無線受信機装置。
【請求項４８】
前記プリアンブルは、
前記ＰＰＤＵの前記シンボルが１２８の総ＯＦＤＭトーンを各々含む場合は８つ目ごとのトーンがポピュレートされ、前記ＰＰＤＵの前記シンボルが２５６の総ＯＦＤＭトーンを各々含む場合は１６ごとのトーンがポピュレートされるショートトレーニングフィールド（ＳＴＦ）シンボルをさらに含む請求項４６に記載の無線受信機装置。
【請求項４９】
前記ＳＩＧフィールドシンボルは、前記ＰＰＤＵの前記シンボルが１２８の総ＯＦＤＭトーンを各々含む場合は５４ビットのデータ、前記ＰＰＤＵの前記シンボルが２５６の総ＯＦＤＭトーンを各々含む場合は１１７ビットのデータを含む請求項４６に記載の無線受信機装置。
【請求項５０】
前記ＳＩＧフィールドシンボルは、前記ＰＰＤＵが単一ユーザＰＰＤＵ又は多ユーザＰＰＤＵのいずれであるかをさらに示し、前記ＰＰＤＵが多ユーザＰＰＤＵである場合は、前記ＳＩＧフィールドシンボルは、前記ペイロードの少なくとも１つの意図される受信機を識別するグループ識別子（ＩＤ）をさらに示し、前記プリアンブルは、
前記ペイロードの変調及びコーディングレート方式を示す信号Ｂ（ＳＩＧ−Ｂ）フィールドシンボルをさらに含む請求項４６に記載の無線受信機装置。
【請求項５１】
前記プリアンブルは、
前記ペイロードの少なくとも１つの意図される受信機を識別するグループ識別子（ＩＤ）、複数のユーザのうちの各ユーザに関する前記ペイロードのための空間ストリーム数、及び／又は前記複数のユーザのうちの各ユーザに関する前記ペイロードのための変調及びコーディングレート方式のうちの少なくとも１つを示すビーム形成信号（ＢＦ−ＳＩＧ）フィールドをさらに含む請求項４６に記載の無線受信機装置。
【請求項５２】
前記ＰＰＤＵの前記帯域幅は、前記ＰＰＤＵの前記シンボルが１２８の総ＯＦＤＭトーンを各々含む場合は５ＭＨｚ以上で、６ＭＨｚ以下であり、前記ＰＰＤＵの前記シンボルが２５６の総ＯＦＤＭトーンを各々含む場合は、前記ＰＰＤＵの前記帯域幅は、８ＭＨｚである請求項４６に記載の無線受信機装置。
【請求項５３】
前記プリアンブルの各シンボルは、前記ＰＰＤＵの前記シンボルが１２８の総ＯＦＤＭトーンを各々含む場合は４μｓｅｃ以上、８μｓｅｃ以下で、前記ＰＤＵの前記シンボルが２５６の総ＯＦＤＭトーンを各々含む場合は８μｓｅｃ以上で、１６μｓｅｃ以下のサイクリックプリフィックス継続時間を有する請求項４６に記載の無線受信機装置。
【請求項５４】
前記プリアンブルは、
ショートトレーニングフィールド（ＳＴＦ）シンボルと、
２つのロングトレーニングフィールド（ＬＴＦ）シンボルと、
多ユーザ、多入力多出力（ＭＵ−ＭＩＭＯ）モード又は単一ユーザビーム形成（ＳＵ−ＢＦ）モードのためのビーム形成信号（ＢＦ−ＳＩＧ）フィールドシンボルと、
プリコーディングされたショートトレーニング（ＰＣ−ＳＴＦ）フィールドシンボルと、
少なくとも１つのプリコーディングされたロングトレーニング（ＰＣ−ＬＴＦ）フィールドシンボルと、をさらに含む請求項４６に記載の無線受信機装置。
【請求項５５】
テレビ放送周波数スペクトルでの無線通信のための無線受信機装置であって、
プリアンブル及びペイロードを有する物理層コンバージェンスプロトコルパケットデータユニット（ＰＰＤＵ）を前記テレビ放送周波数スペクトルで受信するための手段を備え、前記ＰＰＤＵのシンボルは１２８の総（直交周波数分割多重化）ＯＦＤＭトーン又は２５６の総ＯＦＤＭトーンを各々含み、前記プリアンブルは、
前記ＰＰＤＵの前記シンボルが１２８の総ＯＦＤＭトーンを含む場合は１０８のＯＦＤＭデータトーンを有し、前記ＰＰＤＵの前記シンボルが２５６の総ＯＦＤＭトーンを含む場合は２３４のＯＦＤＭデータトーンを有する信号（ＳＩＧ）フィールドシンボルを含み、前記ＳＩＧフィールドシンボルは、前記ペイロード内のデータ量又は前記ＰＰＤＵが前記テレビ放送周波数スペクトルを占有する時間の長さのうちの少なくとも１つ示す、無線受信機装置。
【請求項５６】
テレビ放送周波数スペクトルでの無線通信のために１つ以上の命令が格納される非一時的なプロセッサによって読み取り可能な媒体であって、それらは、
少なくとも１つのプロセッサによって実行されたときに
プリアンブル及びペイロードを有する物理層コンバージェンスプロトコルパケットデータユニット（ＰＰＤＵ）を前記テレビ放送周波数スペクトルで受信することを前記プロセッサに行わせ、前記ＰＰＤＵのシンボルは１２８の総（直交周波数分割多重化）ＯＦＤＭトーン又は２５６の総ＯＦＤＭトーンを各々含み、前記プリアンブルは、
前記ＰＰＤＵの前記シンボルが１２８の総ＯＦＤＭトーンを含む場合は１０８のＯＦＤＭデータトーンを有し、前記ＰＰＤＵの前記シンボルが２５６の総ＯＦＤＭトーンを含む場合は２３４のＯＦＤＭデータトーンを有する信号（ＳＩＧ）フィールドシンボルを含み、前記ＳＩＧフィールドシンボルは、前記ペイロード内のデータ量又は前記ＰＰＤＵが前記テレビ放送周波数スペクトルを占有する時間の長さのうちの少なくとも１つ示す、非一時的なプロセッサによって読み取り可能な媒体。
【発明の詳細な説明】
【技術分野】
【０００１】
優先権の主張
本特許出願は、引用によって明示でここに組み入れられている米国仮特許出願第６１／４８８，０９２号（出願日：２０１１年５月１９日）に対する優先権を主張するものである。
【０００２】
様々な特徴は、無線通信デバイス及びシステムに関するものである。様々な特徴は、より具体的には、テレビホワイトスペース送信のためのプリアンブルを生成するための方法及び装置に関するものである。
【背景技術】
【０００３】
無線信号を通じて通信するアクセス端末、例えば、ラップトップコンピュータ、パーソナルデジタルアシスタントデバイス、携帯電話、パーソナルメディアプレーヤー、又はプロセッサを有するその他のデバイス、がますます一般的になり、より頻繁に使用されている。多くのアクセス端末は、無線ローカルエリアネットワーク（ＷＬＡＮ）を介して通信するように好適化されており、該ＷＬＡＮを容易にするために幾つかの新進の無線通信規格が策定されておりかつ現在策定中である。
【０００４】
米国電気電子学会（ＩＥＥＥ）では、それのＩＥＥＥ８０２．１１規格の傘下で様々なＷＬＡＮ規格（又は改訂版）を策定してきている。ＩＥＥＥ８０２．１１は、ＩＥＥＥ８０２．１１短距離通信委員会（例えば、数十メートル〜数百メートル）によって策定された一組のＷＬＡＮエアインタフェース規格を表している。該ＷＬＡＮネットワークは、“ＷｉＦｉ”又は“ｗｉ−ｆｉ”ネットワークとしばしば呼ばれ、電子デバイスが無線で通信する（例えば、データのやり取り、その他のネットワークへのアクセス、等）のを可能にする。共通のｗｉ−ｆｉ周波数は、２．４ＧＨｚと５．６ＧＨｚ帯域とを含む。
【０００５】
しかしながら、該無線ネットワークのために利用可能な周波数スペクトルは非常に限られており、さらに、無線通信システムによって要求される帯域幅に関するニーズがますます高くなってきている。従って、既存の周波数スペクトル割り当ての再利用及び／又は共存が望ましい。１つの比較的最近の開発は、“ホワイトスペース”（“ホワイト・スペース”とも呼ばれる）を用いてＷＬＡＮを実装することに対応する。ホワイトスペースとは、放送サービスに割り当てられているが局所的な（例えば、短い範囲内の）使用されていない無線周波数を意味する。米国では、連邦通信委員会（ＦＣＣ）報告及び命令（Ｒ＆Ｏ）が、免許不要によるホワイトスペースの使用機会を最近開放した。現在は、ＩＥＥＥ８０２．１１ａｆと呼ばれるＩＥＥＥ８０２．１１の修正に基づいてＩＥＥＥ８０２．１１規格に準拠してＷＬＡＮを実装するためのホワイトスペースの使用を開発中である。“Ｗｈｉｔｅ−ｆｉ”は、ＴＶの未使用のスペクトル、すなわち、ＴＶホワイトスペース（ＴＶＷＳ）内でのＷｉ−Ｆｉ技術の使用について説明するために用いられる用語である。１ＧＨｚを下回る周波数を有するＴＶＷＳを使用することで、ＩＥＥＥ８０２．１１ａｆは、ＴＶスペクトル内の局所的に未使用の周波数によって利用可能になる帯域幅の増大に加えて、これまでよりも長い伝播距離を提供することができる。
【０００６】
米国では、各テレビチャネルは、６ＭＨｚの総帯域幅を有する。しかしながら、隣接チャネル内へのスペクトル漏れの懸念に起因して、信号プロバイダは、典型的には、チャネルの各側に５００ｋＨｚ乃至１ＭＨｚのガード帯を提供するために各チャネルに関する信号搬送波帯域幅を４ＭＨｚ乃至５ＭＨｚに制限している。その他の諸国では、各テレビチャネルに関する総帯域幅は異なることがある（ほとんどの欧州諸国では８ＭＨｚ）。
【０００７】
ＴＶＷＳデバイスは、屋外環境で動作することができ、高い遅延スプレッドを受けやすい。これは、遅延スプレッドの影響に対して十分な保護を確保するためにほとんどのその他のＯＦＤＭに基づく送信においてサイクリックプリフィックス（ＣＰ）がはるかに高くなることを含んでいる。一例として、８０２．１１ａｆ信号は、８０２．１１ａｃ信号をダウンクロック（ｄｏｗｎ−ｃｌｏｃｋｉｎｇ）することによって生成される５ＭＨｚ信号であることができる。例えば、２０ＭＨｚ、４０ＭＨｚ、８０ＭＨｚ、又は１６０ＭＨｚ帯域幅８０２．１１ａｃ信号を、該当するダウンクロック率を用いて５ＭＨｚ帯域幅信号にダウンクロックすることができる。信号をダウンクロックすることは、サイクリックプリフィックス継続時間、プリアンブル継続時間、及びシンボル継続時間を増大させる。時間の増大は、適用されるダウンクロック率に正比例する。例えば、８０ＭＨｚ帯域幅信号を５ＭＨｚ信号にダウンクロックするために使用される１６のダウンクロック率は、サイクリックプリフィックス継続時間を１６倍増大させ、２０ＭＨｚを５ＭＨｚにダウンクロックすることは、サイクリックプリフィックス継続時間を４倍分しか増大させない。
【０００８】
幾つかの事例では、２０ＭＨｚ８０２．１１ａｃ信号をダウンクロックすることによって５ＭＨｚ  ＴＶＷＳ信号を生成することは、その結果として、短すぎるサイクリックプリフィックス継続時間が得られる可能性があり、それは、結果的に得られた信号が高い遅延スプレッドを被りやすくする。対照的に、より大きい帯域幅（例えば、４０ＭＨｚ、８０ＭＨｚ、等）の８０２．１１ａｃ信号をダウンクロックして５ＭＨｚ  ＴＶＷＳ信号を生成することは、その結果として、長すぎるプリアンブル継続時間になる可能性がある。すなわち、プリアンブル継続時間が、所定のＴＶＷＳ送信に関してＷＬＡＮデバイスに割り当てられた総時間のうちの受け入れ不可能なほど大きい部分を占める可能性がある（すなわち、物理層コンバージェンスプロトコルパケットデータユニット（Ｐｈｙｓｉｃａｌ  Ｌａｙｅｒ  Ｃｏｎｖｅｒｇｅｎｃｅ  Ｐｒｏｔｏｃｏｌ  Ｐａｃｋｅｔ  Ｄａｔａ  Ｕｎｉｔ）（ＰＰＤＵ）のプリアンブルオーバーヘッドが大きすぎる可能性がある）。
【０００９】
従って、高い遅延スプレッドに対処する上で十分なサイクリックプリフィックス継続時間、低いプリアンブル継続時間オーバーヘッド、及びその他のＩＥＥＥ８０２．１１規格、例えば、８０２．１１ａｃ、と同じアーキテクチャを再利用する能力、を特徴とするＴＶＷＳプリアンブル（例えば、ＴＧａｆ）の必要性が存在する。
【発明の概要】
【００１０】
一特徴は、テレビ放送周波数スペクトル（例えば、ＴＶＷＳ）での無線通信のための方法を提供する。その方法は、波形の帯域幅を第１の帯域幅（例えば、２０、４０、又は８０ＭＨｚ）から第２の帯域幅（例えば、４乃至１０ＭＨｚ）に低減させる率をクロックに適用することによってダウンクロックされた波形を生成することを備え、ダウンクロックされた波形の第２の帯域幅は、識別された未使用チャネルに関するチャネル帯域幅よりも小さい。一態様により、その方法は、プリアンブル及びペイロードを有する物理層コンバージェンスプロトコルパケットデータユニット（ＰＰＤＵ）を生成することを含み、ＰＰＤＵのシンボルは、１２８の総（直交周波数分割多重化）ＯＦＤＭトーン又は２５６の総ＯＦＤＭトーンを各々含み、プリアンブルは、ＰＰＤＵのシンボルが１２８の総ＯＦＤＭトーンを含む場合は１０８のＯＦＤＭデータトーンを有し、ＰＰＤＵのシンボルが２５６の総ＯＦＤＭトーンを含む場合は２３４のＯＦＤＭデータトーンを有する信号（ＳＩＧ）フィールドシンボルを含む。ＳＩＧフィールドシンボルは、ペイロード内のデータ量およびＰＰＤＵがテレビ放送周波数スペクトルを占有する時間の長さうちの少なくとも１つを示すことができる。その方法は、テレビ放送周波数スペクトル（例えば、ＴＶＷＳ）でＰＰＤＵを送信することをさらに含む。
【００１１】
一態様により、ＰＰＤＵを生成することは、第２の帯域幅（例えば、４乃至１０ＭＨｚ）を有するＰＰＤＵを生成するために第１の帯域幅（例えば、２０、４０、又は８０ＭＨｚ）を有する第１の信号（例えば、８０２．１１ａｃ信号）をある率だけダウンクロックすることを含み、第１の信号は、２つ以上のシンボルを有する第１のショートトレーニングフィールド（ＳＴＦ）を含む第１の信号プリアンブルを有し、第１のＳＦＴは、第１のＳＴＦ継続時間を有し、プリアンブルは、第２のＳＴＦ継続時間を有する第２のＳＴＦをさらに含み、第２のＳＴＦ継続時間は、その率が乗じられた第１のＳＴＦ継続時間よりも小さい。一態様により、第２のＳＴＦ継続時間は、その率が乗じられた第１のＳＴＦ継続時間の１／２に等しい。他の態様により、第２のＳＴＦは、１つのシンボルのみを含む。他の態様により、ＰＰＤＵのシンボルが１２８の総ＯＦＤＭトーンを各々含む場合は、第１の帯域幅は４０ＭＨｚであり、第２の帯域幅は、４ＭＨｚ以上で、８ＭＨｚ以下であり、第１のＳＴＦ継続時間は、８μｓｅｃに等しく、第２のＳＴＦ継続時間は、２０μｓｅｃ以上で、４０μｓｅｃ以下である。ＰＰＤＵのシンボルが２５６の総ＯＦＤＭトーンを各々含む場合は、第１の帯域幅は８０ＭＨｚであり、第２の帯域幅は、４ＭＨｚ以上で、８ＭＨｚ以下であり、第１のＳＴＦ継続時間は、８μｓｅｃであり、第２のＳＴＦ継続時間は、４０μｓｅｃ以上で、８０μｓｅｃ以下である。一態様により、プリアンブルは、ＰＰＤＵのシンボルが１２８の総トーンを各々含む場合は８つ目ごとのトーン又は１６ごとのトーンがポピュレート（ｐｏｐｕｌａｔｅ）され、ＰＰＤＵのシンボルが合計２５６のトーンを各々含む場合は１６ごとのトーンがポピュレートされるショートトレーニングフィールド（ＳＴＦ）を含む。
【００１２】
他の態様により、プリアンブルは、ＰＰＤＵのシンボルが１２８の総ＯＦＤＭトーンを各々含む場合は２マイクロ秒（μｓ）以上で、４μｓ以下の繰り返し間隔を有し、ＰＰＤＵのシンボルが２５６の総ＯＦＤＭトーンを各々含む場合は４μｓ以上で、８μｓ以下の繰り返し間隔を有するショートトレーニングフィールド（ＳＴＦ）シンボルをさらに含む。一態様により、ＰＰＤＵを生成することは、第２の帯域幅を有するＰＰＤＵを生成するために第１の帯域幅を有する第１の信号をある率だけダウンクロックすることを含み、第１の信号は、少なくとも１つのシンボルを有する第１のＳＩＧフィールドを含む第１の信号プリアンブルを有し、第１のＳＩＧフィールドのシンボルは、第１の信号の２０ＭＨｚサブバンド当たり４８のＯＦＤＭデータトーンに限定される。他の態様により、ＰＰＤＵを生成することは、第２の多搬送波を有するＰＰＤＵを生成するために第１の帯域幅を有する第１の信号をある率だけダウンクロックすることを含み、第１の信号は、少なくとも１０のシンボルを含む第１の信号プリアンブルを有し、ＰＰＤＵのプリアンブルは、７つのシンボルを有する。
【００１３】
他の態様により、ＰＰＤＵを生成することは、第２の帯域幅を有するＰＰＤＵを生成するために第１の帯域幅を有する第１の信号をある率だけダウンクロックすることを含み、第１の信号は、第１の信号プリアンブル継続時間を有する第１の信号プリアンブルを有し、ＰＰＤＵのプリアンブルの継続時間は、その率が乗じられた第１の信号プリアンブル継続時間の８２％未満である。一態様により、ＳＩＧフィールドシンボルは、ＰＰＤＵのシンボルが１２８の総ＯＦＤＭトーンを各々含む場合は５４ビットのデータ、ＰＰＤＵのシンボルが２５６の総ＯＦＤＭトーンを各々含む場合は１１７ビットのデータを含む。他の態様により、ＳＩＧフィールドシンボルは、ペイロードの帯域幅、ペイロードの変調及びコーディングレート方式、及びペイロードの空間ストリーム数をさらに示す。他の態様により、ＳＩＧフィールドシンボルは、プリアンブル又はペイロードの１つ以上のシンボルがビーム形成されるかどうかをさらに示す。
【００１４】
さらに他の態様により、ＳＩＧフィールドシンボルは、プリアンブル又はペイロードの１つ以上のシンボルがビーム形成されるかを示すために直交２位相偏移変調（ｑｕａｄｒａｔｕｒｅ  ｂｉｎａｒｙ  ｐｈａｓｅ  ｓｈｉｆｔ  ｋｅｙｉｎｇ）（ＱＢＰＳＫ）を用いて変調される。さらに他の態様により、ＳＩＧフィールドシンボルは、ペイロードが単一ユーザモード又は多ユーザモードのいずれで送信されるべきかをさらに示し、ペイロードが多ユーザモードで送信されるべきである場合は、ＳＩＧフィールドシンボルは、ペイロードの少なくとも１つの意図される受信機を識別するグルーブ識別子（ＩＤ）をさらに示し、プリアンブルは、ペイロードの変調及びコーディング方式を示す信号Ｂ（ＳＩＧ−Ｂ）フィールドシンボルをさらに含む。一態様により、生成されたプリアンブルは、ペイロードの少なくとも１つの意図される受信機を識別するグループ識別子（ＩＤ）、複数のユーザのうちの各ユーザに関するペイロードのための空間ストリーム数、及び／又は複数のユーザのうちの各ユーザに関するペイロードのための変調及びコーディングレート方式のうちの少なくとも１つを示すビーム形成信号（ＢＦ−ＳＩＧ）フィールドを含む。一態様により、ＰＰＤＵの帯域幅は、ＰＰＤＵのシンボルが１２８の総ＯＦＤＭトーンを各々含む場合は５ＭＨｚ以上で、６ＭＨｚ以下であり、ＰＰＤＵのシンボルが２５６の総ＯＦＤＭトーンを各々含む場合は、ＰＰＤＵの帯域幅は、８ＭＨｚである。
【００１５】
他の態様により、テレビ放送周波数スペクトルは１ＧＨｚ未満である。一態様により、方法は、１２８の総ＯＦＤＭトーンを含むＰＰＤＵのシンボルを生成するために４０ＭＨｚ帯域幅信号を５以上で１０以下の率だけダウンクロックすることと、２５６の総ＯＦＤＭトーンを含むＰＰＤＵのシンボルを生成するために８０ＭＨｚ帯域幅信号を１０以上で２０以下の率だけダウンクロックすることと、をさらに含む。一態様により、第１の信号（例えば、４０ＭＨｚ及び８０ＭＨｚ帯域幅の信号）は、米国電気電子学会（ＩＥＥＥ）の８０２．１１ａｃ規格に準拠して定義される。他の態様により、プリアンブルの各シンボルは、ＰＰＤＵのシンボルが１２８の総ＯＦＤＭトーンを各々含む場合は４μｓｅｃ以上で、８μｓｅｃ以下の、ＰＤＵのシンボルが２５６の総ＯＦＤＭトーンを各々含む場合は８μｓｅｃ以上で、１６μｓｅｃ以下のサイクリックプリフィックス継続時間を有する。
【００１６】
他の態様により、ＰＰＤＵの各プリアンブルシンボルの、サイクリックプリフィックス継続時間を含むシンボル継続時間は、ＰＰＤＵのシンボルが１２８の総ＯＦＤＭトーンを各々含む場合は２０μｓｅｃ以上で、４０μｓｅｃ以下であり、ＰＰＤＵのシンボルが２５６の総ＯＦＤＭトーンを各々含む場合は４０μｓｅｃ以上で、８０μｓｅｃ以下である。一態様により、ＰＰＤＵを生成することは、第２の帯域幅を有するＰＰＤＵを生成するために第１の帯域幅を有する第１の信号をある率だけダウンクロックすることを含み、第１の信号は、２つのレガシーショートトレーニングフィールド（ＳＴＦ）シンボルと、２つのレガシーロングトレーニング（ＬＴＦ）フィールドシンボルと、１つの第１のフィールドシンボルと、２つの超高スループット（ＶＨＴ）信号Ａフィールドシンボルと、１つのＶＨＴ  ＳＴＦフィールドシンボルと、少なくとも１つのＶＨＴ  ＬＴＦフィールドシンボルと、１つの第１の信号Ｂフィールドシンボルと、を含む第１の信号プリアンブルを有し、プリアンブルは、ショートトレーニングフィールド（ＳＴＦ）シンボルと、２つのロングトレーニングフィールド（ＬＴＦ）シンボルと、多ユーザ、多入力多出力（ＭＵ−ＭＩＭＯ）モード又は単一ユーザビーム形成（ＳＵ−ＢＦ）モードのためのビーム形成信号（ＢＦ−ＳＩＧ）フィールドシンボルと、プリコーディングされたショートトレーニング（ＰＣ−ＳＴＦ）フィールドシンボルと、少なくとも１つのプリコーディングされたロングトレーニング（ＰＣ−ＬＴＦ）フィールドと、をさらに含む。
【００１７】
他の特徴は、テレビ放送周波数スペクトルでの無線通信のために構成された無線送信機装置を提供する。その装置は、プリアンブル及びペイロードを有する物理層コンバージェンスプロトコルパケットデータユニット（ＰＰＤＵ）を生成するように好適化された処理回路を備え、ＰＰＤＵのシンボルは、１２８の総（直交周波数分割多重化）ＯＦＤＭトーン又は２５６の総ＯＦＤＭトーンを各々含み、プリアンブルは、ＰＰＤＵのシンボルが１２８の総ＯＦＤＭトーンを含む場合は１０８のＯＦＤＭデータトーンを有し、ＰＰＤＵのシンボルが２５６の総ＯＦＤＭトーンを含む場合は２３４のＯＦＤＭデータトーンを有する信号（ＳＩＧ）フィールドシンボルを含み、ＳＩＧフィールドシンボルは、ペイロード内のデータ量又はＰＰＤＵがテレビ放送周波数スペクトルを占有する時間の長さのうちの少なくとも１つを示し、無線送信機は、通信可能な形で処理回路に結合され、テレビ放送周波数スペクトルでＰＰＤＵを送信するように好適化される。一態様により、処理回路は、第２の帯域幅を有するＰＰＤＵを生成するために第１の帯域幅を有する第１の信号をある率だけダウンクロックするようにさらに好適化され、第１の信号は、２つ以上のシンボルを有する第１のショートトレーニングフィールド（ＳＴＦ）を含む第１の信号プリアンブルを有し、第１のＳＴＦは、第１のＳＴＦ継続時間を有し、プリアンブルは、第２のＳＴＦ継続時間を有する第２のＳＴＦをさらに含み、第２のＳＴＦ継続時間は、その率が乗じられた第１のＳＴＦ継続時間よりも小さい。他の態様により、プリアンブルは、ＰＰＤＵのシンボルが１２８の総トーンを各々含む場合は８つの目のトーン又は１６ごとのトーンがポピュレート（ｐｏｐｕｌａｔｅ）され、ＰＰＤＵのシンボルが２５６の総トーンを各々含む場合は１６ごとのトーンがポピュレートされるショートトレーニングフィールド（ＳＴＦ）をさらに含む。他の態様により、処理回路は、第２の帯域幅を有するＰＰＤＵを生成するために第１の帯域幅を有する第１の信号をある率だけダウンクロックするようにさらに好適化され、第１の信号は、少なくとも１０のシンボルを含む第１の信号プリアンブルを有し、ＰＰＤＵのプリアンブルは、７つのシンボルを有する。
【００１８】
他の態様により、処理回路は、第２の帯域幅を有するＰＰＤＵを生成するために第１の帯域幅を有する第１の信号をある率だけダウンクロックするようにさらに好適化され、第１の信号は、２つのレガシーショートトレーニングフィールド（ＳＴＦ）シンボルと、２つのレガシーロングトレーニング（ＬＴＦ）フィールドシンボルと、１つの第１の信号フィールドシンボルと、２つの超高スループット（ＶＨＴ）信号Ａフィールドシンボルと、１つのＶＨＴ  ＳＴＦフィールドシンボルと、少なくとも１つのＶＨＴ  ＬＴＦフィールドシンボルと、１つの第１の信号Ｂフィールドシンボルと、を含む第１の信号プリアンブルを有し、プリアンブルは、ショートトレーニングフィールド（ＳＴＦ）シンボルと、２つのロングトレーニングフィールド（ＬＴＦ）シンボルと、多ユーザ、多入力多出力（ＭＵ−ＭＩＭＯ）モード又は単一ユーザビーム形成（ＳＵ−ＢＦ）モードのためのビーム形成信号（ＢＦ−ＳＩＧ）フィールドシンボルと、プリコーディングされたショートトレーニング（ＰＣ−ＳＴＦ）フィールドシンボルと、少なくとも１つのプリコーディングされたロングトレーニング（ＰＣ−ＬＴＦ）フィールドと、をさらに含む。
【００１９】
他の特徴は、プリアンブル及びペイロードを有する物理層コンバージェンスプロトコルパケットデータユニット（ＰＰＤＵ）を生成するための手段であって、ＰＰＤＵのシンボルは、１２８の総（直交周波数分割多重化）ＯＦＤＭトーン又は２５６の総ＯＦＤＭトーンを各々含み、プリアンブルは、ＰＰＤＵのシンボルが１２８の総ＯＦＤＭトーンを含む場合は１０８のＯＦＤＭデータトーンを有し、ＰＰＤＵのシンボルが２５６の総ＯＦＤＭトーンを含む場合は２３４のＯＦＤＭデータトーンを有する信号（ＳＩＧ）フィールドシンボルを含み、ＳＩＧフィールドシンボルは、ペイロード内のデータ量又はＰＰＤＵがテレビ放送周波数スペクトルを占有する時間の長さのうちの少なくとも１つを示す手段と、テレビ放送周波数スペクトルでＰＰＤＵを送信するための手段と、を備える。
【００２０】
他の特徴は、テレビ放送周波数スペクトルでの無線通信のために１つ以上の命令が格納された非一時的なプロセッサによって読み取り可能な媒体を提供し、それらは、少なくとも１つのプロセッサによって実行されたときには、プリアンブル及びペイロードを有する物理層コンバージェンスプロトコルパケットデータユニット（ＰＰＤＵ）を生成すること、及びテレビ放送周波数スペクトルでＰＰＤＵを送信することをプロセッサに行わせ、ＰＰＤＵのシンボルは、１２８の総（直交周波数分割多重化）ＯＦＤＭトーン又は２５６の総ＯＦＤＭトーンを各々含み、プリアンブルは、ＰＰＤＵのシンボルが１２８の総ＯＦＤＭトーンを含む場合は１０８のＯＦＤＭデータトーンを有し、ＰＰＤＵのシンボルが２５６の総ＯＦＤＭトーンを含む場合は２３４のＯＦＤＭデータトーンを有する信号（ＳＩＧ）フィールドシンボルを含み、ＳＩＧフィールドシンボルは、ペイロード内のデータ量又はＰＰＤＵがテレビ放送周波数スペクトルを占有する時間の長さのうちの少なくとも１つを示す。
【００２１】
他の特徴は、受信機において動作可能なテレビ放送周波数スペクトルでの無線通信のための方法を提供する。その方法は、プリアンブル及びペイロードを有する物理層コンバージェンスプロトコルパケットデータユニット（ＰＰＤＵ）をテレビ放送周波数スペクトルで受信することを備え、ＰＰＤＵのシンボルは、１２８の総（直交周波数分割多重化）ＯＦＤＭトーン又は２５６の総ＯＦＤＭトーンを各々含み、プリアンブルは、ＰＰＤＵのシンボルが１２８の総ＯＦＤＭトーンを含む場合は１０８のＯＦＤＭデータトーンを有し、ＰＰＤＵのシンボルが２５６の総ＯＦＤＭトーンを含む場合は２３４のＯＦＤＭデータトーンを有する信号（ＳＩＧ）フィールドシンボルを含み、ＳＩＧフィールドシンボルは、ペイロード内のデータ量又はＰＰＤＵがテレビ放送周波数スペクトルを占有する時間の長さのうちの少なくとも１つを示す。一態様により、ＰＰＤＵを受信することは、受信機のクロックにダウンクロック率を適用することを含み、ダウンクロック率は、受信されたＰＰＤＵの帯域幅と関連付けられる。
【００２２】
他の特徴は、テレビ放送周波数スペクトルでの無線通信のための無線受信機装置を提供する。受信機装置は、プリアンブル及びペイロードを有する物理層コンバージェンスプロトコルパケットデータユニット（ＰＰＤＵ）をテレビ放送周波数スペクトルで受信するように好適化された無線受信機であって、ＰＰＤＵのシンボルは、１２８の総（直交周波数分割多重化）ＯＦＤＭトーン又は２５６の総ＯＦＤＭトーンを各々含み、プリアンブルは、ＰＰＤＵのシンボルが１２８の総ＯＦＤＭトーンを含む場合は１０８のＯＦＤＭデータトーンを有し、ＰＰＤＵのシンボルが２５６の総ＯＦＤＭトーンを含む場合は２３４のＯＦＤＭデータトーンを有する信号（ＳＩＧ）フィールドシンボルを含み、ＳＩＧフィールドシンボルは、ペイロード内のデータ量又はＰＰＤＵがテレビ放送周波数スペクトルを占有する時間の長さのうちの少なくとも１つを示す無線受信機と、無線受信機に通信可能な形で結合されて受信されたＰＰＤＵを処理するように好適化された処理回路と、を備える。一態様により、処理回路は、無線受信機装置のクロックにダウンクロック率を適用するようにさらに好適化され、ダウンクロック率は、受信されたＰＰＤＵの帯域幅と関連付けられる。
【００２３】
他の特徴は、プリアンブル及びペイロードを有する物理層コンバージェンスプロトコルパケットデータユニット（ＰＰＤＵ）をテレビ放送周波数スペクトルで受信するための手段を備える無線受信機装置を提供し、ＰＰＤＵのシンボルは、１２８の総（直交周波数分割多重化）ＯＦＤＭトーン又は２５６の総ＯＦＤＭトーンを各々含み、プリアンブルは、ＰＰＤＵのシンボルが１２８の総ＯＦＤＭトーンを含む場合は１０８のＯＦＤＭデータトーンを有し、ＰＰＤＵのシンボルが２５６の総ＯＦＤＭトーンを含む場合は２３４のＯＦＤＭデータトーンを有する信号（ＳＩＧ）フィールドシンボルを含み、ＳＩＧフィールドシンボルは、ペイロード内のデータ量又はＰＰＤＵがテレビ放送周波数スペクトルを占有する時間の長さのうちの少なくとも１つを示す。
【００２４】
他の特徴は、テレビ放送周波数スペクトルでの無線通信のために１つ以上の命令が格納された非一時的なプロセッサによって読み取り可能な媒体を提供し、それらは、少なくとも１つのプロセッサによって実行されたときには、プリアンブル及びペイロードを有する物理層コンバージェンスプロトコルパケットデータユニット（ＰＰＤＵ）をテレビ放送周波数スペクトルで受信することをプロセッサに行わせ、ＰＰＤＵのシンボルは、１２８の総（直交周波数分割多重化）ＯＦＤＭトーン又は２５６の総ＯＦＤＭトーンを各々含み、プリアンブルは、ＰＰＤＵのシンボルが１２８の総ＯＦＤＭトーンを含む場合は１０８のＯＦＤＭデータトーンを有し、ＰＰＤＵのシンボルが２５６の総ＯＦＤＭトーンを含む場合は２３４のＯＦＤＭデータトーンを有する信号（ＳＩＧ）フィールドシンボルを含み、ＳＩＧフィールドシンボルは、ペイロード内のデータ量又はＰＰＤＵがテレビ放送周波数スペクトルを占有する時間の長さのうちの少なくとも１つを示す。
【図面の簡単な説明】
【００２５】
【図１】テレビホワイトスペース（ＴＶＷＳ）を通じてＷｉＦｉ通信を行うための様々な特徴を実装することができる典型的な動作環境を例示したブロック図である。
【図２】典型的な送信単位、例えば、直交周波数分割多重化（ＯＦＤＭ）シンボル、を例示した図である。
【図３】様々な帯域幅を有する典型的な８０２．１１ａｆ信号に関する信号パラメータ値を特集した表を例示した図である。
【図４】８０２．１１ａｃ送信のための典型的な物理層コンバージェンスプロトコルパケットデータユニット（ＰＰＤＵ）を例示した図である。
【図５】２０、４０、８０、又は１６０ＭＨｚの８０２．１１ａｃ送信のためのＬ−ＳＴＦの典型的なパラメータ／特徴の表を例示した図である。
【図６】４０ＭＨｚ帯域幅８０２．１１ａｃ送信のための幾つかのプリアンブルフィールドのためのデータトーン及びビット情報を示した典型的な表を例示した図である。
【図７】１２８点離散フーリエ変換（ＤＦＴ）設計に基づく８０２．１１ａｆ送信のための典型的なＰＰＤＵを例示した図である。
【図８】１２８点ＤＦＴに基づく４ＭＨｚ乃至８ＭＨｚ帯域幅８０２．１１ａｆ送信のためのＳＴＦの典型的なパラメータ／特徴の表を例示した図である。
【図９】１２８点ＤＦＴ設計に基づく４ＭＨｚ乃至８ＭＨｚ帯域幅８０２．１１ａｆ送信のためのＳＩＧフィールドに関するトーン及びビット情報を示した典型的な表を例示した図である。
【図１０】１２８点ＤＦＴ（例えば、ＦＦＴ）設計に基づく８０２．１１ａｆ送信のための典型的なＰＰＤＵを例示した図である。
【図１１】１２８点ＤＦＴ設計に基づく４ＭＨｚ乃至８ＭＨｚ帯域幅８０２１１．ａｆ送信のためのＢＦ−ＳＩＧフィールドのためのトーン及びビット情報を示した典型的な表を例示した図である。
【図１２】ＳＩＧフィールドの典型的なビットフィールドを示した表を例示した図である。
【図１３】ＢＦ−ＳＩＧフィールドの典型的なビットフィールドを示した表を例示した図である。
【図１４】１２８点ＤＦＴ（例えば、ＦＦＴ）設計に基づく８０２．１１ａｆ送信のための典型的なＰＰＤＵを例示した図である。
【図１５】ＳＩＧフィールドの典型的な内容を含む表を例示した図である。
【図１６】ＳＩＧ−Ｂフィールドの典型的な内容を含む表を例示した図である。
【図１７】様々な帯域幅を有する典型的な８０２．１１ａｆ信号に関する信号パラメータ値を特集した表を例示した図である。
【図１８】８０ＭＨｚ帯域幅８０２．１１ａｃ送信のための幾つかのプリアンブルフィールドのためのデータトーン及びビット情報を示した典型的な表を例示した図である。
【図１９】２５６点ＤＦＴ設計に基づく８０２．１１ａｆ送信のための典型的なＰＰＤＵを例示した図である。
【図２０】２５６点ＤＦＴ設計に基づく４ＭＨｚ乃至８ＭＨｚ帯域幅８０２．１１ａｆ送信のためのＳＴＦの典型的なパラメータ／特徴の表を例示した図である。
【図２１】２５６点ＤＦＴ設計に基づく４ＭＨｚ乃至８ＭＨｚ帯域幅８０２．１１ａｆ送信のためのＳＩＧフィールドのためのトーン及びビット情報を示した典型的な表を例示した図である。
【図２２】ＳＩＧフィールドの典型的な内容を含む表を例示した図である。
【図２３】２５６点ＤＦＴ設計に基づく８０２．１１ａｆ送信のための典型的なＰＰＤＵを例示した図である。
【図２４】ＳＩＧフィールドの典型的なビットフィールドを示した表を例示した図である。
【図２５】送信機において動作可能なテレビ放送周波数スペクトル（例えば、ＴＶＷＳ）での無線通信のための方法のフローチャートを例示した図である。
【図２６】受信機において動作可能なテレビ放送周波数スペクトル（例えば、ＴＶＷＳ）での無線通信のための方法のフローチャートを例示した図である。
【図２７】テレビ放送周波数スペクトルを通じての通信のために好適化することができる典型的な無線デバイスを例示したブロック図である。
【図２８】テレビホワイトスペースチャネルを通じて送信するように好適化することができる典型的な送信機回路／デバイスを例示したブロック図である。
【図２９】テレビの未使用チャネルでの使用のために波形をダウンクロックし及びＰＰＤＵプリアンブルを生成するためのシステム及び方法を実装することができる送信機回路内の一構成を例示したブロック図である。
【図３０】テレビホワイトスペースチャネルを通じての無線送信を受信するように好適化することができる典型的な受信機回路／デバイスを例示したブロック図である。
【図３１】未使用のテレビチャネルでデータ波形を受信するためのシステム及び方法を実装することができる典型的な受信機回路を例示したブロック図である。
【発明を実施するための形態】
【００２６】
次の説明では、本開示の様々な態様についての徹底的な理解を提供することを目的として具体的な詳細が示される。しかしながら、それらの態様は、これらの具体的な詳細なしに実践可能であることが当業者によって理解されるであろう。例えば、回路は、それらの態様を不必要に詳細にすることで曖昧にするのを回避するためにブロック図で示すことができる。その他の例では、よく知られた回路、構造及び技術は、本開示の態様を曖昧にしないために詳細には示されないことがある。
【００２７】
語句“典型的な”は、“１つの例、事例、又は実例を提供すること”を意味するためにここにおいて用いられる。ここにおいて“典型的な”として説明されるいずれの実装又は態様も、本開示のその他の態様よりも好ましい又は有利であるとは必ずしも解釈されるべきではない。同様に、用語“態様”は、本開示の全態様が説明される特徴、利点又は動作モードを含むことを要求するわけではない。ここにおいて使用される場合において、用語“総トーン”及び“総ＯＦＤＭトーン”は、直交周波数分割多重化（ＯＦＤＭ）シンボルが周波数領域において有するデータトーン、パイロットトーン、ＤＣトーン、及びガードトーンの総数を意味する。従って、まさに一例として、１０８のデータトーン、６つのパイロットトーン、３つのＤＣトーン、及び１１のガードトーンを有する周波数領域内のＯＦＤＭシンボルは、定義上、１２８の総トーンである。ここにおいて使用される場合において、用語“トーン”は、“副搬送波”と同じ事柄を意味することもでき、それらの２つの用語は、互換可能な形で使用することができる。
【００２８】
概要
テレビホワイトスペース送信（ＴＶＷＳ）のためのプリアンブル及びペイロードを有する物理層コンバージェンスプロトコルパケットデータユニット（ＰＰＤＵ）を生成及び受信するための方法及び装置が提供される。ＰＰＤＵのシンボルは、１２８の総（直交周波数分割多重化）ＯＦＤＭトーン又は２５６の総ＯＦＤＭトーンを各々含む。プリアンブルは、ＰＰＤＵのシンボルが１２８の総ＯＦＤＭトーンを含む場合は１０８のＯＦＤＭデータトーンを有し又はＰＰＤＵのシンボルが２５６の総ＯＦＤＭトーンを含む場合は２３４のＯＦＤＭデータトーンを有する信号（ＳＩＧ）フィールドシンボルを含む。ＳＩＧフィールドシンボルは、ペイロード内のデータ量又はＰＰＤＵがテレビ放送周波数スペクトルを占有する時間の長さのうちの少なくとも１つを示す。ＰＰＤＵは、ＰＰＤＵの帯域幅がＴＶＷＳチャネル内での使用のために適するそれにまで小さくなるように８０２．１１ａｃ信号をある率だけダウンクロックすることによって生成することができる。本開示の一態様により、４０ＭＨｚ帯域幅８０２．１１ａｃ信号が１２８の総トーンを有する４ＭＨｚ乃至８ＭＨｚ帯域幅８０２．１１ａｆ信号にダウンクロックされ、このため、その結果得られるサイクリックプリフィックス継続時間は、該１ＧＨｚ未満の８０２．１１ａｆ信号が受けやすい高い遅延スプレッドの影響に対処する上で十分に長い。一態様により、プリアンブル継続時間を短縮し及び／又はプリアンブルオーバーヘッドを低減させるために、８０２．１１ａｃ信号の２つのレガシーショートトレーニングフィールド（ＳＴＦ）シンボルが、ダウンクロックされた８０２．１１ａｆ信号内の単一のＳＴＦシンボルに取って代わられる。他の態様により、８０２．１１ａｃ信号（ＳＩＧ）フィールドと８０２．１１ａｃ信号の超高スループット（ＶＨＴ）ＳＩＧ  Ａフィールドと、を備える３つのシンボルが、ダウンクロックされた信号のプリアンブル継続時間をさらに短縮し及び／又はプリアンブルオーバーヘッドをさらに低減させるためにダウンクロックされた８０２．１１ａｆ信号内の単一ＳＩＧフィールドによって取って代わられる。一例により、８０ＭＨｚ帯域幅８０２．１１ａｃ信号は、２５６の総トーンを有する４ＭＨｚ乃至８ＭＨｚ帯域幅８０２．１１ａｆ信号にダウンクロックされる。
【００２９】
典型的なネットワーク環境
図１は、テレビホワイトスペース（ＴＶＷＳ）でのｗｉｆｉ送信を行うための様々な特徴を実装することができる典型的な動作環境を例示したブロック図である。テレビ放送局１０４は、周波数スペクトル内の１つ以上の定義済みチャネルを通じてテレビのコンテンツ又は番組をブロードキャストするように構成することができる。例えば、テレビチャネルは、周波数スペクトル内の６ＭＨｚ又は８ＭＨｚのチャネルセグメントとして定義することができる。テレビ放送局１０４は、１つ以上のテレビ１０６、１０８（及び／又はその他のデバイス）がテレビのコンテンツを受信するように構成することができる相対的に大きなカバレッジエリア又は地域１０２を有することができる。
【００３０】
周波数スペクトル内で１つ以上のチャネルをテレビのコンテンツ又は番組のために定義することができるが、典型的には、所定のカバレッジエリア又は地域１０２内には数多くの未使用チャネルが存在する。時には、チャネルは、隣接するチャネル送信との干渉を回避するために未使用状態にすることができる。しかしながら、より小さいエリア又は地域１１０、１２０、及び／又は１２６内では、未使用のテレビチャネル（ホワイトスペースと呼ばれる）は、ローカル無線ネットワークによるローカルな又はより短い範囲の送信（例えば、ｗｉｆｉネットワーク、ピアツーピア送信、等）のためにその他のデバイスによって再使用することができる。すなわち、ローカル無線ネットワークは、より短い範囲を有するため、それは、より低い送信電力で動作し、該送信は、テレビ放送送信と干渉する可能性がより少ない。
【００３１】
この例では、３つのローカル無線エリアネットワーク１３０、１３２、及び／又は１３４が例示される。第１の無線ネットワーク１３０では、第１の無線ルータ１１２は、第１の地域１１０内の複数の近傍の電子デバイス、例えば、コンピュータ１１４及び／又は携帯電話１１６、への、第１の地域１１０内の複数の近傍の電子デバイス、例えば、コンピュータ１１４及び／又は携帯電話１１６、からの、及び／又は、第１の地域１１０内の複数の近傍の電子デバイス、例えば、コンピュータ１１４及び／又は携帯電話１１６、の間での通信を容易にすることができる。第２の無線ネットワーク１３２では、第２の無線ルータ１２２は、第２の地域１２０内の複数の近傍の電子デバイス、例えば、プリンタ１１８、への、第２の地域１２０内の複数の近傍の電子デバイス、例えば、プリンタ１１８、からの、又は第２の地域１２０内の複数の近傍の電子デバイス、例えば、プリンタ１１８、の間での通信を容易にすることができる。同様に、第３の無線ネットワーク１３４では、第３の無線ルータ１２８は、第３の地域１２６内の複数の近傍の電子デバイスへの、第３の地域１２６内の複数の近傍の電子デバイスからの、又は第３の地域１２６内の複数の近傍の電子デバイス間での通信を容易にすることができる。各無線ルータ１１２、１２２、及び／又は１２８は、近傍の電子デバイスへの無線接続性を提供し、それらがネットワーク内のその他のデバイスと及び／又はその他の（遠隔の）ネットワークのデバイスと通信するのを可能にすることができることに注目すること。
【００３２】
無線ネットワーク１３０、１３２、及び／又は１３４は、重なり合うカバレッジエリアを有することができることが評価されるべきである。従って、互いとの干渉を防止するために様々な無線ネットワークを通じての送信が共存すべきである。ＩＥＥＥ８０２．１１無線仕様では、各無線ネットワーク１３０、１３２、及び／又は１３４は、例えば、アクセスポイント（ルータ）及びそれがサービスを提供する局（電子デバイス）によって定義されたベーシックサービスセット（ＢＳＳ）を実装すると言われる。
【００３３】
一例では、テレビ放送のために利用される周波数スペクトルは、５４乃至７２メガヘルツ（ＭＨｚ）、７６乃至８８ＭＨｚ、１７４乃至２１６ＭＨｚ、及び／又は４７０乃至８０６ＭＨｚの範囲内であることができる。しかしながら、テレビ周波数スペクトル範囲は、異なる領土又は諸国ごとに異なることができる。従って、ここで言及されるホワイトスペースは、周波数スペクトルの異なる範囲にまたがることができる。無線ネットワークのための周波数スペクトルが求められるため、ＩＥＥＥ８０２．１１ａｆ仕様において提案される１つの解決方法は、特定の地域で未使用であるテレビチャネルを再使用することである。
【００３４】
図２は、典型的な送信単位、例えば、直交周波数分割多重化（ＯＦＤＭ）シンボル２００、を例示する。ＯＦＤＭシンボル２００は、サイクリックプリフィックス部と、生（ｒａｗ）シンボル部とを含む。サイクリックプリフィックスの時間領域内の長さは、サイクリックプリフィックス継続時間２０２として表すことができる。同様に、生シンボルの時間領域内の長さは、生シンボル継続時間２０４として表すことができる。まとめて、これらの２つが、総ＯＦＤＭシンボル継続時間２０６を構成する。サイクリックプリフィックスが生シンボルに先行し、前シンボルの最後の一部分が反復される。サイクリックプリフィックスは、前シンボルからのシンボル間干渉を除去するのに役立つガード間隔として働く。それは、周波数選択的マルチパスチャネルの線形畳込みを巡回畳込みとしてモデル化するのも可能にし、離散フーリエ変換を用いて周波数領域に変換することができる。この手法は、単純な周波数領域処理、例えば、チャネル推定及び等化、を考慮する。生シンボルは、例えば、受信機によって究極的に受信及び処理される情報のビットを備えるプリアンブルシンボル又はデータシンボルであることができる。
【００３５】
一態様により、ＩＥＥＥ８０２．１１ｎ又はＩＥＥＥ８０２．１１ａｃ信号は、所定の用途に適する帯域幅を有する８０２．１１ａｆ信号を得るために異なる帯域幅に関して異なる率だけダウンクロックすることができる。ダウンクロックは、送信又は波形の周波数を低減又は低下させることを意味し、それは、サイクリックプリフィックス（ＣＰ）継続時間及びシンボル継続時間をダウンクロック率だけ増大させる。
【００３６】
米国及び日本を含む数カ国では、ＴＶＷＳチャネル帯域幅間隔は、典型的には幅が６ＭＨｚである。隣接チャネル内へのスペクトル漏洩が懸念されることに起因して、信号プロバイダは、チャネル内で送信される実際の信号の帯域幅を全６ＭＨｚ未満に制限することができる。例えば、６ＭＨｚチャネル内の中央に位置する５ＭＨｚ送信は、隣接チャネル内への信号漏洩を低減させるのに役立つように、信号送信の各側に５００ｋＨｚのガード帯を設けることができる。しかしながら、改良されたスペクトルマスク及び／又はフィルタリング技法が、理論上は、信号プロバイダが６ＭＨｚ  ＴＶＷＳチャネル内で最大で６ＭＨｚの帯域幅を有する信号を送信するのを可能にすることができる。多くの欧州諸国を含むその他の諸国では、ＴＶＷＳチャネル帯域幅間隔は、典型的には幅が８ＭＨｚである。８ＭＨｚ  ＴＶＷＳチャネル帯域幅を採用する幾つかの地域での緩いスペクトル漏洩制限に起因して、信号プロバイダは、８ＭＨｚ  ＴＶＷＳチャネル内で最大で８ＭＨｚの帯域幅を有する信号を送信することができる。その他の地域では、上記のＴＶＷＳチャネル帯域幅間隔と異なるそれらを有しており、例えば、７ＭＨｚを含む４ＭＨｚ乃至８ＭＨｚ、の範囲であることができる。
【００３７】
１２８点ＤＦＴ設計に関する典型的なＴＶＷＳプリアンブル
図３は、様々な帯域幅を有する典型的な８０２．１１ａｆ信号（信号Ａ、信号Ｂ、信号Ｃ、信号Ｄ）に関する信号パラメータ値を特集した表を例示する。信号Ａは、２０ＭＨｚ帯域幅８０２．１１ａｃ信号を４の率だけダウンクロックすることによって導き出される５ＭＨｚ帯域幅８０２．１１ａｆ信号である。信号Ｂは、４０ＭＨｚ帯域幅８０２．１１ａｃ信号を８の率だけダウンクロックすることによって導き出される５ＭＨｚ帯域幅８０２．１１ａｆ信号である。信号Ｃは、４０ＭＨｚ帯域幅８０２．１１ａｃ信号を６．６６７（すなわち、４０÷６）の率だけダウンクロックすることによって導き出される６ＭＨｚ帯域幅８０２．１１ａｆ信号である。信号Ｄは、４０ＭＨｚ帯域幅８０２．１１ａｃ信号を５の率だけダウンクロックすることによって導き出される８ＭＨｚ帯域幅８０２．１１ａｆ信号である。例示されるように、２０ＭＨｚ送信を４の率だけダウンクロックすることは、サイクリックプリフィックス継続時間及び総シンボル継続時間を同じ率だけ増大させる。すなわち、サイクリックプリフィックス継続時間は、０．８μｓｅｃから３．２μｓｅｃに増大し、総シンボル継続時間は、４μｓｅｃから１６μｓｅｃに増大する。同様に、４０ＭＨｚ送信を８の率だけダウンクロックすることは、サイクリックプリフィックス継続時間を０．８μｓｅｃから６．４μｓｅｃに増大させ、総シンボル継続時間を４μｓｅｃから３２μｓｅｃに増大させる。４０ＭＨｚ送信を６．６６７（すなわち、４０÷６）の率だけダウンクロックすることは、サイクリックプリフィックス継続時間を０．８μｓｅｃから５．３３μｓｅｃに増大させ、総シンボル継続時間を４μｓｅｃから２６．６７μｓｅｃに増大させる。４０ＭＨｚ送信を５の率だけダウンクロックすることは、サイクリックプリフィックス継続時間を０．８μｓｅｃから４μｓｅｃに増大させ、総シンボル継続時間を４μｓｅｃから２０μｓｅｃに増大させる。ダウンクロック率にかかわらず、信号Ａ、Ｂ、Ｃ、及びＤに関するシンボル送信を構成する総トーン数は一定である。すなわち、信号Ａの場合が６４の総トーン、信号Ｂ、Ｃ、及びＤの場合が１２８の総トーンである。
【００３８】
典型的なＴＶＷＳスペクトルは１ＧＨｚ未満であり、ＴＶＷＳデバイスは共通して屋外環境で動作するため、ＴＶＷＳ送信は、高い遅延スプレッドを受けやすい。従って、遅延スプレッドの影響に対して十分な保護を提供し及びシンボル間干渉（ＩＳＩ）を低減させる上で十分に長いサイクリックプリフィックス継続時間を有するのが望ましい。従って、本開示の一態様により、４ＭＨｚ乃至８ＭＨｚ８０２．１１ａｆ信号を生成するために４０ＭＨｚ及び８０ＭＨｚ帯域幅８０２．１１ａｃ信号をダウンクロックすることは、２０ＭＨｚ帯域幅８０２．１１ａｃ信号をダウンクロックするよりも好ましいことであることができ、その理由は、４０ＭＨｚ及び８０ＭＨｚ信号をダウンクロックした方がより長いサイクリックプリフィックス継続時間が得られるためである。４ＭＨｚ乃至８ＭＨｚ  ８０２．１１ａｆ信号を生成するために４０ＭＨｚ  ８０２．１１ａｃ信号を５乃至１０の率でダウンクロックし、８０ＭＨｚ  ８０２．１１ａｃ信号を１０乃至２０の率だけダウンクロックした結果得られるより長いサイクリックプリフィックス継続時間は、遅延スプレッドの影響から保護するのに役立ち及びＩＳＩを低減させる。しかしながら、ここにおいてさらに詳細に説明されるように、大きなダウンクロック率の結果として必然的に生じるプリアンブルの増大されたシンボル継続時間が不満足なほどに大きいプリアンブルオーバーヘッドを生じさせないようにするために８０２．１１ａｆ信号のプリアンブル継続時間も同様に最短にするためのステップを講じることができる。
【００３９】
本開示の一態様により、“通常のガード間隔”は、生シンボル継続時間２０４の１／４に等しいサイクリックプリフィックス継続時間２０２であることができる。対照的に、“短いガード間隔”は、生シンボル継続時間の１／８に等しいサイクリックプリフィックス継続時間２０２であることができる。一例として、１２８の総トーンを有する４ＭＨｚ８０２．１１ａｆシンボル（例えば、ペイロードシンボル）は、通常のガード間隔（例えば、３２の総トーン）として働く８μｓｅｃのサイクリックプリフィックスを利用することができる。代わりに、１２８の総トーンを有する４ＭＨｚ８０２．１１ａｆペイロードシンボルは、短いガード間隔（例えば、１６の総トーン）として働くより短い４μｓｅｃのサイクリックプリフィックスを利用することができる。１つのサンプル当たり２５０ナノ秒（ｎｓ）（すなわち、１÷４ＭＨｚ）の時点で、１２８の総トーンを備える各シンボルは、３２μｓｅｃ（１２８×２５０ｎｓ）の継続時間を有する。従って、通常のガード間隔を使用するペイロード２０４シンボルは、４０μｓｅｃの総シンボル継続時間を有する。対照的に、短いガード間隔を使用するペイロードシンボルは、３６μｓｅｃの総シンボル継続時間を有する。他の例として、１２８の総トーンを有する５ＭＨｚ  ８０２．１１ａｆペイロードシンボルは、通常のガード間隔（例えば、３２の総トーン）として働く６．４μｓｅｃのサイクリックプリフィックスを利用することができる。代わりに、１２８の総トーンを有する５ＭＨｚ  ８０２．１１ａｆペイロードシンボルは、短いガード間隔（例えば、１６の総トーン）として働くより短い３．２μｓｅｃのサイクリックプリフィックスを利用することができる。１つのサンプル当たり２００ナノ秒（ｎｓ）（すなわち、１÷５ＭＨｚ）の時点で、１２８の総トーンを備える各シンボルは、２５．６μｓｅｃ（１２８×２００ｎｓ）の継続時間を有する。従って、通常のガード間隔を使用するペイロードシンボルは、３２μｓｅｃの総シンボル継続時間を有する。対照的に、短いガード間隔を使用するペイロードシンボルは、２８．８μｓｅｃの総シンボル継続時間を有する。他の例として、１２８の総トーンを有する６ＭＨｚ  ８０２．１１ａｆペイロードシンボルは、通常のガード間隔（例えば、３２の総トーン）として働く５．３３３（すなわち、１６÷３）μｓｅｃのサイクリックプリフィックスを利用することができる。代わりに、１２８の総トーンを有する６ＭＨｚ  ８０２．１１ａｆペイロードシンボルは、短いガード間隔（例えば、１６の総トーン）として働くより短い２．６６７（すなわち、８÷３）μｓｅｃのサイクリックプリフィックスを利用することができる。１つのサンプル当たり１６６．６６７ナノ秒（ｎｓ）（すなわち、１÷６ＭＨｚ）の時点で、１２８の総トーンを備える各シンボルは、２１．３３３μｓｅｃ（１２８×１６６．６６７ｎｓ）の継続時間を有する。従って、通常のガード間隔を使用するペイロードシンボルは、２６．６６７μｓｅｃの総シンボル継続時間を有する。対照的に、短いガード間隔を使用するペイロードシンボルは、２４μｓｅｃの総シンボル継続時間を有する。他の例として、１２８の総トーンを有する８ＭＨｚ  ８０���．１１ａｆペイロードシンボルは、通常のガード間隔（例えば、３２の総トーン）として働く４μｓｅｃのサイクリックプリフィックスを利用することができる。代わりに、１２８の総トーンを有する８ＭＨｚ  ８０２．１１ａｆペイロードシンボルは、短いガード間隔（例えば、１６の総トーン）として働くより短い２μｓｅｃのサイクリックプリフィックスを利用することができる。１つのサンプル当たり１２５ナノ秒（ｎｓ）（すなわち、１÷８ＭＨｚ）の時点で、１２８の総トーンを備える各ペイロードシンボルは、１６μｓｅｃ（１２８×１２５ｎｓ）の継続時間を有する。従って、通常のガード間隔を使用するペイロードシンボルは、２０μｓｅｃの総シンボル継続時間を有する。対照的に、短いガード間隔を使用するシンボルは、１８μｓｅｃの総シンボル継続時間を有する。
【００４０】
図４は、８０２．１１ａｃ送信のための典型的な物理層コンバージェンスプロトコルパケットデータユニット（ＰＰＤＵ）４００を例示する。ここにおいて説明される様々な例は、複数の層を有する通信プロトコルの物理層（ＰＨＹ）又は層１における送信、信号、及び／又は波形を参照している。物理層は、ネットワークの基本的なネットワーク化ハードウェア送信技術及び／又はプロトコルを定義することができる。それは、ネットワーク内の高位の機能の論理的データ構造の根底にある基礎層である。物理層は、ネットワークノードを接続する物理リンクを通じて論理的データパケットではなく生ビットを送信する手段を定義することができる。物理層は、送信媒体への電気的、機械的、及び／又は手続き上のインタフェースをしばしば提供する。電気的コネクタの形状と性質、放送周波数、使用すべき変調方式、及び同様の低レベルのパラメータが物理層又は層１によって規定される。
【００４１】
例示されたＰＰＤＵ４００は、例えば、２０、４０、８０、及び１６０ＭＨｚ帯域幅８０２．１１ａｃ送信において使用することができる。ＰＰＤＵ４００は、プリアンブル部４０２とデータ部４０４とを備える。プリアンブル４０２は、レガシーショートトレーニングフィールド（Ｌ−ＳＴＦ）４１０と、レガシーロングトレーニングフィールド（Ｌ−ＬＴＦ）４１２と、レガシー信号（Ｌ−ＳＩＧ）フィールド４１４と、超高スループットショートトレーニングフィールド（ＶＨＴ−ＳＴＦ）４１８と、超高スループットロングトレーニングフィールド（ＶＨＴ−ＬＴＦ）４２０と、超高スループット信号Ｂ（ＶＨＴ−ＳＩＧ  Ｂ）フィールド４２２と、を備えることができる。一例により、Ｌ−ＳＴＦ４１０は、継続時間が２つのＯＦＤＭシンボルであり、Ｌ−ＬＴＦ４１２は、２つのＯＦＤＭシンボルであり、Ｌ−ＳＩＧフィールド４１４は、１つのＯＦＤＭシンボルであり、ＶＨＴ−ＳＩＧ  Ａフィールド４１６は、２つのＯＦＤＭシンボル（例えば、ＶＨＴ−ＳＩＧ  Ａ１及びＶＨＴ−ＳＩＧ  Ａ２）であり、ＶＨＴ−ＳＴＦ４１８は、１つのＯＦＤＭシンボルであり、ＶＨＴ−ＬＴＦ４２０は、１つのＯＦＤＭシンボルであり、ＶＨＴ−ＳＩＧ  Ｂフィールド４２２は、２つのＯＦＤＭシンボルである。
【００４２】
Ｌ−ＳＴＦ４１０、Ｌ−ＬＴＦ４１２、Ｌ−ＳＩＧ４１４、及びＶＨＴ−ＳＩＧ  Ａ４１６フィールドは、無指向性方式で送信することができ、ＶＨＴ−ＳＴＦ４１８、ＶＨＴ−ＬＴＦ４２０、及びＶＨＴ−ＳＩＧ  Ｂフィールド４２２は、ビーム形成又は空間分割多元接続（ＳＤＭＡ）プリコーディングすることができる。Ｌ−ＳＴＦ４１０、Ｌ−ＬＴＦ４１２、Ｌ−ＳＩＧ４１４、及びＶＨＴ−ＳＩＧ  Ａフィールド４１６は、レガシーデバイス（例えば、レガシーの又はより早期の仕様、例えば、８０２．１１ａ、８０２．１１ｎ、等に準拠するデバイス）によって復号することができ、他方、その他のフィールド４１８、４２０、４２２は、幾つかの８０２．１１ａｃデバイスによって復号することができることが注目されるべきである。Ｌ−ＳＴＦ４１０及びＬ−ＳＴＦ４１８は、予め定義された回数だけ繰り返すパターンを含み、高速利得制御、タイミングオフセット推定、及び周波数オフセット推定のために使用することができる。Ｌ−ＬＴＦ４１２及びＶＨＴ−ＬＴＦ４２０は、チャネル推定及び微周波数取得（ｆｉｎｅ  ｆｒｅｑｅｕｎｃｙ  ａｃｑｕｉｓｉｔｉｏｎ）のために使用される。ＳＩＧフィールド４１４は、送信のデータレート、ＰＰＤＵ又はフレーム内の残りのデータの長さ、及び／又は送信が無線媒体をどの程度の長さだけ占有するかを示すことができ、このため、例えば、幾つかのデバイスは、それらの送信を正確な時間量だけ延期することができる。
【００４３】
図５は、２０、４０、８０、又は１６０ＭＨｚ  ８０２．１１ａｃ送信のためのＬ−ＳＴＦ４１０の典型的なパラメータ／特徴の表６００を例示する。上述されるように、Ｌ−ＳＴＦ４１０は、長さが２つのＯＦＤＭシンボルであることができる。周波数領域内でＬ−ＳＴＦ４１０シンボルの４つ目のトーンごとにポピュレート（ｐｏｐｕｌａｔｅ）することができ、このため、時間領域内のパターンは、結果的に８００ナノ秒（ｎｓ）に等しい繰り返し間隔を有することになる。従って、各々の４μｓｅｃＬ−ＳＴＦ４１０  ＯＦＤＭシンボル（サイクリックプリフィックスを含む）は、ＳＴＦパターンの５回の繰り返しを含むことができ、このため、２つのＬ−ＳＴＦ４１０シンボル間ではＳＴＦパターンの合計１０回の繰り返し（すなわち、短いシンボル）が存在する。
【００４４】
図６は、４０ＭＨｚ帯域幅８０２．１１ａｃ送信のための幾つかのプリアンブルフィールドのためのデータトーン及びビット情報を示す典型的な表６００を例示する。示されるように、４０ＭＨｚ送信は、各々のＬ−ＳＩＧフィールド４１４及びＶＨＴ−ＳＩＧ  Ａフィールド４１６シンボルを送信するために９６のデータトーンを利用するが、４０ＭＨｚ帯域幅複合送信の各々の２０ＭＨｚ帯域幅サブバンド内で（例えば、２相偏移変調（ＢＰＳＫ）及び１／２レートコーディングを使用）最大で２４の一意のデータビットを送信するためにわずか４８のデータトーンが使用される。すなわち、４０ＭＨｚ  ８０２．１１ａｃ信号が送信されるときには、Ｌ−ＳＩＧ４１４及びＶＨＴ−ＳＩＧ  Ａ４１６フィールドの内容（Ｌ−ＳＴＦ４１０及びＬ−ＬＴＦ４１２に関しても同じことが当てはまる）がコピーされ、複素数によって４０ＭＨｚ信号の各々の２０ＭＨｚサブバンドに合わせてスケーリングされる。従って、４０ＭＨｚ送信が２０ＭＨｚ送信の２倍の総トーン数を有している場合でも、それは、４８のデータトーンで一意のＬ−ＳＩＧフィール及びＶＨＴ−ＳＩＧ  Ａフィールド４１６しか送信することができない。例えば、４８データトーン内のＬ−ＳＩＧフィールド４１４情報を符号化するために２４ビットが使用される場合は、４０ＭＨｚ信号の各々の２０ＭＨｚサブバンドは、同じ２４ビットの情報を含むことになる。同様に、８０ＭＨｚ及び１６０ＭＨｚ帯域幅８０２．１１ａｃ送信は、それぞれ、４つ及び８つの２０ＭＨｚサブバンドにおいて同じＬ−ＳＴＦ４１０、Ｌ−ＬＴＦ４１２、Ｌ−ＳＩＧ４１４、及びＶＨＴ−ＳＩＧ  Ａフィールド４１６の情報を複製する。各２０ＭＨｚのサブバンドでこの情報が複製される理由は、レガシーデバイスが共存しているためである（例えば、８０２．１１ａ、８０２．１１ｎ、等）。すなわち、２０ＭＨｚ信号内のデータしか受信することができない８０２．１１ａ及び／又は８０２．１１ｎレガシーデバイスが、２０ＭＨｚサブバンド内のプリアンブル情報を依然として受信及び復号することができる。
【００４５】
図７は、本開示の一態様による１２８点離散フーリエ変換（ＤＦＴ）（例えば、ここでは、ＤＦＴは、高速フーリエ変換（ＦＦＴ）設計を用いて実装することができる）設計に基づく８０２．１１ａｆ送信のための典型的なＰＰＤＵ７００を例示する。ＰＰＤＵ７００は、例えば、４０ＭＨｚ  ８０２．１１ａｃ送信をダウンクロックすることによって生成される、例えば４−８ＭＨｚ帯域幅８０２．１１ａｆ送信において使用することができる。一態様により、ＰＰＤＵ７００は、単一ユーザ（ＳＵ）送信用である。ＰＰＤＵ７００は、プリアンブル部７０２とデータ部７０４とを備える。プリアンブル７０２は、ショートトレーニングフィールド（ＳＴＦ）７１０と、ロングトレーニングフィールド（ＬＴＦ）７１２と、信号（ＳＩＧ）フィールド７１４と、を備えることができる。任意選択で、プリアンブル７０２は、追加の空間ストリームのための１つ以上の多入力多出力（ＭＩＭＯ）ロングトレーニングフィールド７１６を備えることもできる。ＬＴＦ７１２は、１つの空間ストリームに対応する。各々の追加の空間ストリーム（存在する場合）は、それ自体の別個のＬＴＦを要求する。従って、４空間ストリーム送信は、ＬＴＦ７１２及び３つの追加のＭＩＭＯ  ＬＴＦ７１６を有することになる。顕著なことであるが、ＳＴＦ７１０、ＬＴＦ７１２、ＳＩＧフィールド７１４、及びＭＩＭＯ  ＬＴＦ７１６は、例えば、単一ユーザ受信局に対して無線指向性方式で送信することができる。
【００４６】
一例により、ＳＴＦ７１０は、継続時間が１つのＯＦＤＭシンボルであり、ＬＴＦ７１２は、２つのＯＦＤＭシンボルであり、ＳＩＧフィールド７１４は、１つのＯＦＤＭシンボルである。ＳＴＦ７１０は、予め定義された回数だけ繰り返すパターンであり、高速利得制御、タイミングオフセット推定、及び周波数オフセット推定のために使用することができる。ＬＴＦ７１２は、チャネル推定及び微周波数取得のために使用することができる。ＳＩＧフィールド７１４は、ＰＰＤＵ７００内の総データ量（例えば、バイト、ビット、等）、ＰＰＤＵ内の残りのデータ量、又はＰＰＤＵ７００のペイロード部７０４内のデータ量を示すことができる。代替として、ＳＩＧフィールド７１４は、ＰＰＤＵ７００のデータレートを示すことができる。他の態様では、ＳＩＧフィールド７１４は、ＰＰＤＵ７００の時間の全長（例えば、秒、シンボル数、等）、ＰＰＤＵ７００内の残り時間の長さ、又はペイロード部７０４の時間の長さを示すことができる。ＭＩＭＯ  ＬＴＦ７１６シンボルは、各々の追加の（存在する場合）空間ストリームに関するチャネル推定及び微周波数取得を提供する。具体的には、１つの追加の空間ストリームに関して１つのＭＩＭＯ  ＬＴＦ７１６シンボル、及び２つ又は３つの追加の空間ストリームに関して３つのＭＩＭＯ  ＬＴＦ７１６シンボルが存在することができる。
【００４７】
上述されるように、ＰＰＤＵ７００は、１２８点ＦＦＴ設計に基づくことができ、送信の帯域幅は、例えば、４ＭＨｚ乃至８ＭＨｚの範囲にわたることができ、サンプル継続時間範囲は、２５０ｎｓ（すなわち、１÷４ＭＨｚ）乃至１２５ｎｓ（すなわち、１÷８ＭＨｚ）になる。例えば、５ＭＨｚの送信は、２００ｎｓのサンプルを有することになる。４０ＭＨｚ８０２．１１ａｃ送信を８のダウンクロック率だけダウンクロックすることによって５ＭＨｚ帯域幅８０２．１１ａｆ  ＰＰＤＵ７００を得ることができる。４０ＭＨｚ８０２．１１ａｃ送信を６．６６７のダウンクロック率（すなわち、４０÷６）だけダウンクロックすることによって６ＭＨｚ帯域幅８０２．１１ａｆ  ＰＰＤＵ７００を得ることができる。４０ＭＨｚ８０２．１１ａｃ送信を５のダウンクロック率だけダウンクロックすることによって８ＭＨｚ帯域幅８０２．１１ａｆ  ＰＰＤＵ７００を得ることができる。概して、４０ＭＨｚ８０２．１１ａｃ送信を４０÷Ｘのダウンクロック率だけダウンクロックすることによって帯域幅Ｘ  ＭＨｚを有する８０２ａｆ  ＰＰＤＵ７００を得ることができる。本開示の一態様では、値Ｘは、４乃至８のあらゆる値であることができる。例えば、４０ＭＨｚ８０２．１１ａｃ送信を７．２７（すなわち、４０÷５．５）のダウンクロック率だけダウンクロックすることによって５．５ＭＨｚ帯域幅８０２．１１ａｆ  ＰＰＤＵ７００を得ることができる。
【００４８】
図８は、本開示の一態様による１２８点ＤＦＴ（例えば、ＦＦＴ）設計に基づく４ＭＨｚ乃至８ＭＨｚ帯域幅８０２．１１ａｆ送信に関するＳＴＦ７１０の典型的なパラメータ／特徴の表８００を例示する。ＳＴＦ７１０は、受信利得制御アルゴリズムが受信された信号強度を素早く測定することを可能にする繰り返し間隔、及び、ＰＰＤＵ７００の正確な検出を保証する上で十分な繰り返しも有するべきである。しかしながら、プリアンブル７０２継続時間が短く維持され及びプリアンブルオーバーヘッドが低く維持されるようにＳＴＦ７１０の総継続時間は不必要に長い（すなわち、正確なＰＰＤＵ７００検出を保証するために必要なよりも長い）べきではない。図３に示されるように、５ＭＨｚ帯域幅８０２．１１ａｆ信号を生成するために２０ＭＨ帯域幅８０２．１１ａｃ信号が４の率だけダウンクロックされる場合は、各シンボルに関する総シンボル継続時間は、例えば、４μｓｅｃから１６μｓｅｃに増大する。８０２．１１ａｃ信号は、２つのＬ−ＳＴＦ４１０シンボルを有するため（図４参照）、Ｌ−ＳＴＦ４１０の総継続時間は、例えば、８μｓｅｃから３２μｓｅｃに増大する。同様に、５ＭＨｚ帯域幅８０２．１１ａｆ信号を生成するために４０ＭＨ帯域幅８０２．１１ａｃ信号を８の率だけダウンクロックすることは、Ｌ−ＳＴＦ４１０の総継続時間を、例えば、８μｓｅｃから６４μｓｅｃに増大させる。しかしながら、正確なＰＰＤＵ検出のために必要なＳＴＦの継続時間は、帯域幅の関数であるため、６４μｓｅｃのＳＴＦ継続時間は、５ＭＨｚの信号に関しては不必要に長い可能性がある。従って、この例では、３２μｓｅｃＳＴＦ継続時間でも５ＭＨｚ帯域幅８０２．１１ａｆ信号に関しては十分であることができる。従って、一態様により、正確なＰＰＤＵ検出のために必要なＳＴＦ継続時間が不必要に長い値（例えば、必要な長さの２倍）まで増大せず、及び８０２．１１ａｆ  ＰＰＤＵ７００に関するプリアンブルオーバーヘッドが最小化されるようにするためにプリアンブル７０２のＳＴＦ７１０内で使用されるＯＦＤＭシンボル数は２つのシンボルからちょうど１つのシンボルに減少される。
【００４９】
さらに、典型的な８０２．１１ａｃ信号送信は、各ＳＴＦシンボル内でシーケンス／パターンの５回の繰り返し（すなわち、短いシンボル）を含み、このため、ＳＴＦ７００内には合計１０の短いシンボルが存在する。一態様により、ＰＰＤＵ７００の単一のＳＴＦ７１０シンボル内でのＳＴＦシーケンスの総繰り返し数をＰＰＤＵ４００の２つのＳＴＦ４１０シンボルと同じに維持するために、周波数領域においてＳＴＦ７１０シンボルの８つ目のトーンごとにポピュレートすることができる。８つ目のトーンごとにポピュレートすることは、その結果として、ＳＴＦ７１０生シンボル内で８つの繰り返し間隔を有する繰り返しパターンが時間領域で生じる。生シンボル継続時間２０４（すなわち、通常のガード間隔）の１／４に等しいサイクリックプリフィックス継続時間２０２を有する８０２．１１ａｆ送信に関しては、ＳＴＦ７１０  ＯＦＤＭシンボル（サイクリックプリフィックスを含む）は、１つのＯＦＤＭシンボル内でＳＴＦパターンの１０回の繰り返し（すなわち、短いシンボル）を有することができる。
【００５０】
８つ目のトーンがポピュレートされる４ＭＨｚ乃至８ＭＨｚの範囲の帯域幅を有する１２８点ＤＦＴ（例えば、ＦＦＴ）設計に基づく８０２．１１ａｆ  ＳＴＦ７１０シンボル送信は、４μｓｅｃ（すなわち、（１２８サンプル÷８）×サンプル当たり２５０ｎｓ）乃至２μｓｅｃ（すなわち、（１２８サンプル÷８）×サンプル当たり１２５ｎｓ）の範囲のＳＴＦ繰り返し間隔をそれぞれ有することになる。例えば、５ＭＨｚ帯域幅８０２．１１ａｆ送信は、３．２μｓｅｃに等しい繰り返し間隔を有するＳＴＦ７１０シンボルを有することになる。他の例として、５．５ＭＨｚ帯域幅８０２．１１ａｆ送信は、約２．９０９μｓｅｃの繰り返し間隔を有するＳＴＦ７１０シンボルを有することになる。６ＭＨｚ帯域幅８０２．１１ａｆ送信は、約２．６６７μｓｅｃの繰り返し間隔を有するＳＴＦ７１０シンボルを有することになる。ＳＴＦ７１０の総継続時間は、８ＭＨｚ帯域幅８０２．１１ａｆ  ＰＰＤＵ７００の場合は２０μｓｅｃであることができる。ＳＴＦ７１０の総継続時間は、４ＭＨｚ帯域幅８０２．１１ａｆ  ＰＰＤＵ７００の場合は４０μｓｅｃであることができる。従って、ＳＴＦ７１０総継続時間は、２０μｓｅｃ乃至４０μｓｅｃの範囲であることができる。他の態様により、ＳＴＦ７１０シンボルの１６番目のトーンごとにポピュレートすることができる。
【００５１】
本開示の一態様により、ＳＴＦ７１０は、２つのシンボルを含むことができ、各々が１０の短いシンボルを有する。他の態様により、ＳＴＦ７１０の４つ目のトーンごとにポピュレートすることができ、このため、各ＳＴＦ７１０シンボルは、ちょうど５つの短いシンボルを含む。該事例では、ＳＴＦ７１０は、２つのシンボルを含むことができ、このため、ＳＴＦ７１０は、合計１０の短いシンボルを有する。
【００５２】
図９は、一態様による１２８点ＤＦＴ（例えば、ＦＦＴ）設計に基づく４ＭＨｚ乃至８ＭＨｚ帯域幅８０２．１１ａｆ送信のためのＳＩＧフィールド７１４のためのトーン及びビット情報を示す典型的な表９００を例示する。示される例では、単一シンボルＳＩＧフィールド７１４は、１０８のデータトーン、６つのパイロットトーン、３つのＤＣトーン、及び１１のガードトーン（例えば、送信帯域幅の一方の側に６トーン及び他方の側に５トーン）が特徴である。図６に関して上述される４０ＭＨｚ帯域幅８０２．１１ａｃ信号のＬ−ＳＩＧフィールド４１４及びＶＨＴ−ＳＩＧ  Ａフィールド４１６と異なり、ＳＩＧフィールド７１４情報は、４乃至８ＭＨｚ帯域幅８０２．１１ａｆ送信のいずれのサブバンドでもコピーして繰り返す必要がなく、その理由は、複合送信のサブバンドを復号することのみが可能なレガシーデバイスとの共存はここでは関心事でないためである。従って、８０２．１１ａｆ送信は、ＳＩＧフィールド７１４を生成するために１２８の総トーン範囲全体を利用することができる。これは、ＳＩＧフィールド７１４が単一のＯＦＤＭシンボルで一意のビットの情報を送信するために１０８のデータトーンを利用するのを可能にし、他方、Ｌ−ＳＩＧフィールド４１４及びＶＨＴ−ＳＩＧ  Ａフィールド４１６は、単一のＯＦＤＭシンボルで一意のビットの情報を送信するために４８のデータトーンを使用することに制限される。一態様により、ＢＰＳＫ及び１／２レートコーディングを使用することは、ＳＩＧフィールド７１４が単一のＯＦＤＭシンボルで１０８のデータトーンを通じて５４ビットの情報を送信するのを可能にする。従って、８０２．１１ａｃ送信のＬ−ＳＩＧフィールド４１４及びＶＨＴ−ＳＩＧ  Ａフィールド４１６内で３つのＯＦＤＭシンボルで送信される同じタイプのデータの多くを、８０２．１１ａｆ送信に関する単一のＳＩＧフィールド７１４内で送信することができる。これは、８０２．１１ａｆ  ＰＰＤＵ７００に関するプリアンブルオーバーヘッドをさらに低減させる。ここではＢＰＳＫ及び１／２レートコーディングが例として使用されるが、ここにおけるシステム及び方法によりその他の変調方式及び／又はコーディングレートを使用することができ、それは、異なる数のビットを各シンボルに含めることを可能にすることが注目されるべきである。
【００５３】
ＳＩＧフィールド７１４と同様に、ＬＴＦ７１２シンボル及びＭＩＭＯ  ＬＴＦ７１６も、１０８のデータトーン、６つのパイロットトーン、３つのＤＣトーン、及び１１のガードトーン（例えば、送信帯域幅の一方の側に６トーン、他方の側に５トーン）を利用することができる。
【００５４】
本開示の一態様により、ＳＩＧフィールド７１４内で利用可能な総トーン数のうちのデータトーン数は、１０８のデータトーンに制限されない。具体的には、データトーン数は、１０８よりも少ないこと又は多いことができる。例えば、本開示の一態様により、ＳＩＧフィールド７１４情報（例えば、図１２に示されるデータの一部分であり、ＰＰＤＵ７００及び／又はペイロード７０４の送信のための残りのデータ量又は時間の長さを含む）を送信するために１２８の総トーンのうちの４９以上のデータトーンを利用することができる。一態様により、ＳＩＧフィールド７１４情報を送信又は受信するために使用されるデータトーン数は、利用可能な総データトーン数（例えば、１２８の総トーン）の３９％以上であることができる。他の態様により、ＳＩＧフィールド７１４情報を送信又は受信するために使用されるデータトーン数は、利用可能な総データトーン数（例えば、１２８の総トーン）の５０％、６０％、７０％、８０％、又は９０％であることができる。他の態様により、ＳＩＧフィールド７１４情報を送信又は受信するために使用されるデータトーン数は、利用可能な総データトーン数（例えば、１２８の総トーン）の６０％以上であることができる。さらに他の態様により、ＳＩＧフィールド７１４情報を送信又は受信するために使用されるデータトーン数は、利用可能な総データトーン数（例えば、１２８の総トーン）の７０％以上であることができる。さらに他の態様により、ＳＩＧフィールド７１４情報を送信又は受信するために使用されるデータトーン数は、利用可能な総データトーン数（例えば、１２８の総トーン）の８０％以上であることができる。
【００５５】
このようにして、８０２．１１ａｆ  ＰＰＤＵ７００に関するプリアンブル（例えば、ＳＴＦ７１０、ＬＴＦ７１２、及びＳＩＧフィールド７１４）は、単一ユーザ、単一空間ストリームに関して４つのＯＦＤＭシンボルしか要求しない。対照的に、対応する８０２．１１ａｃ  ＰＰＤＵ４００のプリアンブル（例えば、Ｌ−ＳＴＦ４１０、Ｌ−ＬＴＦ４１２、Ｌ−ＳＩＧフィールド４１４、ＶＨＴ−ＳＩＧ  Ａフィールド４１６、ＶＨＴ−ＳＴＦ４１８、ＶＨＴ−ＬＴＦ４２０、及びＶＨＴ−ＳＩＧ−Ｂ４２２）は、１０のＯＦＤＭシンボルを要求する。８０２．１１ａｆ  ＰＰＤＵの低減されたプリアンブルオーバーヘッドは、所定の８０２．１１ａｆ送信に関して８０２．１１ａｆ  ＰＰＤＵのデータ部７０４内でより多くのデータを送信することを可能にする。概して、４つのプリアンブルシンボル（例えば、ＳＴＦ７１０、ＬＴＦ７１２、及びＳＩＧフィールド７１４）を有する１２８点ＤＦＴに基づくＸ  ＭＨｚ帯域幅８０２．１１ａｆ  ＰＰＤＵ７００は、４×（（３２＋１２８）×（１÷Ｘ））μｓｅｃに等しい総プリアンブル継続時間を有することができる（ここで、Ｘは、例えば、４乃至１０の間のいずれかの値であることができる）。従って、一態様により、４つのプリアンブルシンボル（例えば、ＳＴＦ７１０、ＬＴＦ７１２、及びＳＩＧフィールド７１４）を有する１２８点ＤＦＴに基づく５ＭＨｚ帯域幅８０２．１１ａｆ  ＰＰＤＵ７００は、１２８μｓｅｃの総プリアンブル継続時間を有する。他の態様により、４つのプリアンブルシンボル（例えば、ＳＴＦ７１０、ＬＴＦ７１２、及びＳＩＧフィールド７１４）を有する６ＭＨｚ帯域幅８０２．１１ａｆ  ＰＰＤＵ７００は、１０６．６７μｓｅｃの総プリアンブル継続時間を有する。他の態様により、４つのプリアンブルシンボル（例えば、ＳＴＦ７１０、ＬＴＦ７１２、及びＳＩＧフィールド７１４）を有する８ＭＨｚ帯域幅８０２．１１ａｆ  ＰＰＤＵ７００は、８０μｓｅｃの総プリアンブル継続時間を有する。従って、４ＭＨｚ乃至８ＭＨｚ８０２．１１ａｆ  ＰＰＤＵ７００に関する４つのシンボルプリアンブルの総継続時間は、８０μｓｅｃ乃至１６０μｓｅｃの範囲であることができる。
【００５６】
図１０は、本開示の一態様による１２８点ＤＦＴ（例えば、ＦＦＴ）設計に基づく８０２．１１ａｆ送信のための典型的なＰＰＤＵ１０００を例示する。一態様により、ＰＰＤＵ１０００は、多ユーザ８０２．１１ａｆ送信又は単一ユーザ（ＳＵ）ビーム形成８０２．１１ａｆ送信のために使用することができる。ＰＰＤＵ１０００は、例えば４０ＭＨｚ８０２．１１ａｃ信号をダウンクロックすることによって生成される例えば４乃至８ＭＨｚ帯域幅８０２．１１ａｆ送信において使用することができる。ＰＰＤＵ１０００は、プリアンブル部１００２とデータ部１００４とを備える。プリアンブル１００２は、図７に関して上述されるように、ショートトレーニングフィールド（ＳＴＦ）７１０と、ロングトレーニングフィールド（ＬＴＦ）７１２と、信号（ＳＩＧ）フィールド７１４と、を備えることができる。しかしながら、この例では、ＰＰＤＵ１０００は、ビーム形成された信号フィールド（ＢＦ−ＳＩＧ）１０１６と、プリコーディングされたショートトレーニングフィールド（ＰＣ−ＳＴＦ）１０１８と、１つ以上のプリコーディングされたロングトレーニングフィールド（ＰＣ−ＬＴＦ）１０２０とをさらに備えることができる。ＢＦ−ＳＩＧフィールド１０１６は、無指向性方式で送信され、このため、それは、範囲内のすべての８０２．１１ａｆデバイスによって復号することができる一方で、ＰＣ−ＳＴＦ１０１８及びＰＣ−ＬＴＦ１０２０は、ビーム形成された送信及び／又はＳＤＭＡプリコーディングされ、このため、それらは、関連付けられている８０２．１１ａｆデバイスによってしか復号されない。本開示の一態様により、ＢＦ−ＳＩＧフィールド１０１６は、単一ユーザ（ＳＵ）ビーム形成モードでは存在しないことができるが、ＰＰＤＵ１０００は、ＰＣ−ＳＴＦ１０１８とＰＣ−ＬＴＦ１０２０とを依然として含むことができる。
【００５７】
一例により、ＢＦ−ＳＩＧフィールド１０１６は、１つのＯＦＤＭシンボルであり、ＰＣ−ＳＴＦ１０１８は、１つのＯＦＤＭシンボルであり、ＰＣ−ＬＴＦ１０２０も、１つのＰＣ−ＬＴＦ１０２０フィールド当たり１つのＯＦＤＭシンボルである。空間ストリーム数の関数として１つ以上のＰＣ−ＬＴＦ１０２０フィールドが存在することができる。ＢＦ−ＳＩＧフィールド１０１６には、ビーム形成されたＰＰＤＵ１０００の特徴に関する追加の信号情報が入っている。ＰＣ−ＳＴＦ１０１８は、予め定義された回数だけ繰り返すパターンを含み、高速利得制御、タイミングオフセット推定、及び周波数オフセット推定のために使用することができる。ＰＣ−ＬＴＦ１０２０は、チャネル推定及び微周波数取得のために使用することができる。従って、ＰＣ−ＳＴＦ１０１８及びＰＣ−ＬＴＦ１０２０は、ＶＨＴ−ＳＴＦ４１８及びＶＨＴ−ＬＴＦ４２０に類似する。
【００５８】
ＰＰＤＵ１０００は、１２８点ＦＦＴ設計に基づくことができ、及び、送信の帯域幅は、例えば、４ＭＨｚ乃至８ＭＨｚの範囲であることができ、それは、２５０ｎｓ乃至１２５ｎｓのサンプル継続時間範囲になる。４０ＭＨｚ８０２．１１ａｃ送信を８のダウンクロック率だけダウンクロックすることによって５ＭＨｚ帯域幅８０２．１１ａｆ  ＰＰＤＵ１０００を得ることができる。４０ＭＨｚ８０２．１１ａｃ送信を６．６６７（すなわち、４０÷６）のダウンクロック率だけダウンクロックすることによって６ＭＨｚ帯域幅８０２．１１ａｆ  ＰＰＤＵ１０００を得ることができる。４０ＭＨｚ８０２．１１ａｃ送信を５のダウンクロック率だけダウンクロックすることによって８ＭＨｚ帯域幅８０２．１１ａｆ  ＰＰＤＵ１０００を得ることができる。概して、４０ＭＨｚ８０２．１１ａｃ送信を４０÷Ｘのダウンクロック率だけダウンクロックすることによって帯域幅Ｘ  ＭＨｚを有する８０２．１１ａｆ  ＰＰＤＵ１０００を得ることができる。本開示の一態様では、値Ｘは、４乃至１０の間のいずれかの値であることができる。例えば、４０ＭＨｚ８０２．１１ａｃ送信を７．２７（すなわち、４０÷５．５）のダウンクロック率だけダウンクロックすることによって５．５ＭＨｚ帯域幅８０２．１１ａｆ  ＰＰＤＵ１０００を得ることができる。
【００５９】
図１１は、一態様による１２８点ＤＦＴ（例えば、ＦＦＴ）設計に基づく４ＭＨｚ乃至８ＭＨｚ帯域幅８０２．１１ａｆ送信のためのＢＦ−ＳＩＧフィールド１０１６のためのトーン及びビット情報を示した典型的な表１１００を例示する。示される例では、単一シンボルＢＦ−ＳＩＧフィールド１０１６は、１０８のデータトーン、６つのパイロットトーン、３つのＤＣトーン、及び１１のガードトーン（例えば、送信帯域幅の一方の側に６トーン及び他方の側に５トーン）が特徴である。図６に関して上述される４０ＭＨｚ帯域幅８０２．１１ａｃ信号のＬ−ＳＩＧフィールド４１４及びＶＨＴ−ＳＩＧ  Ａフィールド４１６と異なり、ＢＦ−ＳＩＧフィールド１０１６情報は、４乃至８ＭＨｚ帯域幅８０２．１１ａｆ送信のいずれのサブバンドでもコピーして繰り返す必要がなく、その理由は、複合送信のサブバンドを復号することのみが可能なレガシーデバイスとの共存はここでは関心事でないためである。従って、８０２．１１ａｆ送信は、ＢＦ−ＳＩＧフィールド１０１６を生成するために１２８の総トーン範囲全体を利用することができる。一態様により、ＢＰＳＫ及び１／２レートコーディングは、ＢＦ−ＳＩＧフィールド１０１６が単一のＯＦＤＭシンボルで１０８のデータトーンを通じて最大で５４ビットの情報を送信するのを可能にする。ここではＢＰＳＫ及び１／２レートコーディングが例として使用されるが、ここにおけるシステム及び方法によりその他の変調方式及び／又はコーディングレートを使用することができ、それは、異なる数のビットを各シンボルに含めることを可能にすることが注目されるべきである。
【００６０】
本開示の一態様により、ＢＦ−ＳＩＧフィールド１０１６内で利用可能な総トーン数のうちのデータトーン数は、１０８のデータトーンに制限されない。具体的には、データトーン数は、１０８よりも少ないこと又は多いことができる。例えば、本開示の一態様により、ＢＦ−ＳＩＧフィールド１０１６情報（例えば、図１３に示されるデータの一部分）を送信するために１２８の総トーンのうちの４９以上のデータトーンを利用することができる。一態様により、ＢＦ−ＳＩＧフィールド１０１６情報を送信又は受信するための使用されるデータトーン数は、利用可能な総データトーン数（例えば、１２８の総トーン）の３９％以上であることができる。他の態様により、ＢＦ−ＳＩＧフィールド１０１６情報を送信又は受信するための使用されるデータトーン数は、利用可能な総データトーン数（例えば、１２８の総トーン）の５０％以上であることができる。他の態様により、ＢＦ−ＳＩＧフィールド１０１６情報を送信又は受信するために使用されるデータトーン数は、利用可能な総データトーン数（例えば、１２８の総トーン）の６０％、７０％、８０％、９０％又はそれ以上であることができる。さらに他の態様により、ＢＦ−ＳＩＧフィールド１０１６情報を送信又は受信するために使用されるデータトーン数は、利用可能な総データトーン数（例えば、１２８の総トーン）の７０％以上であることができる。さらに他の態様により、ＢＦ−ＳＩＧフィールド１０１６情報を送信又は受信するために使用されるデータトーン数は、利用可能な総データトーン数（例えば、１２８の総トーン）の８０％以上であることができる。
【００６１】
上述されるＳＴＦ７１０と非常に同じように、単一のＯＦＤＭシンボル内で１０回繰り返す繰り返しパターンを生成するためにＰＣ−ＳＴＦ１０１８シンボルの８つ目のトーンごとにポピュレートすることができる。ＳＩＧフィールド７１４及びＢＦ−ＳＩＧフィールド１０１６と同様に、ＰＣ−ＬＴＦ１０２０ＯＦＤＭシンボルも、１０８のデータトーン、６つのパイロットトーン、３つのＤＣトーン、及び１１のガードトーン（例えば、送信帯域幅の一方の側に６トーン、他方の側に５トーン）を利用することができる。
【００６２】
このようにして、８０２．１１ａｆ  ＰＰＤＵ１０００に関するプリアンブル（例えば、ＳＴＦ７１０、ＬＴＦ７１２、ＳＩＧフィールド７１４、ＢＦ−ＳＩＧ１０１６、ＰＣ−ＳＴＦ１０１８、及び１つのＰＣ−ＬＴＦ１０２０）は、７つのＯＦＤＭシンボルしか要求しない（単一のＰＣ−ＬＴＦ１０２０の場合）。対照的に、８０２．１１ａｃ  ＰＰＤＵ４００のプリアンブル（例えば、Ｌ−ＳＴＦ４１０、Ｌ−ＬＴＦ４１２、Ｌ−ＳＩＧフィールド４１４、ＶＨＴ−ＳＩＧ  Ａフィールド４１６、ＶＨＴ−ＳＴＦ４１８、ＶＨＴ−ＬＴＦ４２０、及びＶＨＴ−ＳＩＧ−Ｂ４２２）は、１０のＯＦＤＭシンボルを要求する（単一のＶＨＴ−ＬＴＦ４２２の場合）。８０２．１１ａｆ  ＰＰＤＵ１０００の低減されたプリアンブルオーバーヘッド（例えば、短縮されたプリアンブル１００２継続時間）は、所定の８０２．１１ａｆフレーム送信に関して８０２．１１ａｆ  ＰＰＤＵ１０００のデータ部１００４内でより多くのデータを送信することを可能にする。概して、７つのプリアンブルシンボル（例えば、ＳＴＦ７１０、ＬＴＦ７１２、ＳＩＧフィールド７１４、ＢＦ−ＳＩＧフィールド１０１６、ＰＣ−ＳＴＦ１０１８、及び１つのＰＣ−ＬＴＦ１０２０）を有するＸ  ＭＨｚ帯域幅８０２．１１ａｆ  ＰＰＤＵ１０００は、７×（（３２＋１２８）×（１÷Ｘ））μｓｅｃに等しい総プリアンブル継続時間を有することができ、ここで、Ｘは、例えば、４乃至１０の間のいずれかの値であることができる。従って、一態様により、７つのプリアンブルシンボル（例えば、ＳＴＦ７１０、ＬＴＦ７１２、ＳＩＧフィールド７１４、ＢＦ−ＳＩＧフィールド１０１６、ＰＣ−ＳＴＦ１０１８、及び１つのＰＣ−ＬＴＦ１０２０）を有する５ＭＨｚ帯域幅８０２．１１ａｆ  ＰＰＤＵ１０００は、２２４μｓｅｃの総プリアンブル継続時間を有する。他の態様により、７つのプリアンブルシンボルを有する６ＭＨｚ帯域幅８０２．１１ａｆ  ＰＰＤＵ１０００は、１８６．６６７μｓｅｃの総プリアンブル継続時間を有する。さらに他の態様により、７つのプリアンブルシンボルを有する８ＭＨｚ帯域幅８０２．１１ａｆ  ＰＰＤＵ１０００は、１４０μｓｅｃの総プリアンブル継続時間を有する。従って、４ＭＨｚ乃至８ＭＨｚ８０２．１１ａｆ  ＰＰＤＵ１０００に関する７つのシンボルプリアンブルの総継続時間は、通常のガード間隔サイクリックプリフィックスを用いて１４０μｓｅｃ乃至２８０μｓｅｃの範囲であることができる。
【００６３】
図１２は、本開示の一態様によるＳＩＧフィールド７１４の典型的なビットフィールドを示した表１２００を例示する。示される例では、ＳＩＧフィールド７１４は、１６乃至１８ビットのペイロード長フィールド１２０２、２ビットの帯域幅フィールド１２０４、４ビットの変調及びコーディング方式（ＭＣＳ）フィールド１２０６、２ビットの空間時間ストリーム数（ＮＳＴＳ）フィールド１２０８、１ビットのビーム形成フィールド１２１０、１ビットの空間時間ブロックコーディング（ＳＲＢＣ）フィールド１２１２、１ビットのアグリゲーション（Ａｇｇｒｅｇａｔｉｏｎ）フィールド１２１４、１ビットの短いガード間隔（ＳＧＩ）フィールド１２１６、巡回冗長性検査（ＣＲＣ）フィールド１２１８、６ビットのテールフィールド１２２０、及び／又は１４乃至１６ビットの予約フィールド１２２２を備えることができる。ペイロード長フィールド１２０２は、ペイロード（すなわち、データ部７０４、１００４）が何ビットを含むか又はペイロードがどのくらいの時間続くかを指定する。これは、ＰＰＤＵ７００、１０００の意図されない受信機が、ペイロードを送信するのに要する時間に等しい時間量の間ＰＰＤＵ７００、１０００を送信するために使用される送信媒体を使用しないように知らせる働きをする。それは、意図される受信機がペイロード部を復号するために必要な時間又はバイト数を知らせる働きもする。帯域幅フィールド１２０４は、８０２．１１ａｆ送信の帯域幅を示す（例えば、４ＭＨｚ、５ＭＨｚ、５．５ＭＨｚ、６ＭＨｚ、８ＭＨｚ、等）。ＭＣＳフィールド１２０６は、変調タイプ（例えば、２位相偏移変調（ＢＰＳＫ）、ＱＢＰＳＫ（すなわち、９０度回転されたＢＰＳＫ）、４位相偏移変調（ＱＰＳＫ）、８−ＱＡＭ（直交振幅変調）、１６−ＱＡＭ、６４−ＱＡＭ、等）及びＰＰＤＵ７００、１０００のために使用されるコーディングレート方式（例えば、１／２、２／３、３／４、５／６、７／８、等）を示す。ＮＳＴＳフィールド１２０８は、ＰＰＤＵ７００、１０００のための空間時間ストリーム（ここでは“空間ストリーム”とも呼ばれる）の数を示し、それは、１、２、３、又は４の値であることができる。
【００６４】
ビーム形成フィールド１２１０は、ＰＰＤＵ７００、１０００がビーム形成された送信を含むかどうかを示す。例えば、ビーム形成フィールド１２１０のためのアクティブビットは、ＰＰＤＵ１０００においてＢＦ−ＳＩＧフィールド１０１６が後続すべきであることを示すことができる。従って、単一ユーザビーム形成（ＳＵ−ＢＦ）モード及び多ユーザＭＩＭＯ（ＭＵ−ＭＩＭＯ）モードに関して、ビーム形成フィールド１２１０をＯＮ／アクティブに設定することができる。本開示のその他の態様では、ＳＩＧフィールド７１４は、ＢＦ−ＳＩＧフィールド１０１６の存在を示すためにＱＢＰＳＫ（９０度回転されたＢＰＳＫ）を用いて変調することができる。該場合には、ビーム形成フィールド１２１０は必要ない。ＢＦ−ＳＩＧフィールド１０１６の存在を示すためにＳＩＧフィールド７１４の予想される変調方式をＢＰＳＫからＱＢＰＳＫに変更することにより、ＰＰＤＵ１０００の受信機は、ＢＦ−ＳＩＧフィールド１０１６（例えば、ＰＰＤＵ１０００の場合）又はＭＩＭＯ  ＬＴＦ７１６（存在する場合）（例えば、ＰＰＤＵ７００の場合）のいずれを予想すべきであるかに関して早期に知ることができる。該方式によって受信機での信号バッファリングも低減させることができる。
【００６５】
ＳＴＢＣフィールド１２１２は、ＰＰＤＵ７００、１０００のために空間時間ブロックコーディングがイネーブルにされるかどうかを示す。アグリゲーションフィールド１２１４は、メディアアクセス制御（ＭＡＣ）レベルのアグリゲーションが使用されているかどうかを示す。これは、ＰＰＤＵ７００、１０００のペイロード（例えば、データ部７０４、１００４）がデリミターによって分離されたペイロード内の複数のＰＰＤＵを含む総合ＭＡＣプロトコルデータユニット（ＡＭＰＤＵ）であるかどうかを示す。ＳＧＩフィールド１２１６は、ＰＰＤＵ７００、１０００が短いガード間隔（ＳＧＩフィールド１２１６がＯＮ／アクティブ）又は通常のガード間隔（ＳＧＩフィールド１２１６がＯＦＦ／非アクティブ）を有するシンボルを使用中であるかどうかを示す。ＣＲＣフィールド１２１８は、ＰＰＤＵ７００、１０００に関する誤りの存在を決定するための巡回冗長性検査のために使用されるビットを含む。テールフィールド１２２０は、受信機の復号器をフラッシュアウト（ｆｌｕｓｈ  ｏｕｔ）するためのビットを含む。予約フィールド１２２２は、ＰＰＤＵ７００、１０００及び／又はペイロード７０４、１００４のその他のパラメータを示すことができるビットを含み、及び／又は将来のモードを示す。
【００６６】
図１３は、本開示の一態様によるＢＦ−ＳＩＧフィールド１０１６の典型的なビットフィールドを示した表１３００を例示する。示される例では、ＢＦ−ＳＩＧフィールド１０１６は、８ビットのＮＳＴＳフィールド１３０２と、６ビットのグループＩＤ（ＧＩＤ）フィールド１３０４と、１６ビットの変調及びコーディング方式（ＭＣＳ）フィールド１３０６と、６ビットのテールフィールド１３０８と、１８ビットの予約フィールド１３１０と、を備えることができる。ＮＳＴＳフィールド１３０２は、ＰＰＤＵ１０００に関するユーザ当たりの空間ストリーム数を指定する（例えば、最大４つのユーザであり、各ユーザは、そのユーザのための空間ストリーム数を示す８ビットのうちの２つと関連付けられる）。ＧＩＤフィールド１３０４は、複数の受信機（例えば、受信局）を関連付けることができるグループ識別子を示す。ＭＣＳフィールド１３０６は、ＰＰＤＵ１０００に関するユーザの各々のために使用される変調タイプ（例えば、ＢＰＳＫ、ＱＢＰＳＫ、ＱＰＳＫ、８−ＱＡＭ、１６−ＱＡＭ、６４−ＱＡＭ、等）及びコーディングレート方式（例えば、１／２、２／３、３／４、５／６、７／８、等）を示す（例えば、４つのユーザであり、使用される変調及びコーディングレートを示すために１６ビットのうちの４ビットが１つのユーザと各々関連付けられる）。すなわち、ＢＦ−ＳＩＧフィールド１０１６は各ユーザのためにプリコーディングされるため、各ユーザは、それ自体の変調及びコーディングレート方式を受信する。従って、ユーザは、その他のユーザと関連付けられた変調及びコーディングレート方式は受信せず、それ自体のものだけである。テールフィールド１３０８は、受信機の復号器をフラッシュアウトするためのビットを含む。予約フィールド１３１０は、ＰＰＤＵ１０００及び／又はペイロード１００４のその他のパラメータを示すことができるビットを含み、及び／又は将来のモードを示す。
【００６７】
本開示の一態様により、ＢＦ−ＳＩＧフィールド１０１６は、図７に示されるＰＰＤＵ７００に含めることができる。その場合は、ＢＦ−ＳＩＧフィールド１０１６は、ＳＩＧフィールド７１４の後で、ＭＩＭＯ  ＬＴＦ７１６の前になる。一態様により、ＰＰＤＵ１０００内のＳＩＧフィールド７１４及びＢＦ−ＳＩＧフィールド１０１６は、いっしょに符号化することができる。本開示の他の態様では、ＰＰＤＵ１０００内のＳＩＧフィールド７１４及びＢＦ−ＳＩＧフィールド１０１６は、独立して符号化することができ、このため、ＳＩＧフィールド７１４は、ＢＦ−ＳＩＧフィールド１０１６の前に復号することができる。ＳＩＧフィールド７１４の予約フィールド１２２２内のビットの一部は、プリアンブル１００４がＢＦ−ＳＩＧフィールド１０１６の後にある追加のフィールドを含むことができるように追加のモードを示すために使用することができる。追加のフィールドは、ＰＰＤＵ１０００及び／又はペイロード１００４と関連付けられた追加パラメータを示すことができる。
【００６８】
図１４は、本開示の一態様による１２８点ＤＦＴ（例えば、ＦＦＴ）設計に基づく８０２．１１ａｆ送信のための典型的なＰＰＤＵ１４００を例示する。一態様により、ＰＰＤＵ１４００は、単一ユーザ（ＳＵ）、単一ユーザビーム形成（ＳＵ−ＢＦ）、又は多ユーザ（ＭＵ）８０２．ａｆ送信のために使用することができる。ＰＰＤＵ１４００は、例えば４０ＭＨｚ８０２．１１ａｃ信号をダウンクロックすることによって生成される例えば４乃至８ＭＨｚ帯域幅８０２．１１ａｆ送信において使用することができる。ＰＰＤＵ１４００は、プリアンブル部１４０２とデータ部１４０４とを備える。プリアンブル１４０２は、ショートトレーニングフィールド（ＳＴＦ）７１０と、ロングトレーニングフィールド（ＬＴＦ）７１２と、信号（ＳＩＧ）フィールド１４１４と、ＰＣ−ＳＴＦ１０１８と、１つ以上のＰＣ−ＬＴＦ１０２０と、信号Ｂ（ＳＩＧ−Ｂ）フィールド１４２２とを備える。ＳＴＦ７１０及びＬＴＦ７１２は、図７のＰＰＤＵ７００に関して上述されるように実装することができる。ＰＣ−ＳＴＦ１０１８及びＰＣ−ＬＴＦ１０２０は、図１０のＰＰＤＵ１０００に関して上述されるように実装することができる。
【００６９】
ＳＩＧフィールド１４１４は、プリアンブルオーバーヘッドを最小にするために単一のＯＦＤＭシンボルにおいてＰＰＤＵ７００のＳＩＧフィールド７１４によって示されるＳＵパラメータのうちの多く及びＰＰＤＵ１０００のＢＦ−ＳＩＧフィールド１０１６によって示されるＭＵパラメータを示す働きをする。一態様により、ＳＩＧフィールド１４１４は、無指向性方式で送信することができ、このため、範囲内のすべての８０２１１ａｆデバイスによって復号することができる。ＰＣ−ＳＴＦ１０１８及びＰＣ−ＬＴＦ１０２０と同様に、ＳＩＧフィールド１４２２は、ＳＤＭＡプリコーディングすることができ、このため、それは、ＳＤＭＡコードと関連付けられた意図されたユーザ／受信機によってのみ復号可能である。一例では、ＳＩＧフィールド１４１４は、１０８のデータトーン、６つのパイロットトーン、３つのＤＣトーン、及び１１のガードトーン（例えば、ゼロトーン）を有する単一のＯＦＤＭシンボルから成る。ＳＩＧフィールド１４１４は、例えば、ＢＰＳＫ又はＱＢＰＳＫを用いて変調することができ、及び、それの１０８のデータトーンにわたって５４ビットのデータを搬送することができるように１／２のコーディングレートを有することができる。その他の変調タイプ及びコーディングレート方式を使用することができる。一態様では、ＳＩＧフィールド１４１４は、ＰＰＤＵ１４００送信がＳＵ送信であることを示すためにＢＰＳＫを用いて変調することができる。他の態様では、ＳＩＧフィールド１４１４は、ＰＰＤＵ１４００送信がＭＵ送信又はＢＦ−ＳＵ送信であることを示すためにＱＢＰＳＫを用いて変調することができる。
【００７０】
本開示の一態様により、ＳＩＧフィールド１４１４内で利用可能な総トーン数のうちのデータトーン数は、１０８のデータトーンに制限されない。具体的には、データトーン数は、１０８よりも少ないこと又は多いことができる。例えば、本開示の一態様により、ＳＩＧフィールド１４１４情報（例えば、図１５に示されるデータの一部分であり、ＰＰＤＵ１４００及び／又はペイロード１４０４の送信のための残りのデータ量又は時間の長さを含む）を送信するために１２８の総トーンのうちの４９以上のデータトーンを利用することができる。一態様により、ＳＩＧフィールド１４１４情報を送信又は受信するために使用されるデータトーン数は、利用可能な総データトーン数（例えば、１２８の総トーン）の３９％以上であることができる。他の態様により、ＳＩＧフィールド１４１４情報を送信又は受信するために使用されるデータトーン数は、利用可能な総データトーン数（例えば、１２８の総トーン）の５０％以上であることができる。他の態様により、ＳＩＧフィールド１４１４情報を送信又は受信するために使用されるデータトーン数は、利用可能な総データトーン数（例えば、１２８の総トーン）の６０％以上であることができる。さらに他の態様により、ＳＩＧフィールド１４１４情報を送信又は受信するために使用されるデータトーン数は、利用可能な総データトーン数（例えば、１２８の総トーン）の１４０％以上であることができる。さらに他の態様により、ＳＩＧフィールド１４１４情報を送信又は受信するために使用されるデータトーン数は、利用可能な総データトーン数（例えば、１２８の総トーン）の８０％以上であることができる。
【００７１】
一例では、ＳＩＧ−Ｂフィールド１４２２は、１０８のデータトーン、６つのパイロットトーン、３つのＤＣトーン、及び１１のガードトーン（例えば、ゼロトーン）を有する単一のＯＦＤＭシンボルから成る。ＳＩＧ−Ｂフィールド１４２２は、例えば、ＢＰＳＫ又はＱＢＰＳＫを用いて変調することができ、及び、それの１０８のデータトーンにわたって５４ビットのデータを搬送することができるように１／２のコーディングレートを有することができる。その他の変調タイプ及びコーディングレート方式を使用することができる。
【００７２】
本開示の一態様により、ＳＩＧ−Ｂフィールド１４２２内で利用可能な総トーン数のうちのデータトーン数は、１０８のデータトーンに制限されない。具体的には、データトーン数は、１０８よりも少ないこと又は多いことができる。例えば、本開示の一態様により、ＳＩＧ−Ｂフィールド１４２２情報（例えば、図１６に示されるＭＣＳ−ｘ４情報）を送信するために１２８の総トーンのうちの４９以上のデータトーンを利用することができる。一態様により、ＳＩＧ−Ｂフィールド１４２２情報を送信又は受信するための使用されるデータトーン数は、利用可能な総データトーン数（例えば、１２８の総トーン）の３９％以上であることができる。他の態様により、ＳＩＧ−Ｂフィールド１４２２情報を送信又は受信するために使用されるデータトーン数は、利用可能な総データトーン数（例えば、１２８の総トーン）の５０％以上であることができる。他の態様により、ＳＩＧ−Ｂフィールド１４２２情報を送信又は受信するために使用されるデータトーン数は、利用可能な総データトーン数（例えば、１２８の総トーン）の６０％以上であることができる。さらに他の態様により、ＳＩＧ−Ｂフィールド１４２２情報を送信又は受信するために使用されるデータトーン数は、利用可能な総データトーン数（例えば、１２８の総トーン）の７０％以上であることができる。さらに他の態様により、ＳＩＧ−Ｂフィールド１４２２情報を送信又は受信するために使用されるデータトーン数は、利用可能な総データトーン数（例えば、１２８の総トーン）の８０％以上であることができる。
【００７３】
ＰＰＤＵ１４００は、１２８点ＤＦＴ設計に基づくことができ、及び、送信の帯域幅は、例えば、４ＭＨｚ乃至８ＭＨｚの範囲であることができ、それは、２５０ｎｓ乃至１２５ｎｓのサンプル継続時間範囲になる。４０ＭＨｚ８０２．１１ａｃ送信を８のダウンクロック率だけダウンクロックすることによって５ＭＨｚ帯域幅８０２．１１ａｆ  ＰＰＤＵ１４００を得ることができる。４０ＭＨｚ８０２．１１ａｃ送信を６．６６７（すなわち、４０÷６）のダウンクロック率だけダウンクロックすることによって６ＭＨｚ帯域幅８０２．１１ａｆ  ＰＰＤＵ１４００を得ることができる。４０ＭＨｚ８０２．１１ａｃ送信を５のダウンクロック率だけダウンクロックすることによって８ＭＨｚ帯域幅８０２．１１ａｆ  ＰＰＤＵ１４００を得ることができる。概して、４０ＭＨｚ帯域幅８０２．１１ａｃ送信を４０÷Ｘのダウンクロック率だけダウンクロックすることによって帯域幅Ｘ  ＭＨｚを有する８０２．１１ａｆ  ＰＰＤＵ１４００を得ることができ、ここで、Ｘは、４以上で、１０以下である。
【００７４】
図１５は、本開示の一態様によるＳＩＧフィールド１４１４の典型的な内容を含む表１５００を例示する。上述されるように、ＳＩＧフィールド１４１４は、プリアンブルオーバーヘッドを最小にするために単一のＯＦＤＭシンボルにおいてＰＰＤＵ７００のＳＩＧフィールド７１４によって示されるＳＵパラメータのうちの多く及びＰＰＤＵ１０００のＢＦ−ＳＩＧフィールド１０１６によって示されるＭＵパラメータを示す働きをする。顕著なことであるが、ＳＩＧフィールド１４１４は、ＰＰＤＵ１４００がＳＵ送信であるか又はＭＵ送信であるかを示す。ＰＰＤＵ１４００がＳＵ送信であるか又はＭＵ送信であるかに依存して、ＳＩＧフィールド１４１４に含まれているビットは、異なる形で割り当て、異なるパラメータを示すために使用することができる。
【００７５】
図１５を参照し、ＳＩＧフィールド１４１４は、１ビットの単一ユーザ又は多ユーザモードフィールド１５０２、９ビットの長さ又は継続時間フィールド１５０４、ＳＵモードのための４ビットのＭＣＳフィールド１５０６、２ビットの帯域幅フィールド１５０８、ＳＵモードのための１ビットのアグリゲーションフィールド１５１０、１ビットのＳＴＢＣフィールド１５１２、ＳＵモードのための２ビットの誤りコーディングタイプフィールド１５１４又はＭＵモードのための５ビットの誤りコーディングタイプフィールド１５１４、１ビットのＳＧＩフィールド１５１６、ＭＵモードのための６ビットのＧＩＤフィールド１５１８、ＳＵモードのための２ビットのＮＳＴＳフィールド１５２０又はＭＵモードのための８ビットのＮＳＴＳフィールド１５２０、ＳＵモードのための９ビットの部分的関連付け識別子（ＰＡＩＤ）フィールド１５２２、ＳＵモードのための１２ビットの予約フィールド又はＭＵモードのための１１ビットの予約フィールド１５２４、４ビットのＣＲＣフィールド１５２６、及び／又は６ビットのテールフィールド１５２８を含むことができる。
【００７６】
顕著なことであるが、単一ユーザ又は多ユーザモードフィールド１５０２は、ＰＰＤＵ１４００がＳＵ送信であるか又はＭＵ送信であるかを示す。ＰＰＤＵ１４００がＳＵ送信であることをＳＵ／ＭＵモードフィールド１５０２が示す場合は、図１５の単一ユーザの列が、ＳＩＧフィールド１４１４シンボルに入っているパラメータ及びパラメータ当たりのビット数を識別する。逆に、ＰＰＤＵ１４００がＭＵ送信であることをＳＵ／ＭＵモードフィールド１５０２が示す場合は、図１５の多ユーザの列が、ＳＩＧフィールド１４１４シンボルに入っているパラメータ及びパラメータ当たりのビット数を識別する。長さ又は継続時間フィールド１５０４は、ペイロード部１４０４又はＰＰＤＵ１４００自体内に入っているデータの量（例えば、バイト数）及び／又はペイロード部１４０４又はＰＰＤＵ１４００が送信媒体を占有する継続時間を識別する。その他の態様では、長さ又は継続時間フィールド１５０４は、ＰＰＤＵ１４００のデータレートを示すことができる。ＭＣＳフィールド１５０６は、ペイロード１４０４及び／又はＰＰＤＵ１４００のために使用される変調タイプ（ＢＰＳＫ、ＱＰＳＫ、ＱＡＭ、等）及びコーディングレート（１／２、２／３、３／４、等）方式を示す。帯域幅フィールド１５０８は、ペイロード１４０４及び／又はＰＰＤＵ１４００の帯域幅を示す。アグリゲーションフィールド１５１０は、ＭＡＣレベルアグリゲーションを使用中であるかどうか、従って、ペイロード１４０４がデリミターによって分離されたペイロード１４０４内の複数のＰＰＤＵを含むＡＭＰＤＵであるかどうかを示す。
【００７７】
ＳＴＢＣフィールド１５１２は、空間時間ブロックコーディングがペイロード１４０４及び／又はＰＰＤＵ１４００のためにイネーブルになっているかどうかを示す。誤りコーディングタイプフィールド１５１４は、ペイロード１４０４及び／又はＰＰＤＵ１４００のために使用される誤りコーディングのタイプを示す。例えば、ＳＵ送信の場合は、第１のビットは、ブロック検査文字（ＢＣＣ）誤り検出又は低密度パリティ検査（ＬＤＰＣ）コード誤り検出のいずれが使用されるかを示す。第２のビットは、ＬＤＰＣの場合に関するシンボル数の曖昧さを解決する。例えば、ＬＤＰＣ符号化プロセスの結果１つの余分のシンボルが生じることがあり、第２のビットが該曖昧さを修正する。ＭＵ送信の場合は、最初の４ビットは、４つの可能性のあるユーザ／受信機の各々に関してＢＣＣ誤り検出又はＬＤＰＣ誤り検出のいずれが使用されるかを示す。第５のビットは、ＳＵ送信の場合に関して説明されたＬＤＰＣ曖昧さ問題を同様に解決する。
【００７８】
ＳＧＩフィールド１５１６は、ペイロード１４０４及び／又はＰＰＤＵ１４００が短いガード間隔（ＳＧＩフィールド１５１６がＯＮ／アクティブ）又は通常のガード間隔（ＳＧＩフィールド１５１６がＯＦＦ／非アクティブ）のいずれを有するシンボルを使用中であるかを示す。ＰＰＤＵ１４００がＭＵ送信である場合は、ＧＩＤフィールド１５１８は、複数の受信機（例えば、受信局）を関連付けることができるグループ識別子を示す。ＮＳＴＳフィールド１５２０は、ユーザ当たりの空間ストリーム数を指定する。ＰＰＤＵ１４００がＳＵ送信である場合は、空間ストリームを示すために２ビットのみが必要である。ＰＰＤＵ１４００がＭＵ送信である場合は、空間ストリーム数を示すために４対のビットが使用される。すなわち、各々の可能性のあるユーザに関して一対である。ＰＰＤＵ１４００がＳＵ送信である場合は、ＰＡＩＤフィールド１５２２は、ＰＰＤＵ１４００のユーザ／受け取り者を識別し、意図されない受信機は部分的関連付けＩＤがそれら自体のものと合致しないため早期に受信を終了するように通知する。予約フィールド１５２４は、ＰＰＤＵ１４００及び／又はペイロード１４０４のその他のパラメータを示すことができるビットを含み、及び／又は将来のモードを示す。ＣＲＣフィールド１５２６は、ＰＰＤＵ１４００に関する誤りの存在を決定するために巡回冗長性検査のために使用されるビットを含む。テールフィールド１５２８は、受信機の復号器をフラッシュアウトするためのビットを含む。
【００７９】
ＰＰＤＵ１４００がＭＵ送信であることをＳＵ／ＭＵモードフィールド１５０２が示す場合は、プリアンブル１４０２は、ＳＩＧ−Ｂフィールド１４２２を含むことができる。ＭＵモードでは、ＳＩＧフィールド１４１４のＭＣＳフィールド１５０６は、ＰＰＤＵ１４００の変調タイプ及びコーディングレート方式を識別するためのビットを含まないため、該情報を示すためにＳＩＧ−Ｂフィールド１４２２を使用することができる。
【００８０】
図１６は、本開示の一態様によるＳＩＧ−Ｂフィールド１４２２の典型的な内容を含む表１６００を例示する。ＳＩＧ−Ｂフィールド１４２２は、１６ビットの変調及びコーディング方式（ＭＣＳ）フィールド１６０２と、３４ビットの予約フィールド１６０４と、６ビットのテールフィールド１６０６と、を備えることができる。ＭＣＳフィールド１６０２は、ＭＵ送信の場合のＰＰＤＵ１４００に関するユーザの各々のために使用される変調タイプ（例えば、ＢＰＳＫ、ＱＢＰＳＫ、ＱＰＳＫ、８−ＱＡＭ、１６−ＱＡＭ、６４−ＱＡＭ、等）及びコーディングレート方式（例えば、１／２、２／３、３／４、５／６、７／８、等）を示す（例えば、４つのユーザであり、使用される変調及びコーディングレートを示すために１６ビットのうちの４ビットが１つのユーザと各々関連付けられる）。すなわち、ＳＩＧ−Ｂフィールド１４２２は各ユーザのためにプリコーディングされるため、各ユーザは、それ自体の変調及びコーディングレート方式を受信する。従って、ユーザは、その他のユーザと関連付けられた変調及びコーディングレート方式は受信せず、それ自体のものだけである。予約フィールド１６０４は、ＰＰＤＵ１４００及び／又はペイロード１４０４のその他のパラメータを示すことができるビットを含み、及び／又は将来のモードを示す。テールフィールド１６０６は、受信機の復号器をフラッシュアウトするためのビットを含む。
【００８１】
２５６点ＤＦＴ設計のための典型的なＴＶＷＳプリアンブル
図１７は、様々な帯域幅を有する典型的な８０２．１１ａｆ信号（信号Ｅ、信号Ｆ、信号Ｇ、信号Ｈ）のための信号パラメータ値を特集した表を例示する。信号Ｅは、８０ＭＨｚ帯域幅８０２．１１ａｃ信号を２０の率だけダウンクロックすることによって導き出される４ＭＨｚ帯域幅８０２．１１ａｆ信号である。信号Ｆは、８０ＭＨｚ帯域幅８０２．１１ａｃ信号を１６の率だけダウンクロックすることによって導き出される５ＭＨｚ帯域幅８０２．１１ａｆ信号である。信号Ｇは、８０ＭＨｚ帯域幅８０２．１１ａｃ信号を１３．３３３（すなわち、８０÷６）の率だけダウンクロックすることによって導き出される６ＭＨｚ帯域幅８０２．１１ａｆ信号である。信号Ｈは、８０ＭＨｚ帯域幅８０２．１１ａｃ信号を１０の率だけダウンクロックすることによって導き出される８ＭＨｚ帯域幅８０２．１１ａｆ信号である。例示されるように、８０ＭＨｚ送信を２０の率だけダウンクロックすることは、サイクリックプリフィックス継続時間及び総シンボル継続時間を同じ率だけ増大させる。すなわち、サイクリックプリフィックス継続時間は、０．８μｓｅｃから１６μｓｅｃに増大し、総シンボル継続時間は、４μｓｅｃから８０μｓｅｃに増大する。同様に、８０ＭＨｚ送信を１６の率だけダウンクロックすることは、サイクリックプリフィックス継続時間を０．８μｓｅｃから１２．８μｓｅｃに増大させ、総シンボル継続時間を４μｓｅｃから６４μｓｅｃに増大させる。８０ＭＨｚ送信を１３．３３３の率だけダウンクロックすることは、サイクリックプリフィックス継続時間を０．８μｓｅｃから１０．６６７μｓｅｃに増大させ、総シンボル継続時間を４μｓｅｃから５３．３３３μｓｅｃに増大させる。８０ＭＨｚ送信を１０の率だけダウンクロックすることは、サイクリックプリフィックス継続時間を０．８μｓｅｃから８μｓｅｃに増大させ、総シンボル継続時間を４μｓｅｃから４０μｓｅｃに増大させる。ダウンクロックレートにかかわらず、信号Ｅ、Ｆ、Ｇ、及びＨに関するシンボル送信を構成する利用可能なトーンの総数は、２５６で一定のままである。
【００８２】
一例により、２５６の総トーンを有する４ＭＨｚ８０２．ａｆシンボル（例えば、ペイロードシンボル）は、通常のガード間隔（例えば、６４の総トーン）として働く１６μｓｅｃサイクリックプリフィックスを利用することができる。代わりに、２５６の総トーンを有する４ＭＨｚ８０２．ａｆペイロードシンボルは、短いガード間隔（例えば、３２の総トーンとして働くより短い８μｓｅｃサイクリックプリフィックスを利用することができる）。サンプル当たり２５０ナノ秒（ｎｓ）（すなわち、１÷４）の時点では、２５６の総トーンを備える各シンボルは、６４μｓｅｃ（２５６×２５０ｎｓ）の継続時間を有する。従って、通常のガード間隔を使用するペイロードシンボルは、８０μｓｅｃの総シンボル継続時間を有する。対照的に、短いガード間隔を使用するシンボルは、７２μｓｅｃの総シンボル継続時間を有する。他の例として、２５６の総トーンを有する５ＭＨｚ８０２．１１ａｆペイロードシンボルは、通常のガード間隔（例えば、６４の総トーン）として働く１２．８μｓｅｃサイクリックプリフィックスを利用することができる。代わりに、２５６の総トーンを有する５ＭＨｚ８０２．ａｆペイロードシンボルは、短いガード間隔（例えば、３２の総トーン）として働くより短い６．４μｓｅｃサイクリックプリフィックスを利用することができる。サンプル当たり２００ナノ秒（ｎｓ）（すなわち、１÷５ＭＨｚ）の時点では、２５６の総トーンを備える各ペイロードシンボルは、５１．２μｓｅｃ（２５６×２００ｎｓ）の継続時間を有する。従って、通常のガード間隔を使用するペイロードシンボルは、６４μｓｅｃの総シンボル継続時間を有する。対照的に、短いガード間隔を使用するペイロードシンボルは、５７．６μｓｅｃの総シンボル継続時間を有する。他の例として、２５６の総トーンを有する６ＭＨｚ８０２．１１ａｆペイロードシンボルは、通常のガード間隔（例えば、６４の総トーン）として働く１０．６６７（すなわち、３２÷３）μｓｅｃサイクリックプリフィックスを利用することができる。代わりに、２５６の総トーンを有する６ＭＨｚ８０２．ａｆペイロードシンボルは、短いガード間隔（例えば、３２の総トーン）として働くより短い５．３３３（すなわち、１６÷３）μｓｅｃサイクリックプリフィックスを利用することができる。サンプル当たり１６６．６６７ナノ秒（ｎｓ）（すなわち、１÷６）の時点では、２５６の総トーンを備える各ペイロードシンボルは、４２．６６７μｓｅｃ（２５６×１６６．６６７ｎｓ）の継続時間を有する。従って、通常のガード間隔を使用するペイロードシンボルは、５３．３３３μｓｅｃの総シンボル継続時間を有する。対照的に、短いガード間隔を使用するペイロードシンボルは、４８μｓｅｃの総継続時間を有する。他の例として、２５６の総トーンを有する８ＭＨｚ８０２．１１ａｆペイロードシンボルは、通常のガード間隔（例えば、６４の総トーン）として働く８μｓｅｃサイクリックプリフィックスを利用することができる。代わりに、２５６の総トーンを有する８ＭＨｚ８０２．ａｆシンボルは、短いガード間隔（例えば、３２の総トーンとして働くより短い４μｓｅｃサイクリックプリフィックスを利用することができる）���サンプル当たり１２５ナノ秒（ｎｓ）（すなわち、１÷８ＭＨｚ）の時点では、２５６の総トーンを備える各ペイロードシンボルは、３２μｓｅｃ（２５６×１２５ｎｓ）の継続時間を有する。従って、通常のガード間隔を使用するペイロードシンボルは、４０μｓｅｃの総シンボル継続時間を有する。対照的に、短いガード間隔を使用するペイロードシンボルは、３６μｓｅｃの総継続時間を有する。
【００８３】
図１８は、８０ＭＨｚ帯域幅８０２．１１ａｃ送信のための幾つかのプリアンブルフィールドのためのデータトーン及びビット情報を示す典型的な表１８００を例示する。示されるように、８０ＭＨｚ送信は、各Ｌ−ＳＩＧフィールド４１４及びＶＨＴ−ＳＩＧ  Ａフィールド４１６シンボルを送信するために１９２のデータトーンを利用するが、８０ＭＨｚ帯域幅複合送信の各々の２０ＭＨｚ帯域幅サブバンド内で（例えば、２位相偏移変調（ＢＰＳＫ）及び１／２レートコーディングを使用）最大で２４の一意のデータビットを送信するためにわずか４８のデータトーンが使用される。すなわち、８０ＭＨｚ  ８０２．１１ａｃ信号が送信されるときには、Ｌ−ＳＩＧ４１４及びＶＨＴ−ＳＩＧ  Ａ４１６フィールドの内容（Ｌ−ＳＴＦ４１０及びＬ−ＬＴＦ４１２に関しても同じことが当てはまる）がコピーされ、複素数によって８０ＭＨｚ信号の各々の２０ＭＨｚサブバンドに合わせてスケーリングされる。従って、８０ＭＨｚ送信が２０ＭＨｚ送信の４倍の総トーン数を有している場合でも、それは、４８のデータトーンで一意のＬ−ＳＩＧフィールド４１４及びＶＨＴ−ＳＩＧ  Ａフィールド４１６しか送信することができない。例えば、４８データトーン内のＬ−ＳＩＧフィールド４１４情報を符号化するために２４ビットが使用される場合は、８０ＭＨｚ信号の各々の２０ＭＨｚサブバンドは、同じ２４ビットの情報を含むことになる。上記において説明されるように、各２０ＭＨｚのサブバンドで情報が複製される理由は、レガシーデバイスが共存しているためである（例えば、８０２．１１ａ、８０２．１１ｎ、等）。すなわち、２０ＭＨｚ信号内のデータしか受信することができない８０２．１１ａ及び／又は８０２．１１ｎレガシーデバイスが、２０ＭＨｚサブバンド内のプリアンブル情報を依然として受信及び復号することができる。
【００８４】
図１９は、本開示の一態様による２５６点ＤＦＴ（例えば、ＦＦＴ）設計に基づく８０２．１１ａｆ送信のための典型的なＰＰＤＵ１９００を例示する。ＰＰＤＵ１９００は、例えば、８０ＭＨｚ  ８０２．１１ａｃ送信をダウンクロックすることによって生成される、例えば４−８ＭＨｚ帯域幅８０２．１１ａｆ送信において使用することができる。一態様により、ＰＰＤＵ１９００は、単一ユーザ（ＳＵ）送信用である。ＰＰＤＵ１９００は、プリアンブル部１９０２とデータ部１９０４とを備える。プリアンブル１９０２は、ショートトレーニングフィールド（ＳＴＦ）１９１０と、ロングトレーニングフィールド（ＬＴＦ）１９１２と、信号（ＳＩＧ）フィールド１９１４と、を備えることができる。任意選択で、プリアンブル１９０２は、追加の空間ストリームのための１つ以上の多入力多出力（ＭＩＭＯ）ロングトレーニングフィールド１９１６を備えることもできる。顕著なことであるが、ＳＴＦ１９１０、ＬＴＦ１９１２、ＳＩＧフィールド１９１４、及びＭＩＭＯ  ＬＴＦ１９１６は、例えば、単一ユーザ受信局に対して無線指向性方式で送信することができる。
【００８５】
一例により、ＳＴＦ１９１０は、継続時間が１つのＯＦＤＭシンボルであり、ＬＴＦ１９１２は、２つのＯＦＤＭシンボルであり、ＳＩＧフィールド１９１４は、１つのＯＦＤＭシンボルである。ＳＴＦ１９１０は、予め定義された回数だけ繰り返すパターンであり、高速利得制御、タイミングオフセット推定、及び周波数オフセット推定のために使用することができる。ＬＴＦ１９１２は、チャネル推定及び微周波数取得（ｆｉｎｅ  ｆｒｅｑｕｅｎｃｙ  ａｃｑｕｉｓｉｔｉｏｎ）のために使用することができる。ＳＩＧフィールド１９１４は、ＰＰＤＵ１９００内の総データ量（例えば、バイト、ビット、等）、ＰＰＤＵ１９００内に残っているデータの量、又はＰＰＤＵ１９００のペイロード部１９０４内のデータ量を示すことができる。代替として、ＳＩＧフィールド１９１４は、ＰＰＤＵ１９００のデータレートを示すことができる。他の態様では、ＳＩＧフィールド１９１４は、ＰＰＤＵ１９００の時間の全長（例えば、秒、シンボル数、等）、ＰＰＤＵ１９００内の残り時間の長さ、又はペイロード部１９０４の時間の長さを示すことができる。ＭＩＭＯ  ＬＴＦ１９１６シンボルは、各々の追加の（存在する場合）空間ストリームに関するチャネル推定及び微周波数取得を提供する。
【００８６】
上述されるように、ＰＰＤＵ１９００は、２５６点ＦＦＴ設計に基づくことができ、送信の帯域幅は、例えば、４ＭＨｚ乃至８ＭＨｚの範囲にわたることができ、サンプル継続時間範囲は、２５０ｎｓ（すなわち、１÷４ＭＨｚ）乃至１２５ｎｓ（すなわち、１÷８ＭＨｚ）になる。概して、８０ＭＨｚ８０２．１１ａｃ送信を４０÷Ｘのダウンクロック率だけダウンクロックすることによって帯域幅Ｘ  ＭＨｚを有する８０２ａｆ  ＰＰＳＵ１９００を得ることができる。本開示の一態様では、値Ｘは、４乃至１０のあらゆる値であることができる。
【００８７】
図２０は、本開示の一態様による２５６点ＤＦＴ（例えば、ＦＦＴ）設計に基づく４ＭＨｚ乃至８ＭＨｚ帯域幅８０２．１１ａｆ送信に関するＳＴＦ１９１０の典型的なパラメータ／特徴の表８００を例示する。ＳＴＦ１９１０は、受信利得制御アルゴリズムが受信された信号強度を素早く測定することを可能にする繰り返し間隔、及び、ＰＰＤＵ１９００の正確な検出を保証する上で十分な繰り返しも有するべきである。しかしながら、プリアンブル１９０２継続時間が短く維持され及びプリアンブルオーバーヘッドが低く維持されるようにＳＴＦ１９１０の総継続時間は不必要に長い（すなわち、正確なＰＰＤＵ１９００検出を保証するために必要なよりも長い）べきではない。図３に示されるように、５ＭＨｚ帯域幅８０２．１１ａｆ信号を生成するために２０ＭＨ帯域幅８０２．１１ａｃ信号が４の率だけダウンクロックされる場合は、各シンボルに関する総シンボル継続時間は、例えば、４μｓｅｃから１６μｓｅｃに増大する。８０２．１１ａｃ信号は、２つのＬ−ＳＴＦ４１０シンボルを有するため（図４参照）、Ｌ−ＳＴＦ４１０の総継続時間は、例えば、８μｓｅｃから３２μｓｅｃに増大する。同様に、５ＭＨｚ帯域幅８０２．１１ａｆ信号を生成するために８０ＭＨ帯域幅８０２．１１ａｃ信号を１６の率だけダウンクロックすることは、Ｌ−ＳＴＦ４１０の総継続時間を、例えば、８μｓｅｃから１２８μｓｅｃに増大させる。しかしながら、正確なＰＰＤＵ検出のために必要なＳＴＦの継続時間は、帯域幅の関数であるため、１２８μｓｅｃのＳＴＦ継続時間は、５ＭＨｚ信号にとっては不必要に長い可能性がある。従って、この例では、３２μｓｅｃＳＴＦ継続時間でも５ＭＨｚ帯域幅８０２．１１ａｆ信号に関して条件を満たすことができる。従って、一態様により、正確なＰＰＤＵ検出のために必要なＳＴＦ継続時間が不必要に長い値（例えば、必要な長さの４倍）まで増大せず、及び８０２．１１ａｆ  ＰＰＤＵ１９００に関するプリアンブルオーバーヘッドが最小化されるようにするためにプリアンブル１９０２のＳＴＦ１９１０内で使用されるＯＦＤＭシンボル数は２つのシンボルからちょうど１つのシンボルに減少される。
【００８８】
さらに、典型的な８０２．１１ａｃ信号送信は、２つのＳＴＦシンボル内でＬ−ＳＴＦ４１０シーケンスの１０回の繰り返し（すなわち、短いシンボル）を含み（すなわち、各ＳＴＦシンボルが５回の繰り返しを有する）。一態様により、ＰＰＤＵ１９００の単一のＳＴＦ１９００内シンボル内でのＳＴＦシーケンスの総繰り返し数をＰＰＤＵ４００の２つのＳＴＦ４１０シンボルと同じに維持するために、周波数領域においてＳＴＦ１９１０シンボルの８つ目のトーンごとにポピュレートすることができる。８つ目のトーンごとにポピュレートすることは、ＳＴＦ１９１０生シンボルにおいて８つの繰り返し間隔を有する時間領域内の繰り返しパターンが結果的に得られる。生シンボル継続時間２０４（すなわち、通常のガード間隔）の１／４に等しいサイクリックプリフィックス継続時間２０２を有する８０２．１１ａｆ送信に関しては、ＳＴＦ１９１０  ＯＦＤＭシンボル（サイクリックプリフィックスを含む）は、１つのＯＦＤＭシンボル内でＳＴＦパターンの１０回の繰り返し（すなわち、短いシンボル）を有することができる。
【００８９】
他の態様により、ＳＴＦ１９１０の１６番目ごとのトーンを周波数領域でポピュレートすることができ、その結果、ＳＴＦ１９１０生シンボル内で１６の繰り返し間隔を有する時間領域内の繰り返しパターンが得られる。生シンボル継続時間２０４（すなわち、通常のガード間隔）の１／４に等しいサイクリックプリフィックス継続時間２０２を有する８０２．１１ａｆ送信に関しては、ＳＴＦ１９１０  ＯＦＤＭシンボル（サイクリックプリフィックスを含む）は、１つのＯＦＤＭシンボル内でＳＴＦパターンの２０回の繰り返し（すなわち、短いシンボル）を有することができる。
【００９０】
８つ目ごとのトーンがポピュレートされる４ＭＨｚ乃至８ＭＨｚの範囲の帯域幅を有する２５６点ＤＦＴ（例えば、ＦＦＴ）設計に基づく８０２．１１ａｆ  ＳＴＦ１９１０シンボル送信は、８μｓｅｃ（すなわち、（２５６サンプル÷８）×サンプル当たり２５０ｎｓ）乃至４μｓｅｃ（すなわち、（２５６サンプル÷８）×サンプル当たり１２５ｎｓ）の範囲のＳＴＦ繰り返し間隔をそれぞれ有することになる。例えば、５ＭＨｚ帯域幅８０２．１１ａｆ送信は、６．４μｓｅｃに等しい繰り返し間隔を有するＳＴＦ１９１０を有することになる。他の例として、５．５ＭＨｚ帯域幅８０２．１１ａｆ送信は、約５．８１８μｓｅｃの繰り返し間隔を有するＳＴＦ１９１０シンボルを有することになる。６ＭＨｚ帯域幅８０２．１１ａｆ送信は、約５．３３３μｓｅｃの繰り返し間隔を有するＳＴＦ１９１０シンボルを有することになる。ＳＴＦ１９１０の総継続時間は、８ＭＨｚ帯域幅８０２．１１ａｆ  ＰＰＳＵ１９００の場合は４０μｓｅｃであることができる。ＳＴＦ１９１０の総継続時間は、４ＭＨｚ帯域幅８０２．１１ａｆ  ＰＰＳＵ１９００の場合は８０μｓｅｃであることができる。従って、ＰＰＳＵ１９００に関するＳＴＦ１９１０総継続時間は、ＳＴＦ１９１０の８つ目ごとのトーンがポピュレートされる場合は４０μｓｅｃ乃至８０μｓｅｃの範囲であることができる。１６番目ごとのトーンがポピュレートされる場合は、これらの繰り返し間隔値の各々を半分にすることができる。従って、ＰＰＤＵ１９００に関するＳＴＦ１９１０総継続時間は、ＳＴＦ７１０シンボルの１６番目のトーンごとにポピュレーされる場合は２０μｓｅｃ乃至４０μｓｅｃの範囲であることができる。
【００９１】
本開示の一態様により、ＳＴＦ１９１０は、２つのシンボルを含むことができ、各々は１０の短いシンボルを有する。他の態様により、ＳＴＦ１９１０の４つ目ごとのトーンをポプュレートすることができ、このため、各ＳＴＦ１９１０シンボルは、ちょうど５つの短いシンボルを含む。該場合は、ＳＴＦ１９１０は、２つのシンボルを含むことができ、このため、ＳＴＦ１９１０は、合計１０の短いシンボルを有する。
【００９２】
図２１は、一態様による２５６点ＤＦＴ（例えば、ＦＦＴ）設計に基づく４ＭＨｚ乃至８ＭＨｚ帯域幅８０２．１１ａｆ送信のためのＳＩＧフィールド１９１４のためのトーン及びビット情報を示す典型的な表２１００を例示する。示される例では、単一シンボルＳＩＧフィールド１９１４は、２３４のデータトーン、８つのパイロットトーン、３つのＤＣトーン、及び１１のガードトーン（例えば、送信帯域幅の一方の側に６つのトーン及び他方の側に５トーン）が特徴である。図６に関して上述される８０ＭＨｚ帯域幅８０２．１１ａｃ信号のＬ−ＳＩＧフィールド４１４及びＶＨＴ−ＳＩＧ  Ａフィールド４１６と異なり、ＳＩＧフィールド１９１４情報は、４乃至８ＭＨｚ帯域幅８０２．１１ａｆ送信のいずれのサブバンドでもコピーして繰り返す必要がなく、その理由は、複合送信のサブバンドを復号することのみが可能なレガシーデバイスとの共存はここでは関心事でないためである。従って、８０２．１１ａｆ送信は、ＳＩＧフィールド１９１４を生成するために２５６の総トーン範囲全体を利用することができる。これは、ＳＩＧフィールド１９１４が単一のＯＦＤＭシンボルで一意のビットの情報を送信するために２３４のデータトーンを利用するのを可能にし、他方、Ｌ−ＳＩＧフィールド４１４及びＶＨＴ−ＳＩＧ  Ａフィールド４１６は、単一のＯＦＤＭシンボルで一意のビットの情報を送信するために４８のデータトーンを使用することに制限される。一態様により、ＢＰＳＫ及び１／２レートコーディングを使用することは、ＳＩＧフィールド１９１４が単一のＯＦＤＭシンボルで２３４のデータトーンを通じて１１７ビットの情報を送信するのを可能にし、他方、Ｌ−ＳＩＧフィールド４１４及びＶＨＴ−ＳＩＧ  Ａフィールド４１６は、４８のデータトーンを通じて２４ビットの情報を送信することに制限される。従って、８０２．１１ａｃ送信のＬ−ＳＩＧフィールド４１４及びＶＨＴ−ＳＩＧ  Ａフィールド４１６内で３つのＯＦＤＭシンボルで送信される同じタイプのデータの多くを、８０２．１１ａｆ送信に関する単一のＳＩＧフィールド１９１４内で送信することができる。これは、８０２．１１ａｆ  ＰＰＤＵ１９００に関するプリアンブルオーバーヘッドをさらに低減させる。ここではＢＰＳＫ及び１／２レートコーディングが例として使用されるが、ここにおけるシステム及び方法によりその他の変調方式及び／又はコーディングレートを使用することができ、それは、異なる数のビットを各シンボルに含めることを可能にすることが注目されるべきである。
【００９３】
ＳＩＧフィールド１９１４及びＭＩＭＯ−ＬＴＦ１９１６と同様に、ＯＦＤＭシンボルも、２３４のデータトーン、８つのパイロットトーン、３つのＤＣトーン、及び１１のガードトーン（例えば、送信帯域幅の一方の側に６トーン、他方の側に５トーン）を利用することができる。
【００９４】
本開示の一態様により、ＳＩＧフィールド１９１４内で利用可能な総トーン数のうちのデータトーン数は、２３４のデータトーンに制限されない。具体的には、データトーン数は、２３４よりも少ないこと又は多いことができる。例えば、本開示の一態様により、ＳＩＧフィールド１９１４情報（例えば、図２２に示されるデータの一部分であり、ＰＰＤＵ１９００及び／又はペイロード１９０４の送信のための残りのデータ量又は時間の長さを含む）を送信するために２３４の総トーンのうちの４９以上のデータトーンを利用することができる。一態様により、ＳＩＧフィールド１９１４情報を送信又は受信するために使用されるデータトーン数は、利用可能な総データトーン数（例えば、２５６の総トーン）の２０％以上であることができる。他の態様により、ＳＩＧフィールド１９１４情報を送信又は受信するために使用されるデータトーン数は、利用可能な総データトーン数（例えば、２５６の総トーン）の３０％以上であることができる。他の態様により、ＳＩＧフィールド１９１４情報を送信又は受信するために使用されるデータトーン数は、利用可能な総データトーン数（例えば、２５６の総トーン）の４０％以上であることができる。さらに他の態様により、ＳＩＧフィールド１９１４情報を送信又は受信するために使用されるデータトーン数は、利用可能な総データトーン数（例えば、２５６の総トーン）の５０％以上であることができる。さらに他の態様により、ＳＩＧフィールド１９１４情報を送信又は受信するために使用されるデータトーン数は、利用可能な総データトーン数（例えば、２５６の総トーン）の６０％以上であることができる。さらに他の態様により、ＳＩＧフィールド１９１４情報を送信又は受信するために使用されるデータトーン数は、利用可能な総データトーン数（例えば、２５６の総トーン）の７０％以上であることができる。さらに他の態様により、ＳＩＧフィールド１９１４情報を送信又は受信するために使用されるデータトーン数は、利用可能な総データトーン数（例えば、２５６の総トーン）の８０％以上であることができる。さらに他の態様により、ＳＩＧフィールド１９１４情報を送信又は受信するために使用されるデータトーン数は、利用可能な総データトーン数（例えば、２５６の総トーン）の９０％以上であることができる。
【００９５】
このようにして、８０２．１１ａｆ  ＰＰＤＵ１９００に関するプリアンブル（例えば、ＳＴＦ１９１０、ＬＴＦ１９１２、及びＳＩＧフィールド１９１４）は、単一の空間ストリームに関して４つのＯＦＤＭシンボルしか要求しない。対照的に、対応する８０２．１１ａｃ  ＰＰＤＵ４００のプリアンブル（例えば、Ｌ−ＳＴＦ４１０、Ｌ−ＬＴＦ４１２、Ｌ−ＳＩＧフィールド４１４、ＶＨＴ−ＳＩＧ  Ａフィールド４１６）は、１０のＯＦＤＭシンボルを要求することができる。８０２．１１ａｆ  ＰＰＤＵの低減されたプリアンブルオーバーヘッドは、所定の８０２．１１ａｆ送信に関して８０２．１１ａｆ  ＰＰＤＵのデータ部１９０４内でより多くのデータを送信することを可能にする。概して、４つのプリアンブルシンボル（例えば、ＳＴＦ１９１０、ＬＴＦ１９１２、及びＳＩＧフィールド１９１４）を有する２５６点ＤＦＴに基づくＸ  ＭＨｚ帯域幅８０２．１１ａｆ  ＰＰＤＵ１９００は、４×（（６４＋２５６）×（１÷Ｘ））μｓｅｃに等しい総プリアンブル継続時間を有することができ、ここで、Ｘは、例えば、４乃至１０の間のいずれかの値であることができる。従って、一態様により、４つのプリアンブルシンボル（例えば、ＳＴＦ１９１０、ＬＴＦ１９１２、及びＳＩＧフィールド１９１４）を有する２５６点ＤＦＴに基づく５ＭＨｚ帯域幅８０２．１１ａｆ  ＰＰＤＵ１９００は、２５６μｓｅｃの総プリアンブル継続時間を有する。他の態様により、４つのプリアンブルシンボル（例えば、ＳＴＦ１９１０、ＬＴＦ１９１２、及びＳＩＧフィールド１９１４）を有する６ＭＨｚ帯域幅８０２．１１ａｆ  ＰＰＤＵ１９００は、２１３．３３３μｓｅｃの総プリアンブル継続時間を有する。他の態様により、４つのプリアンブルシンボル（例えば、ＳＴＦ１９１０、ＬＴＦ１９１２、及びＳＩＧフィールド１９１４）を有する８ＭＨｚ帯域幅８０２．１１ａｆ  ＰＰＤＵ１９００は、１６０μｓｅｃの総プリアンブル継続時間を有する。従って、４ＭＨｚ乃至８ＭＨｚ８０２．１１ａｆ  ＰＰＤＵ１９００に関する４つのシンボルプリアンブルの総継続時間は、１６０μｓｅｃ乃至３２０μｓｅｃの範囲であることができる。
【００９６】
図２２は、本開示の一態様によるＳＩＧフィールド１９１４の典型的な内容を含む表１５００を例示する。ＳＩＧフィールド１９１４は、ＰＰＤＵ１９００が単一ユーザ送信のときに使用することができる。ＳＩＧフィールド１９１４は、９ビットの長さ又は継続時間フィールド２２０２、４ビットのＭＣＳフィールド２２０４、２ビットの帯域幅フィールド２２０６、１ビットのアグリゲーションフィールド２２０８、１ビットのＳＴＢＣフィールド２２１０、２ビットの誤りコーディングタイプフィールド２２１２、１ビットのＳＧＩフィールド２２１４、２ビットの空間時間ストリーム数フィールド２２１６、１６ビットの全関連付け識別子（ＦＡＩＤ）フィールド２２１８、６９ビットの予約フィールド２２２０、４ビットのＣＲＣフィールド２２２２、及び／又は６ビットのテールフィールド２２２４を含むことができる。
【００９７】
長さ又は継続時間フィールド２２０２は、ペイロード部１９０４又はＰＰＤＵ１９００自体内に入っているデータの量（例えば、バイト数）及び／又はペイロード部１９０４又はＰＰＤＵ１９００が送信媒体を占有する継続時間を識別する。その他の態様では、長さ又は継続時間フィールド２２０２は、ＰＰＤＵ１９００のデータレートを示すことができる。ＭＣＳフィールド２２０４は、ペイロード１９０４及び／又はＰＰＤＵ１９００のために使用される変調タイプ（ＢＰＳＫ、ＱＰＳＫ、ＱＡＭ、等）及びコーディングレート（１／２、２／３、３／４、等）方式を示す。帯域幅フィールド２２０６は、ペイロード１９０４及び／又はＰＰＤＵ１９００の帯域幅を示す。アグリゲーションフィールド２２０８は、ＭＡＣレベルアグリゲーションを使用中であるかどうか、従って、ペイロード１９０４がデリミターによって分離されたペイロード１９０４内の複数のＰＰＤＵを含むＡＭＰＤＵであるかどうかを示す。
【００９８】
ＳＴＢＣフィールド２２１０は、空間時間ブロックコーディングがペイロード１９０４及び／又はＰＰＤＵ１９００のためにイネーブルになっているかどうかを示す。誤りコーディングタイプフィールド２２１２は、ペイロード１９０４及び／又はＰＰＤＵ１９００のために使用される誤りコーディングのタイプを示す。例えば、第１のビットは、ＢＣＣ誤り検出又はＬＤＰＣコード誤り検出のいずれが使用されるかを示す。第２のビットは、ＬＤＰＣの場合に関するシンボル数の曖昧さを解決する。ＳＧＩフィールド２２１４は、ペイロード１９０４及び／又はＰＰＤＵ１９００が短いガード間隔（ＳＧＩフィールド２２１４がＯＮ／アクティブ）又は通常のガード間隔（ＳＧＩフィールド２２１４がＯＦＦ／非アクティブ）のいずれを有するシンボルを使用中であるかを示す。ＮＳＴＳフィールド２２１６は、空間ストリーム数を指定する。ＦＡＩＤフィールド２２１８は、ＰＰＤＵ１９００のユーザ／受け取り者を識別し、意図されない受信機は全関連付けＩＤがそれら自体のものと合致しないため早期に受信を終了するように通知する。予約フィールド２２２０は、ＰＰＤＵ１９００及び／又はペイロード１９０４のその他のパラメータを示すことができるビットを含み、及び／又は将来のモードを示す。ＣＲＣフィールド２２２２は、ＰＰＤＵ１９００に関する誤りの存在を決定するための巡回冗長性検査のために使用されるビットを含む。テールフィールド２２２４は、受信機の復号器をフラッシュアウトするためのビットを含む。
【００９９】
図２３は、本開示の一態様による２５６点ＤＦＴ（例えば、ＦＦＴ）設計に基づく８０２．１１ａｆ送信のための典型的なＰＰＤＵ２３００を例示する。一態様により、ＰＰＤＵ２３００は、多ユーザ（ＭＵ）８０２．ａｆ送信又は単一ユーザ（ＳＵ）ビーム形成８０２．ａｆ送信のために使用することができる。ＰＰＤＵ２３００は、例えば８０ＭＨｚ８０２．１１ａｃ信号をダウンクロックすることによって生成される例えば４乃至８ＭＨｚ帯域幅８０２．１１ａｆ送信において使用することができる。ＰＰＤＵ２３００は、プリアンブル部２３０２とデータ部２３０４とを備える。プリアンブル２３０２は、図１９に関して上述されるようにショートトレーニングフィールド（ＳＴＦ）１９１０とロングトレーニングフィールド（ＬＴＦ）１９１２とを備える。しかしながら、ＰＰＤＵ２３００は、多ユーザＳＩＧフィールド２３１４と、プリコーディングされたショートトレーニングフィールド（ＰＣ−ＳＴＦ）２３１８と、１つ以上のプリコーディングされたロングトレーニングフィールド（ＰＣ−ＬＴＦ）２３２０と、をさらに含むことができる。ＳＴＦ１９１０、ＬＴＦ１９１２、及びＳＩＧフィールド２３１４は、無指向性方式で送信され、このため、それは、範囲内のすべての８０２．１１ａｆデバイスによって復号することができる一方で、ＰＣ−ＳＴＦ２３１８及びＰＣ−ＬＴＦ２３２０は、ビーム形成された送信及び／又はＳＤＭＡプリコーディングされ、このため、それらは、それらが関連付けられている８０２．ａｆデバイスによってしか復号されない。
【０１００】
一例により、ＳＩＧフィールド２３１４は、１つのＯＦＤＭシンボルであり、ＰＣ−ＳＴＦ２３１８は、１つのＯＦＤＭシンボルであり、ＰＣ−ＬＴＦ２３２０も、ＰＣ−ＬＴＦ２３２０フィールド当たり１つのＯＦＤＭシンボルである。１つ以上のＰＣ−ＬＴＦ２３２０フィールドが存在することができ、その数は、空間ストリーム数の関数である。ＳＩＧフィールド２３１４は、ＰＰＤＵ２３００内の総データ量（例えば、バイト、ビット、等）、ＰＰＤＵ２３１４内に残っているデータ量、又はＰＰＤＵ２３００のペイロード部２３０４内のデータ量を示すことができる。代替として、ＳＩＧフィールド２３１４は、ＰＰＤＵ２３００のデータレートを示すことができる。他の態様では、ＳＩＧフィールド２３１４は、ＰＰＤＵ２３００の時間の全長（例えば、秒、シンボル数、等）、ＰＰＤＵ２３００内の残り時間の長さ、又はペイロード部２３０４の時間の長さを示すことができる。
【０１０１】
上述されるＳＩＧフィールド１９１４と同様に、ＳＩＧフィールド２３１４は、２３４のデータトーン、８つのパイロットトーン、３つのＤＣトーン、及び１１のガードトーン（例えば、送信帯域幅の一方の側に６トーン及び他方の側に５トーン）が特徴である。ＳＩＧフィールド２３１４情報は、４乃至８ＭＨｚ帯域幅８０２．１１ａｆ送信のいずれのサブバンドでもコピーして繰り返す必要がなく、その理由は、複合送信のサブバンドを復号することのみが可能なレガシーデバイスとの共存はここでは関心事でないためである。従って、８０２．１１ａｆ送信は、ＳＩＧフィールド２３１４を生成するために２５６の総トーン範囲全体を利用することができる。これは、ＳＩＧフィールド２３１４が単一のＯＦＤＭシンボルで一意のビットの情報を送信するために２３４のデータトーンを利用するのを可能にし、他方、Ｌ−ＳＩＧフィールド４１４及びＶＨＴ−ＳＩＧ  Ａフィールド４１６は、単一のＯＦＤＭシンボルで一意のビットの情報を送信するために４８のデータトーンを使用することに制限される。一態様により、ＢＰＳＫ及び１／２レートコーディングを使用することは、ＳＩＧフィールド２３１４が単一のＯＦＤＭシンボルで２３４のデータトーンを通じて１１７ビットの情報を送信するのを可能にし、他方、Ｌ−ＳＩＧフィールド４１４及びＶＨＴ−ＳＩＧ  Ａフィールド４１６は、４８のデータトーンを通じて２４ビットの情報を送信することに制限される。従って、８０２．１１ａｃ送信のＬ−ＳＩＧフィールド４１４及びＶＨＴ−ＳＩＧ  Ａフィールド４１６内で３つのＯＦＤＭシンボルで送信される同じタイプのデータの多くを、８０２．１１ａｆ送信に関する単一のＳＩＧフィールド２３１４内で送信することができる。これは、８０２．１１ａｆ  ＰＰＤＵ２３００に関するプリアンブルオーバーヘッドをさらに低減させる。ここではＢＰＳＫ及び１／２レートコーディングが例として使用されるが、ここにおけるシステム及び方法によりその他の変調方式及び／又はコーディングレートを使用することができ、それは、異なる数のビットを各シンボルに含めることを可能にすることが注目されるべきである。
【０１０２】
本開示の一態様により、ＳＩＧフィールド２３１４内で利用可能な総トーン数のうちのデータトーン数は、２３４のデータトーンに制限されない。具体的には、データトーン数は、２３４よりも少ないこと又は多いことができる。例えば、本開示の一態様により、ＳＩＧフィールド２３１４情報（例えば、図２４に示されるデータの一部分であり、ＰＰＤＵ２３００及び／又はペイロード２３０４の送信のための残りのデータ量又は時間の長さを含む）を送信するために２３４の総トーンのうちの４９以上のデータトーンを利用することができる。一態様により、ＳＩＧフィールド２３１４情報を送信又は受信するための使用されるデータトーン数は、利用可能な総データトーン数（例えば、２５６の総トーン）の２０％以上であることができる。他の態様により、ＳＩＧフィールド２３１４情報を送信又は受信するために使用されるデータトーン数は、利用可能な総データトーン数（例えば、２５６の総トーン）の３０％以上であることができる。他の態様により、ＳＩＧフィールド２３１４情報を送信又は受信するために使用されるデータトーン数は、利用可能な総データトーン数（例えば、２５６の総トーン）の４０％以上であることができる。さらに他の態様により、ＳＩＧフィールド２３１４情報を送信又は受信するために使用されるデータトーン数は、利用可能な総データトーン数（例えば、２５６の総トーン）の５０％以上であることができる。さらに他の態様により、ＳＩＧフィールド２３１４情報を送信又は受信するために使用されるデータトーン数は、利用可能な総データトーン数（例えば、２５６の総トーン）の６０％以上であることができる。さらに他の態様により、ＳＩＧフィールド２３１４情報を送信又は受信するために使用されるデータトーン数は、利用可能な総データトーン数（例えば、２５６の総トーン）の７０％以上であることができる。さらに他の態様により、ＳＩＧフィールド２３１４情報を送信又は受信するために使用されるデータトーン数は、利用可能な総データトーン数（例えば、２５６の総トーン）の８０％以上であることができる。さらに他の態様により、ＳＩＧフィールド２３１４情報を送信又は受信するために使用されるデータトーン数は、利用可能な総データトーン数（例えば、２５６の総トーン）の９０％以上であることができる。
【０１０３】
上述されるＳＴＦ１９１０とほぼ同じように、通常のサイクリックプリフィックスガード間隔を利用する単一のＯＦＤＭシンボル内で１０回繰り返す繰り返しパターンを生成するためにＰＣ−ＳＴＦ２３１８シンボルの８つ目のトーンごとにポピュレートすることができる。ＳＩＧフィールド２３１４と同様に、ＰＣ−ＬＴＦ２３２０ＯＦＤＭシンボルも、２３４のデータトーン、８つのパイロットトーン、３つのＤＣトーン、及び１１のガードトーン（例えば、送信帯域幅の一方の側に６トーン、他方の側に５トーン）を利用することができる。
【０１０４】
このようにして、８０２．１１ａｆ  ＰＰＤＵ２３００に関するプリアンブル２３０２（例えば、ＳＴＦ１９１０、ＬＴＦ１９１２、及びＳＩＧフィールド２３１４、ＰＣ−ＳＴＦ２３１８、及び１つのＰＣ−ＬＴＦ２３２０）は、６つのＯＦＤＭシンボルしか要求することができない（単一のＰＣ−ＬＴＦ２３２０の場合）。対照的に、８０２．１１ａｃ  ＰＰＤＵ４００のプリアンブル（例えば、Ｌ−ＳＴＦ４１０、Ｌ−ＬＴＦ４１２、Ｌ−ＳＩＧフィールド４１４、ＶＨＴ−ＳＩＧ  Ａフィールド４１６、ＶＨＴ−ＳＴＦ４１８、ＶＨＴ−ＬＴＦ４２０、及びＶＨＴ−ＳＩＧ  Ｂ４２２）は、１０のＯＦＤＭシンボルを要求することができる（単一のＶＨＴ−ＬＴＦ４２２の場合）。８０２．１１ａｆ  ＰＰＤＵ２３００の低減されたプリアンブルオーバーヘッド（例えば、短縮されたプリアンブル２３０２継続時間）は、所定の８０２．１１ａｆ  ＰＰＤＵ送信に関して８０２．１１ａｆ  ＰＰＤＵ２３００のデータ部２３０４内でより多くのデータを送信することを可能にする。概して、６つのプリアンブルシンボル（例えば、ＳＴＦ１９１０、ＬＴＦ１９１２、ＳＩＧフィールド２３１４、ＰＣ−ＳＴＦ２３１８、及び１つのＰＣ−ＬＴＦ２３２０）を有するＸ  ＭＨｚ帯域幅８０２．１１ａｆ  ＰＰＤＵ２３００は、６×（（６４＋２５６）×（１÷Ｘ））μｓｅｃに等しい総プリアンブル継続時間を有することができ、ここで、Ｘは、例えば、４乃至１０の間のいずれかの値であることができる。
【０１０５】
図２４は、本開示の一態様によるＳＩＧフィールド２３１４の典型的なビットフィールドを示した表２４００を例示する。ＳＩＧフィールド２３１４は、ＰＰＤＵ２３００が多ユーザ送信のときに使用することができる。ＳＩＧフィールド２３１４は、９ビットの長さ又は継続時間フィールド２４０２、１６ビットのＭＣＳフィールド２４０４、２ビットの帯域幅フィールド２４０６、１ビットのＳＴＢＣフィールド２４０８、５ビットの誤りコーディングタイプフィールド２４１０、１ビットのＳＧＩフィールド２４１２、８ビットのＮＳＴＳフィールド２４１４、５９ビットの予約フィールド２４１６、４ビットのＣＲＣフィールド２４１８、及び／又は６ビットのテールフィールド２４２０を含むことができる。
【０１０６】
長さ又は継続時間フィールド２４０２は、ペイロード部２３０４又はＰＰＤＵ２３００自体内に入っているデータの量（例えば、バイト数）及び／又はペイロード部２３０４又はＰＰＤＵ２３００が送信媒体を占有する継続時間を識別する。その他の態様では、長さ又は継続時間フィールド２４０２は、ＰＰＤＵ２３００のデータレートを示すことができる。ＭＣＳフィールド２４０４は、ＰＰＤＵ２３００に関して各々のユーザのために使用される変調タイプ（ＢＰＳＫ、ＱＢＰＳＫ、ＱＰＳＫ、８−ＱＡＭ、１６−ＱＡＭ、６４−ＱＡＭ、等）及びコーディングレート方式（１／２、２／３、３／４、５／６、７／８、等）を示す（例えば、４つのユーザであり、使用される変調及びコーディングレートを示すために１つのユーザと各々関連付けられた１６ビットのうちの４ビット）。帯域幅フィールド２４０６は、ペイロード２３０４及び／又はＰＰＤＵ２３００の帯域幅を示す。
【０１０７】
ＳＴＢＣフィールド２４０８は、空間時間ブロックコーディングがペイロード２３０４及び／又はＰＰＤＵ２３００のためにイネーブルになっているかどうかを示す。誤りコーディングタイプフィールド２４１０は、ペイロード２３０４及び／又はＰＰＤＵ２３００のために使用される誤りコーディングのタイプを示す。例えば、最初の４ビットは、４つの可能性のあるユーザ／受信機の各々に関してＢＣＣ誤り検出又はＬＤＰＣ誤り検出のいずれが使用されるかを示す。第５のビットは、ＳＵ送信事例に関して説明されるＬＤＰＣの曖昧さ問題を解決する。ＳＧＩフィールド２４１２は、ペイロード２３０４及び／又はＰＰＤＵ２３００が短いガード間隔（ＳＧＩフィールド２４１２がＯＮ／アクティブ）又は通常のガード間隔（ＳＧＩフィールド２４１２がＯＦＦ／非アクティブ）のいずれを有するシンボルを使用中であるかを示す。グループＩＤフィールド２４１４は、複数の受信機（例えば、受信局）を関連付けることができるグループ識別子を示すために使用される。ＮＳＴＳフィールド２４１６は、ユーザ当たりの空間ストリーム数を指定する（ユーザ当たりの空間ストリーム数を示すために２ビットが使用される）。予約フィールド２４１８は、ＰＰＤＵ２３００及び／又はペイロード２３０４のその他のパラメータを示すことができるビットを含み、及び／又は将来のモードを示す。ＣＲＣフィールド２４２０は、ＰＰＤＵ２３００に関する誤りの存在を決定するための巡回冗長性検査のために使用されるビットを含む。テールフィールド２４２２は、受信機の復号器をフラッシュアウトするためのビットを含む。
【０１０８】
図２５は、送信機（例えば、アクセスポイント、基地局、アクセス端末、無線通信デバイス、等内の送信機）において動作可能なテレビ放送周波数スペクトル（例えば、ＴＶＷＳ）での無線通信のための方法のフローチャート２５００を例示する。ステップ２５０２において、送信機は、プリアンブル及びペイロードを有する物理層コンバージェンスプロトコルパケットデータユニット（ＰＰＤＵ）を生成することができ、ＰＰＤＵのシンボルは、１２８の総（直交周波数分割多重化）ＯＦＤＭトーン又は２５６の総ＯＦＤＭトーンを各々含み、プリアンブルは、ＰＰＤＵのシンボルが１２８の総ＯＦＤＭトーンを含む場合は１０８のＯＦＤＭデータトーンを有し、ＰＰＤＵのシンボルが２５６の総ＯＦＤＭトーンを含む場合は２３４のＯＦＤＭデータトーンを有する信号（ＳＩＧ）フィールドシンボルを含む。ＳＩＧフィールドシンボルは、ペイロード内のデータ量又はＰＰＤＵがテレビ放送周波数スペクトルを占有する時間の長さのうちの少なくとも１つを示す。ステップ２５０４において、送信機は、テレビ放送周波数スペクトルでＰＰＤＵを送信する。
【０１０９】
一態様により、送信機において動作可能なテレビ放送周波数スペクトルでの無線通信のための方法が提供され、その方法は、（ａ）プリアンブル及びペイロードを有する物理層コンバージェンスプロトコルパケットデータユニット（ＰＰＤＵ）を生成することであって、ＰＰＤＵのシンボルは、第１の総（直交周波数分割多重化）ＯＦＤＭトーン数又は第２の総ＯＦＤＭトーン数を各々含み、プリアンブルは、ＰＰＤＵのシンボルが第１の総ＯＦＤＭトーン数を含む場合は第１のＯＦＤＭデータトーン数を有し、ＰＰＤＵのシンボルが第２の総ＯＦＤＭトーン数を含む場合は第２のＯＦＤＭデータトーン数を有する信号（ＳＩＧ）フィールドシンボルを含み、ＳＩＧフィールドシンボルは、ペイロード内のデータ量又はＰＰＤＵがテレビ放送周波数スペクトルを占有する時間の長さのうちの少なくとも１つを示すことと、ＰＰＤＵをテレビ放送周波数スペクトルで送信することと、を備える。一態様により、第１の総ＯＦＤＭトーン数は、１２８に等しく、第２の総ＯＦＤＭトーン数は、２５６に等しい。他の態様により、第１のＯＦＤＭデータトーン数は、第１の総ＯＦＤＭトーン数の３９％超である。さらに他の態様により、第１のＯＦＤＭデータトーン数は、第１の総ＯＦＤＭトーン数の５０％超である。さらに他の態様により、第１のＯＦＤＭデータトーン数は、第１の総ＯＦＤＭトーン数の６０％超である。さらに他の態様により、第１のＯＦＤＭデータトーン数は、第１の総ＯＦＤＭトーン数の７０％超である。さらに他の態様により、第１のＯＦＤＭデータトーン数は、第１の総ＯＦＤＭトーン数の８０％超である。一態様により、第２のＯＦＤＭデータトーン数は、第２の総ＯＦＤＭトーン数の２０％超である。他の態様により、第２のＯＦＤＭデータトーン数は、第２の総ＯＦＤＭトーン数の３０％超である。さらに他の態様により、第２のＯＦＤＭデータトーン数は、第２の総ＯＦＤＭトーン数の４０％超である。さらに他の態様により、第２のＯＦＤＭデータトーン数は、第２の総ＯＦＤＭトーン数の５０％超である。さらに他の態様により、第２のＯＦＤＭデータトーン数は、第２の総ＯＦＤＭトーン数の６０％超である。さらに他の態様により、第２のＯＦＤＭデータトーン数は、第２の総ＯＦＤＭトーン数の７０％超である。さらに他の態様により、第２のＯＦＤＭデータトーン数は、第２の総ＯＦＤＭトーン数の８０％超である。さらに他の態様により、第２のＯＦＤＭデータトーン数は、第２の総ＯＦＤＭトーン数の９０％超である。
【０１１０】
図２６は、受信機（例えば、アクセスポイント、基地局、アクセス端末、無線通信デバイス、等内の受信機）において動作可能なテレビ放送周波数スペクトル（例えば、ＴＶＷＳ）での無線通信のための方法のフローチャート２６００を例示する。ステップ２６０２において、受信機は、プリアンブル及びペイロードを有する物理層コンバージェンスプロトコルパケットデータユニット（ＰＰＤＵ）をテレビ放送周波数スペクトルで受信し、ＰＰＤＵのシンボルは、１２８の総（直交周波数分割多重化）ＯＦＤＭトーン又は２５６の総ＯＦＤＭトーンを各々含み、プリアンブルは、ＰＰＤＵのシンボルが１２８の総ＯＦＤＭトーンを含む場合は１０８のＯＦＤＭデータトーンを有し、ＰＰＤＵのシンボルが２５６の総ＯＦＤＭトーンを含む場合は２３４のＯＦＤＭデータトーンを有する信号（ＳＩＧ）フィールドシンボルを含む。ＳＩＧフィールドシンボルは、ペイロード内のデータ量又はＰＰＤＵがテレビ放送周波数スペクトルを占有する時間の長さのうちの少なくとも１つを示す。ステップ２６０４において、受信されたＰＰＤＵのプリアンブルは、ＰＰＤＵのシンボルが１２８の総ＯＦＤＭトーンを各々含む場合はショートトレーニングフィールド（ＳＴＥ）シンボルの８つ目ごとのトーンをポピュレートすることができ、ＰＰＤＵのシンボルが２５６の総ＯＦＤＭトーンを各々含む場合１６個目ごとのトーンをポピュレートすることができる。
【０１１１】
一態様により、受信機において動作可能なテレビ放送周波数スペクトルでの無線通信のための方法が提供され、その方法は、（ａ）プリアンブル及びペイロードを有する物理層コンバージェンスプロトコルパケットデータユニット（ＰＰＤＵ）をテレビ放送周波数スペクトルで受信することであって、ＰＰＤＵのシンボルは、第１の総（直交周波数分割多重化）ＯＦＤＭトーン数又は第２の総ＯＦＤＭトーン数を各々含み、プリアンブルは、ＰＰＤＵのシンボルが第１の総ＯＦＤＭトーン数を含む場合は第１のＯＦＤＭデータトーン数を有し、ＰＰＤＵのシンボルが第２の総ＯＦＤＭトーン数を含む場合は第２のＯＦＤＭデータトーン数を有する信号（ＳＩＧ）フィールドシンボルを含み、ＳＩＧフィールドシンボルは、ペイロード内のデータ量又はＰＰＤＵがテレビ放送周波数スペクトルを占有する時間の長さのうちの少なくとも１つを示すことを備える。一態様により、第１の総ＯＦＤＭトーン数は、１２８に等しく、第２の総ＯＦＤＭトーン数は、２５６に等しい。他の態様により、第１のＯＦＤＭデータトーン数は、第１の総ＯＦＤＭトーン数の３９％超である。さらに他の態様により、第１のＯＦＤＭデータトーン数は、第１の総ＯＦＤＭトーン数の５０％超である。さらに他の態様により、第１のＯＦＤＭデータトーン数は、第１の総ＯＦＤＭトーン数の６０％超である。さらに他の態様により、第１のＯＦＤＭデータトーン数は、第１の総ＯＦＤＭトーン数の７０％超である。さらに他の態様により、第１のＯＦＤＭデータトーン数は、第１の総ＯＦＤＭトーン数の８０％超である。一態様により、第２のＯＦＤＭデータトーン数は、第２の総ＯＦＤＭトーン数の２０％超である。他の態様により、第２のＯＦＤＭデータトーン数は、第２の総ＯＦＤＭトーン数の３０％超である。さらに他の態様により、第２のＯＦＤＭデータトーン数は、第２の総ＯＦＤＭトーン数の４０％超である。さらに他の態様により、第２のＯＦＤＭデータトーン数は、第２の総ＯＦＤＭトーン数の５０％超である。さらに他の態様により、第２のＯＦＤＭデータトーン数は、第２の総ＯＦＤＭトーン数の６０％超である。さらに他の態様により、第２のＯＦＤＭデータトーン数は、第２の総ＯＦＤＭトーン数の７０％超である。さらに他の態様により、第２のＯＦＤＭデータトーン数は、第２の総ＯＦＤＭトーン数の８０％超である。さらに他の態様により、第２のＯＦＤＭデータトーン数は、第２の総ＯＦＤＭトーン数の９０％超である。
【０１１２】
図２７は、テレビ放送周波数スペクトル（例えば、未使用のＴＶＷＳチャネル）を通じての通信のために好適化することができる典型的な無線デバイス２７００を例示したブロック図である。例えば、無線デバイス２７００は、アクセスポイント、アクセス端末、基地局、携帯電話、等であることができる。無線デバイス２７００は、記憶媒体２７０４（例えば、メモリデバイス、メモリカード、非揮発性記憶装置、等）に結合された処理回路２７０２、ユーザ出力インタフェース２７０６（例えば、ディスプレイ、スピーカー、等）、ユーザ入力インタフェース２７０８（例えば、マイク、キーパッド、等）及び／又は無線通信回路２７１０を含むことができる。処理回路２７０２は、アプリケーションの実行、ウェブブラウザ、電話呼動作、等を含む無線デバイス２７００の幾つかの動作を実施するように好適化することができる。無線通信回路２７１０は、インタフェース回路２７１４に結合された送信機回路２７１２と受信機回路２７１６とを含むことができる。
【０１１３】
送信機回路２７１２及び／又はインタフェース回路２７１４は、送信機チェーンを含むことができ、及び、処理回路２７０２からデータを受信し、そのデータを変調して波形を形成する幾つかの副搬送波（トーン／周波数）に入れ、その波形を未使用のテレビチャネル（すなわち、ＴＶＷＳ）を通じての送信のために変調してプライマリ搬送波周波数にすることによって送信動作を行うように好適化することができる。データを変調して幾つかの副搬送波に入れて波形を形成する際には、送信機チェーンのためのクロックにダウンクロック率を適用し、送信機チェーンのコンポーネント内へのクロック周波数の速度をダウンクロック率により低下させることができる。クロックの速度を第１の周波数から第２の周波数に低下させることによって、帯域幅も、（原クロックによって提供される帯域幅に関して）（例えば、原クロックに対応する）第１の帯域幅から（ダウンクロックされた／速度低下されたクロックに対応する）第２の帯域幅に低減される。
【０１１４】
受信機回路２７１６及び／又はインタフェース回路２７１４は、受信機チェーンを含むことができ、及び、アンテナ２７０７から波形を受信することによって受信動作を行い、その波形をベースバンド波形に復調して中のデータを入手するように好適化することができる。
【０１１５】
波形をダウンクロックすることは、ダウンクロック率をクロックに単に適用することによってレガシー送信機／受信機チェーン回路設計を再使用することを可能にする。例えば、４０ＭＨｚ又は８０ＭＨｚの波形を生成するために既存の４０ＭＨｚ又は８０ＭＨｚクロックをそれぞれ使用することができ、それは、送信前にダウンクロックされる。ここにおいて説明されるように、４０ＭＨｚ又は８０ＭＨｚの波形は、４ＭＨｚ乃至１０ＭＨｚの帯域幅を有する８０２．１１ａｆ信号にダウンクロックすることができる。しかしながら、プリアンブル継続時間を短縮するために及び／又はプリアンブルオーバーヘッドを低減させるためにプリアンブルシンボル数を（例えば、１０シンボルから７シンボル）に減らすことができる。例えば、ＳＴＦシンボル数を２シンボルから１シンボルに減らすことができ、Ｌ−ＳＩＧフィールド４１４及びＶＨＴ−ＳＩＧ−Ａフィールド４１６を成す３つのシンボルは、１つのＳＩＧフィールド７１４、１４１４、１９１４、２３１４シンボルに減らすことができる。
【０１１６】
図２８は、テレビホワイトスペースチャネルを通じて送信するように好適化することができる典型的な送信機回路／デバイス２８０２を例示したブロック図である。波形生成器２８０８は、クロック信号（ｃｌｋ）２８１０を使用し、データストリーム２８０６を変調して幾つかの副搬送波（トーン／周波数）にし、第１の帯域幅を有する波形を生成する。送信機回路／デバイス２８０２は、異なる帯域幅、波形タイプ、及び／又は利用可能なチャネルに関してそれの送信を動的に調整するように好適化することができる。例えば、波形生成器２８０８は、ＩＥＥＥ８０２．１１ｎ及び／又は８０２．１１ａｃ仕様に基づいて波形を生成するように好適化することができる。しかしながら、送信機回路／デバイス２８０２は、未使用のテレビチャネル（例えば、ホワイトスペース）を通じて送信するように好適化することもできる。従って、それは、未使用のテレビチャネル内で利用可能な帯域幅（例えば、４、５、６、及び／又は８ＭＨｚ帯域幅）内に納まるように波形を構成するように好適化することができる。従って、ダウンクロック回路／モジュール２８１２は、波形の帯域幅を調整するために働くことができる。例えば、該ダウンクロック回路２８１２は、クロック２８１４を入手してそれの周波数をある率に従って低減させることができる。このダウンクロックされたクロックが送信機チェーン（例えば、波形生成器２８０８）に提供される。スイッチ２８１５は、送信機回路２８０２が原クロック２８１４から又はダウンクロック回路２８１２からｃｌｋ信号２８１０を動的に選択するのを可能にすることができる。ダウンクロックは、波形の帯域幅を第１の帯域幅（例えば、原クロック２８１４が使用されていた場合は、２０、４０、又は８０ＭＨｚ）から第２の帯域幅（ダウンクロック回路２８１２を用いる場合は４乃至１０ＭＨｚ）に変更する。次に、波形プリアンブル構成回路２８１６が、プリアンブル（例えば、７０２、１００２、１４０２、１９０２、２３０２）を生成してダウンクロックされた波形にそれを添付する。次に、無線送信機２８１８（例えば、プライマリ搬送波変調器）が、ダウンクロックされた波形を、アンテナ２８２０での送信のために変調してプライマリ搬送波周波数２８２１に乗せる。
【０１１７】
一例では、プライマリ搬送波周波数２８２１は、未使用のテレビチャネル（例えば、ホワイトスペース）に対応することができる。この例では、送信機回路２８０２は、ホワイトスペースチャネル走査回路２８２２及び／又は未使用チャネル識別回路２８２４を含むことができる。ホワイトスペースチャネル走査回路２８２２は、周波数スペクトル（例えば、テレビ放送周波数スペクトル）を走査して（例えば、チャネル内のエネルギーの有無をモニタリングすることによって）使用されていないチャネルを識別することができる。代替として、未使用チャネル識別回路２８２４は、特定の地域においてどのテレビチャネルが未使用状態であるかを確認するために外部のデータベースに問い合わせることができる。
【０１１８】
テレビ放送周波数スペクトルは、等しい帯域幅を有する複数のチャネルに予め分割され、それらの複数のチャネルからのデータ送信のために未使用のチャネルが選択されて再使用される。一例では、チャネル識別子（例えば、２８２２、２８２４）は、テレビ放送周波数スペクトル内の未使用チャネルを識別するように好適化することができる。波形生成器２８０８は、波形の帯域幅を第１の帯域幅（例えば、２０、４０、又は８０ＭＨｚ）から第２の帯域幅（例えば、４乃至１０ＭＨｚ）に低減させる率をクロックに適用することによってダウンクロックされた波形を生成するように好適化することができ、ダウンクロックされた波形の第２の帯域幅は、識別された未使用チャネルのためのチャネル帯域幅よりも小さい。一態様により、無線送信機２８１８及び／又は波形プリアンブル構成回路２８１６は、プリアンブル及びペイロードを有する物理層コンバージェンスプロトコルパケットデータユニット（ＰＰＤＵ）を生成するように好適化することができ、ＰＰＤＵのシンボルは、１２８の総（直交周波数分割多重化）ＯＦＤＭトーン又は２５６のＯＦＤＭトーンを各々含み、プリアンブルは、ＰＰＤＵのシンボルが１２８の総トーンを含む場合は１０８のＯＦＤＭデータトーンを有し又はＰＰＤＵのシンボルが２５６の総ＯＦＤＭトーンを含む場合は２３４のＯＦＤＭデータトーンを有する信号（ＳＩＧ）フィールドシンボルを含む。ＳＩＧフィールドシンボルは、ペイロード内のデータ量又はＰＰＤＵがテレビ放送周波数スペクトルを占有する時間の長さのうちの少なくとも１つを示すことができ、無線送信機２８１８は、テレビ放送周波数スペクトル（例えば、ＴＶＷＳ）でＰＰＤＵを送信するようにさらに好適化することができる。
【０１１９】
一態様により、無線送信機２８１８及び／又はプリアンブル構成回路２８１６は、第２の帯域幅（例えば、４乃至１０ＭＨｚ）を有するＰＰＤＵを生成するために第１の帯域幅（例えば、２０、４０、又は８０ＭＨｚ）を有する第１の信号（例えば、８０２．１１ａｃ信号）をある率だけダウンクロックすることによってＰＰＤＵを生成するようにさらに好適化することができ、第１の信号は、２つ以上のシンボルを有する第１のショートトレーニングフィールド（ＳＴＦ）を含む第１の信号プリアンブルを有し、第１のＳＴＦは、第１のＳＴＦ継続時間を有し、プリアンブルは、第２のＳＴＦ継続時間を有する第２のＳＴＦをさらに含み、第２のＳＴＦ継続時間は、その率が乗じられた第１のＳＴＦ継続時間よりも小さい。一態様により、第２のＳＴＦ継続時間は、その率が乗じられた第１のＳＴＦ継続時間の１／２に等しい。他の態様により、第２のＳＴＦは、１つのみのシンボルを含む。他の態様により、ＰＰＤＵのシンボルが１２８の総ＯＦＤＭトーンを各々含む場合は、第１の帯域幅は４０ＭＨｚであり、第２の帯域幅は、４ＭＨｚ以上で、８ＭＨｚ以下であり、第１のＳＴＦ継続時間は、８μｓｅｃに等しく、第２のＳＴＦ継続時間は、２０μｓｅｃ以上で、４０μｓｅｃ以下である。ＰＰＤＵのシンボルが２５６の総ＯＦＤＭトーンを各々含む場合は、第１の帯域幅は８０ＭＨｚであり、第２の帯域幅は、４ＭＨｚ以上で、８ＭＨｚ以下であり、第１のＳＴＦ継続時間は、８μｓｅｃであり、第２のＳＴＦ継続時間は、４０μｓｅｃ以上で、８０μｓｅｃ以下である。一態様により、プリアンブルは、ＰＰＤＵのシンボルが１２８の総ＯＦＤＭトーンを各々含む場合は８個目又は１６個目ごとのトーンがポピュレートされ、ＰＰＤＵのシンボルが２５６の総ＯＦＤＭトーンを各々含む場合は１６個目ごとのトーンがポピュレートされるショートトレーニングフィールド（ＳＴＦ）シンボルをさらに含む。
【０１２０】
他の態様により、プリアンブルは、ＰＰＤＵのシンボルが１２８の総ＯＦＤＭトーンを各々含む場合は２マイクロ秒（μｓｅｃ）以上で４μｓｅｃ以下の繰り返し間隔を有し、ＰＰＤＵのシンボルが２５６の総ＯＦＤＭトーンを各々含む場合は４マイクロ秒（μｓｅｃ）以上で８μｓｅｃ以下の繰り返し間隔を有するショートトレーニングフィールド（ＳＴＦ）シンボルをさらに含む。一態様により、無線送信機２８１８及び／又はプリアンブル構成回路２８１６は、第２の帯域幅を有するＰＰＤＵを生成するために第１の帯域幅を有する第１の信号をある率だけダウンクロックすることによってＰＰＤＵを生成し、第１の信号は、少なくとも１つのシンボルを有する第１のＳＩＧフィールドを含む第１の信号プリアンブルを有し、第１のＳＩＧフィールドのシンボルは、第１の信号の２０ＭＨｚサブバンド当たり４８のＯＦＤＭデータトーンに制限される。他の態様により、送信機２８１８及び／又はプリアンブル構成回路２８１６は、第２の帯域幅を有するＰＰＤＵを生成するために第１の帯域幅を有する第１の信号をある率だけダウンクロックすることによってＰＰＤＵを生成し、第１信号は、少なくとも１０のシンボルを含む第１の信号プリアンブルを有し、ＰＰＤＵのプリアンブルは、７つのシンボルを有する。
【０１２１】
他の態様により、送信機２８１８及び／又はプリアンブル構成回路２８１６は、第２の帯域幅を有するＰＰＤＵを生成するために第１の帯域幅を有する第１の信号をある率だけダウンクロックすることによってＰＰＤＵを生成し、第１の信号は、第１の信号プリアンブル継続時間を有する第１の信号プリアンブルを有し、ＰＰＤＵのプリアンブルの継続時間は、その率が乗じられた第１の信号プリアンブル継続時間の８２％未満である。一態様により、ＳＩＧフィールドシンボルは、ＰＰＤＵのシンボルが１２８の総ＯＦＤＭトーンを各々含む場合は５４ビットのデータ又はＰＰＤＵのシンボルが２５６の総ＯＦＤＭトーンを各々含む場合は１１７ビットのデータを含む。他の態様により、ＳＩＧフィールドシンボルは、ペイロードの帯域幅、ペイロードの変調及びコーディングレート方式、及びペイロードの空間ストリーム数をさらに示す。他の態様により、ＳＩＧフィールドシンボルは、プリアンブル又はペイロードの１つ以上のシンボルがビーム形成されるかどうかをさらに示す。
【０１２２】
さらに他の態様により、ＳＩＧフィールドシンボルは、プリアンブル又はペイロードの１つ以上のシンボルがビーム形成されるかどうかを示すために直交２位相偏移変調（ＱＢＰＳＫ）を用いて変調される。さらに他の態様により、ＳＩＧフィールドシンボルは、ペイロードが単一ユーザモード又は多ユーザモードのいずれで送信されるべきであるかをさらに示し、ペイロードが多ユーザモードで送信されるべきである場合は、ＳＩＧフィールドシンボルは、ペイロードの少なくとも１つの意図される受信機を識別するグループ識別子（ＩＤ）をさらに示し、プリアンブルは、ペイロードの変調及びコーディングレート方式を示す信号Ｂ（ＳＩＧ−Ｂ）フィールドシンボルをさらに含む。一態様により、プリアンブル構成回路２８１６によって生成されたプリアンブルは、ペイロードの少なくとも１つの意図される受信機を識別するグループ識別子（ＩＤ）、複数のユーザのうちの各ユーザに関するペイロードのための空間ストリーム数、及び／又は複数のユーザのうちの各ユーザに関するペイロードのための変調及びコーディングレート方式のうちの少なくとも１つを示すビーム形成信号（ＢＦ−ＳＩＧ）をさらに含む。一態様により、ＰＰＤＵの帯域幅は、ＰＰＤＵのシンボルが１２８の総ＯＦＤＭトーンを各々含む場合は５ＭＨｚ以上、６ＭＨｚ以下であり、ＰＰＤＵの帯域幅は、ＰＰＤＵのシンボルが２５６の総ＯＦＤＭトーンを各々含む場合は８ＭＨｚである。
【０１２３】
他の態様により、テレビ放送周波数スペクトルは１ＧＨｚ未満である。一態様により、無線送信機２８１８及び／又はプリアンブル構成回路１８１６は、１２８の総ＯＦＤＭトーンを含むＰＰＤＵのシンボルを生成するために５以上、１０以下の率だけ４０ＭＨｚ帯域幅信号をダウンクロックし、２５６の総ＯＦＤＭトーンを含むＰＰＤＵのシンボルを生成するために１０以上、２０以下の率だけ８０ＭＨｚ帯域幅信号をダウンクロックする。一態様により、第１の信号（例えば、４０ＭＨｚ及び８０ＭＨｚ帯域幅信号）は、米国電気電子学会（ＩＥＥＥ）の８０２．１１ａｃ規格に準拠して定義される。他の態様により、プリアンブルの各シンボルは、ＰＰＤＵのシンボルが１２８の総ＯＦＤＭトーンを各々含む場合は４μｓｅｃ以上、８μｓｅｃ以下、ＰＰＤＵのシンボルが２５６の総ＯＦＤＭトーンを各々含む場合は８μｓｅｃ以上、１６μｓｅｃ以下のサイクリックプリフィックス継続時間を有する。
【０１２４】
他の態様により、ＰＰＤＵの各プリアンブルシンボルの、サイクリックプリフィックスを含むシンボル継続時間は、ＰＰＤＵのシンボルが１２８の総ＯＦＤＭトーンを各々含む場合は２０μｓｅｃ以上、４０μｓｅｃ以下であり、ＰＰＤＵのシンボルが２５６の総ＯＦＤＭトーンを各々含む場合は４０μｓｅｃ以上、８０μｓｅｃ以下である。一態様により、無線送信機２８１８及び／又はプリアンブル構成回路２８１６は、第２の帯域幅を有するＰＰＤＵを生成するために第１の搬送波を有する第１の信号をある率だけダウンクロックすることによってＰＰＤＵを生成し、第１の信号は、２つのレガシーショートトレーニングフィールド（ＳＴＦ）シンボルと、２つのレガシーロングトレーニングフィールド（ＬＴＦ）フィールドシンボルと、１つの第１の信号フィールドシンボルと、２つの超高スループット（ＶＨＴ）信号Ａフィールドシンボルと、１つのＶＨＴ  ＳＴＦフィールドシンボルと、少なくとも１つのＶＨＴ  ＬＴＥフィールドシンボルと、１つの第１の信号Ｂフィールドシンボルとを含む第１の信号プリアンブルを有し、プリアンブルは、１つのショートトレーニングフィールド（ＳＴＦ）シンボルと、２つのロングトレーニングフィールド（ＬＴＥ）シンボルと、多ユーザ  多入力多出力（ＭＵ−ＭＩＭＯ）モード又は単一ユーザビーム形成（ＳＵ−ＢＦ）モードに関するビーム形成信号（ＢＦ−ＳＩＧ）フィールドシンボルと、プリコーディングされたショートトレーニング（ＰＣ−ＳＴＦ）フィールドシンボルと、少なくとも１つのプリコーディングされたロングトレーニング（ＰＣ−ＬＴＦ）フィールドと、をさらに含む。
【０１２５】
図２９は、テレビの未使用チャネルでの使用のために波形をダウンクロックしてＰＰＤＵプリアンブルを生成するためのシステム及び方法を実装することができる送信機回路２９０２の１つの構成を例示したブロック図である。送信機回路２９０２は、図２７の送信機回路２７１２の例であることができる。送信機回路２９０２は、１つ以上の受信通信デバイスに送信されるべきペイロードデータ２９０６及び／又はプリアンブルデータ２９０８を受信するための入力部を有する符号器２９０４を含むことができる。ペイロードデータ２９０６は、音声、映像、オーディオ及び／又はその他のデータを含むことができる。プリアンブルデータ２９０８は、制御情報、例えば、データレート、変調及びコーディングレート方式（ＭＣＳ）、チャネル帯域幅、等を指定する情報、を含むことができる。符号器２９０４は、前方誤り訂正（ＦＥＣ）、暗号化、パケット化及び／又は無線送信とともに使用するための知られるその他の符号化のためのデータを符号化することができる。
【０１２６】
コンスタレーションマッパー（ｃｏｎｓｔｅｌｌａｔｉｏｎ  ｍａｐｐｅｒ）２９１０は、は、符号器２９４０によって提供されデータを信号点配置図内にマッピングする。例えば、コンスタレーションマッパー２９１０は、２位相偏移変調（ＢＰＳＫ）、直交振幅変調（ＱＡＭ）、等の変調方式を使用することができる。例えば、直交振幅変調（ＱＡＭ）が使用される場合は、コンスタレーションマッパー２９１０は、空間ストリーム当たり、データ副搬送波当たり、シンボル期間当たり２ビットを提供することができる。さらに、コンスタレーションマッパー２９１０は、各シンボル期間に関する各データ副搬送波に関する空間ストリームに関する１６−ＱＡＭ信号点配置図信号を出力することができる。その他の変調を使用することができ、例えば、６４−ＱＡＭであり、その結果、シンボル期間当たり、データ副搬送波当たり、空間ストリーム当たり６ビットが消費されることになる。その他の変形も可能である。
【０１２７】
コンスタレーションマッパー２９１０の出力は、送信機の空間−時間−周波数（ＳＴＦ）次元上にデータをマッピングする空間−時間−周波数マッパー２９１２に提供される。それらの次元は、割り当てられるべきデータを考慮した様々な構造又はリソースを表す。次元間の特定の場所に所定のビット又はビットの組（例えば、ビットの集合、信号点配置図信号点に対応するビットの組、等）をマッピングすることができる。概して、次元間の異なる場所にマッピングされるビット及び／又は信号は、送信機回路２９０２から送信され、このため、それらは、ある程度の確率で、１つ以上の受信通信デバイスにおいて区別可能であることが予想される。一構成では、空間−時間−周波数マッパー２９１２は、空間−時間ブロックコーディング（ＳＴＢＣ）を行うことができる。
【０１２８】
送信機回路２９０２から１つ以上の空間ストリームを送信することができ、このため、異なる空間ストリームでの送信は、受信機において（ある程度の確率で）区別可能であることができる。例えば、１つの空間次元にマッピングされたビットは、１つの空間ストリームとして送信される。その空間ストリームは、その他のアンテナと空間的に別個のそれ自体のアンテナで、複数の空間分離されたアンテナでのそれ自体の直交重畳法で、それ自体の分極化、等で送信することができる。多くの空間ストリーム分離技法（空間でアンテナを分離する又は例えば受信機において信号を区別するのを可能にするその他の技法）が知られており、使用することができる。
【０１２９】
送信機回路２９０２が複数の周波数副搬送波を使用する場合は、周波数次元に関して数多くの値が存在し、従って、空間−時間−周波数マッパー２９１２は、幾つかのビットを１つの周波数副搬送波に及びその他のビットを他の周波数副搬送波にマッピングすることができる。その他の周波数副搬送波は、データを搬送しない（又は常には搬送しない）ガード帯域、パイロットトーン副搬送波、等として予約することができる。例えば、１つ以上のデータ副搬送波及び１つ以上のパイロット副搬送波が存在することができる。幾つかの例又は構成では、すべての副搬送波が一度に励起されるわけではないことが注目されるべきである。例えば、幾つかのトーンは、フィルタリングをイネーブルにするために励起することはできない。一構成では、送信機回路２９０２は、複数の副搬送波の送信のために直交周波数分割多重化（ＯＦＤＭ）を利用することができる。例えば、空間−時間−周波数マッパー２９１２は、使用される多重化方式により空間、時間及び／又は周波数リソースにデータ２９０６をマッピング（符号化）することができる。
【０１３０】
時間次元は、シンボル期間を意味する。異なるシンボル期間に異なるビットを割り当てることができる。複数の空間ストリーム、複数の副搬送波及び／又は複数のシンボル期間が存在する場合は、１つのシンボル期間に関する送信は、ＯＦＤＭ（直交周波数分割多重化）ＭＩＭＯ（多入力多出力）シンボルと呼ぶことができる。符号化されたデータのための送信レートは、単純なシンボル当たりのビット数（例えば、使用される信号点配置図数のｌｏｇ２）に空間ストリーム数を乗じ、データ副搬送波数を乗じ、シンボル期間の長さで割ることによって決定することができる。従って、空間−時間−周波数マッパー２９１２は、１つ以上の空間ストリーム、データ副搬送波及び又はシンボル期間にビット（又は入力データのその他の単位）をマッピングすることができる。別々の空間ストリームを生成し及び／又は別々の経路を用いて送信することができる。幾つかの実装では、これらの経路は、別個のハードウェアを用いて実装することができ、他方、その他の実装では、経路ハードウェアは、２つ以上の空間ストリームのために再使用され、又は、経路論理は、１つ以上の空間ストリームのために実行するソフトウェア内に実装される。より具体的には、送信機回路２９０２で例示される要素の各々は、単一のブロック／モジュールとして又は複数のブロック／モジュールとして実装することができる。空間−時間−周波数マッパー２９１２の出力は、周波数及び／又は空間次元にわたって拡散することができる。
【０１３１】
送信機回路２９０２は、クロック２９１７及び／又はクロック２９１７のダウンクロックされたバージョンの間で動的に選択するように好適化することができる。特に、ダウンクロック回路／モジュール２９１４は、クロック２９１７にある率を適用し、それによってクロック２９１７の周波数を低減させることができる。選択されたクロック信号（Ｃｌｋ）は、送信機チェーン（例えば、符号器回路２９０４、コンスタレーションマッパー２９１０、空間−時間−周波数マッパー２９１２、逆離散フーリエ変換２９１８、及び／又はフォーマッタ２９２０）のうちの１つ以上のコンポーネントに提供される。ダウンクロックによるクロック周波数の低減は、その結果、波形帯域幅が第１の帯域幅（クロック２９１７の周波数が使用されていた場合）から第２の帯域幅（ダウンクロック回路２９１４の周波数を使用）に低減される。
【０１３２】
送信機回路２０９２は、帯域幅決定ブロック／モジュール２９１６も含むことができる。帯域幅決定ブロック／モジュール２９１６は、１つ以上の受信通信デバイスへの送信のために使用されるべきチャネル帯域幅を決定することができる。この決定は、１つ以上の要因、例えば、受信通信デバイスの互換性、チャネル品質、テレビ周波数スペクトルでの未使用チャネル、等に基づくことができる。一構成では、帯域幅決定ブロック／モジュール２９１６は、信号送信のための帯域幅が４ＭＨｚ、５ＭＨｚ、６ＭＨｚ、８ＭＨｚ、１０ＭＨｚ、等（すなわち、４乃至１０ＭＨｚ）のいずれであるかを決定することができる。帯域幅決定回路／モジュール２９１６は、空間−時間−周波数マッパー２９１２、ダウンクロック回路／モジュール２９１４及び／又はプリアンブル生成器回路／モジュール２９０８に帯域幅表示を提供することができる。さらなる追加で又は代替で、帯域幅表示は、プリアンブル内の１つ以上のビットが帯域幅表示を表すように割り当てることができるプリアンブルデータの一部として提供することができる。
【０１３３】
空間−時間−周波数マッッパー２９１２は、プリアンブルデータを幾つかのトーン（例えば、副搬送波）にマッピングするために帯域幅マッピング表示を使用することができる。例えば、ここにおいて開示されるシステム及び方法は、（例えば、帯域幅表示によって指定されるように）チャネル帯域幅に基づいてのプリアンブルデータの送信のために送信機回路２９０２によって使用することができるＯＦＤＭトーン又は副搬送波の数を定義することができる。ＯＦＤＭトーン数は、特定のプリアンブルフィールドにより指定することもできる。例えば、空間−時間−周波数マッパー２９１２は、帯域幅の決定及びプリアンブルフィールドに基づいてＯＦＤＭトーン数にプリアンブルデータをマッピングすることができる。
【０１３４】
空間−時間−周波数マッパー回路／モジュール２９１２からの波形は、逆離散フーリエ変換（ＩＤＦＴ）回路／モジュール２９１８に提供することができる。逆離散フーリエ変換（ＩＤＦＴ）回路／モジュール２１９８は、周波数領域波形を、シンボル期間に関する１つ以上の空間ストリーム及び／又は時間領域サンプルを通じてのダウンクロックされた波形を表す時間領域信号に変換することができる。一構成では、例えば、ＩＤＦＴ回路／モジュール１２０は、１２８点及び／又は２５６点逆フーリエ変換（ＩＦＦＴ）を実施することができる。
【０１３５】
次に、時間領域ダウンクロックされた波形をフォーマッタ（ｆｏｒｍａｔｔｅｒ）２９２０に提供することができる。フォーマッタ２９２０は、逆離散フーリエ変換（ＤＦＴ）回路／モジュール２９１８の出力を取り、それを並列信号から直列（Ｐ／Ｓ）に変換し、サイクリックプリフィックスを加え及び／又はガード間隔ウィンドウイング（ｗｉｎｄｏｗｉｎｇ）、等）を行うことができる。フォーマッタ２９２０の出力は、デジタル−アナログ変換器（ＤＡＣ）２９２２に提供することができる。デジタル−アナログ変換器（ＤＡＣ）２９２２は、フォーマッタ２９２０出力を１つ以上のデジタル信号から１つ以上のアナログ信号に変換することができる。デジタル−アナログ変換器（ＤＡＣ）２９２２は、１つ以上の送信機無線（ＴＸ）ＲＦ）回路／モジュール２９２４にアナログ信号を提供することができる。
【０１３６】
送信機無線周波数回路／モジュール２９２６は、電力増幅器に結合すること又は電力増幅器を含むことができる。電力増幅器は、アナログ信号を送信のために増幅することができる。送信機無線周波数回路／モジュール２９２６は、１つ以上のアンテナ２９２６に無線周波数（ＲＦ）信号を出力し、それによって、１つ以上の受信通信デバイスによる受信のために適切に構成される無線媒体を通じて符号器２９０４に入力されたデータ２９０６を送信する。送信機回路２９０２からは１つ以上の受信通信デバイスが信号を受信して使用することができる。例えば、受信通信デバイスは、受信された帯域幅インジケータを使用して所定の数のＯＦＤＭトーン又は副搬送波を受信することができる。送信機回路２７１２／２９０２及び／又は送信機デバイス２８０２は、図２乃至２５で例示される１つ以上の特徴を実施するように好適化することができる。
【０１３７】
図３０は、テレビホワイトスペースチャネルを通じての無線通信を受信するように好適化することができる典型的な受信機回路／デバイス３００２を例示したブロック図である。無線受信機３００４（例えば、プライマリ周波数変調器）は、１つ以上のアンテナ３００６を介して波形を受信し、プライマリ搬送波周波数から受信された波形を復調する。次に、波形プリアンブル識別子回路３００８は、受信された波形のプリアンブルを使用してそれを識別する。波形復号回路３０１８は、受信された波形を復号してデータペイロード３０２０を入手する。
【０１３８】
一例では、受信機回路／デバイス３００２は、受信機チェーン（例えば、波形プリアンブル識別子３００８及び／又は波形復号回路３０１８））によって使用されるそれのクロック信号（Ｃｌｋ）を動的に調整することができる。例えば、受信機チェーンは、クロック３０１７又はクロック３０１７のダウンクロックされたバージョン（低い方の周波数）を利用することができる。ダウンクロック回路／モジュール３０１２は、クロック３０１７の周波数を低減させ及び受信機チェーンに（スイッチ３０１５を介して）より低い周波数のクロックを提供することができる。
【０１３９】
一例では、無線受信機３００４、波形プリアンブル識別子回路３００８、及び／又は波形復号回路３０１８は、プリアンブル及びペイロードを有するＰＰＤＵをテレビ放送周波数スペクトルで受信するように好適化することができ、ＰＰＤＵのシンボルは１２８の総（直交周波数分割多重化）ＯＦＤＭトーン又は２５６の総ＯＦＤＭトーンを各々含み、プリアンブルは、ＰＰＤＵのシンボルが１２８の総ＯＦＤＭトーンを含む場合は１０８のＯＦＤＭデータトーンを有し、ＰＰＤＵのシンボルが２５６の総ＯＦＤＭトーンを含む場合は２３４のＯＦＤＭデータトーンを有する信号（ＳＩＧ）フィールドシンボルを含み、ＳＩＧフィールドシンボルは、ペイロード内のデータ量又はＰＰＤＵがテレビ放送周波数スペクトルを占有する時間の長さのうちの少なくとも１つを示す。一態様により、プリアンブルは、ＰＰＤＵのシンボルが１２８の総ＯＦＤＭトーンを各々含む場合は８つ目ごとのトーンがポピュレートされ、ＰＰＤＵのシンボルが２５６の総ＯＦＤＭトーンを各々含む場合は１６ごとのトーンがポピュレートされるショートトレーニングフィールド（ＳＴＦ）シンボルをさらに含む。他の態様により、プリアンブルは、ＰＰＤＵのシンボルが１２８の総ＯＦＤＭトーンを各々含む場合は２マイクロ秒（μｓ）以上で、４μｓ以下の繰り返し期間を有し、ＰＰＤＵのシンボルが２５６の総ＯＦＤＭトーンを各々含む場合は４μｓ以上で、８μｓ以下の繰り返し期間を有するショートトレーニングフィールド（ＳＴＦ）をさらに含むことができる。他の態様により、ＳＩＧフィールドシンボルは、ＰＰＤＵのシンボルが１２８の総ＯＦＤＭトーンを各々の含む場合は５４ビットのデータ、ＰＰＤＵのシンボルが２５６の総ＯＦＤＭトーンを各々の含む場合は１１７ビットのデータを含む。他の態様により、ＳＩＧフィールドシンボルは、ペイロードの帯域幅、ペイロードの変調及びコーディング方式、及びペイロードの空間ストリーム数をさらに示す。
【０１４０】
波形復号回路３０１８は、受信された波形からデータペイロードを得るために第２の帯域幅（例えば、４乃至１０ＭＨｚ）により受信された波形を処理することを受信機３００２デバイスに行わせるダウンクロック率を受信機デバイス３００２のクロックに適用することによって受信された波形を処理するように好適化することができる。
【０１４１】
図３１は、未使用のテレビチャネル内のデータ波形を受信するためのシステム及び方法を実装することができる典型的な受信機回路３１０２を例示したブロック図である。例えば、受信機回路３１０２は、１つ以上の受信機無線周波数回路／モジュール３１０６にフィード（ｆｅｅｄ）する１つ以上のアンテナ３１０４を含むことができる。１つ以上の受信機無線周波数回路／モジュール３１０６は、アナログ信号を１つ以上のアナログ−デジタル変換器（ＡＤＣ）３１０８に出力することができる。例えば、受信機無線周波数回路／モジュール３１０６は、信号を受信及びダウンコンバージョンし、それをアナログ−デジタル変換器３１０８に提供することができる。送信機回路２９０２（図２９参照）と同様に、処理される空間ストリーム数は、アンテナ３１０４の数に等しくても等しくなくてもよい。さらに、複数の受信機ストリームに到着するために様々なビームステアリング、直交化、等の技法を使用できるため、各空間ストリームは、１つのアンテナ３１０４に制限する必要はない。
【０１４２】
１つ以上のアナログ−デジタル変換器（ＡＤＣ）３１０８は、受信されたアナログ信号を１つ以上のデジタル信号に変換することができる。１つ以上のアナログ−デジタル変換器（ＡＤＣ）３１０８のこれらの出力は、１つ以上の時間及び／又は周波数同期回路／モジュール３１１０に提供することができる。時間及び／又は周波数同期回路／モジュール３１１０は、デジタル信号を時間及び／又は周波数の点で（例えば、受信機回路クロックに）同期又は整合させることができる（試みることができる）。
【０１４３】
時間及び／又は周波数同期回路／モジュール３１１０の（同期された）出力は、デフーマッタ（ｄｅｆｏｒｍａｔｔｅｒ）回路／モジュール３１１２に提供することができる。例えば、デフーマッタ回路／モジュール３１１２は、時間及び／又は周波数同期回路／モジュール３１１０の出力を受信し、プリフィックスを取り除き、等を行い、及び／又は離散フーリエ変換（ＤＦＴ）処理のためにデータを並列化することができる。
【０１４４】
デフーマッタ回路／モジュール３１１２出力は、離散フーリエ変換（ＤＦＴ）回路／モジュール３１１４に提供することができる。離散フーリエ変換（ＤＦＴ）回路／モジュール３１１６は、１つ以上の信号を時間領域から周波数領域に変換することができる。離散フーリエ変換（ＤＦＴ）回路／モジュール３１１４からの出力は、空間−時間−周波数検出及び／又は復号回路／モジュール３１１８によって処理することができる。空間−時間−周波数検出及び／又は復号回路／モジュール３１１８は、受信されたデータ３１２４を出力することができる（例えば、受信機回路による、送信機回路２９０２によって送信されたペイロードデータ２９０４の推定）。
【０１４５】
幾つかの構成では、受信機回路３１０２は、総情報シーケンスの一部として送信された送信シーケンスを知っている。受信機回路３１０２は、これらの既知の送信シーケンスの助けを借りてチャネル推定を行うことができる。パイロットトーン追跡、処理及び／又はデータ検出及び復号を援助するために、チャネル推定回路／モジュール３１２０は、時間及び／又は周波数同期回路／モジュール３１１０からの出力に基づいて空間−時間−周波数検出及び／又は復号回路／モジュール３１１８に推定信号を提供することができる。代替として、デフォーマット化および離散フーリエ変換が、既知の送信シーケンスに関する場合と総情報シーケンスのペイロードデータ部に関する場合で同じである場合は、離散フーリエ変換（ＤＦＴ）回路／モジュール３１１４からの出力に基づいて推定信号を空間−時間−周波数検出及び／又は復号回路／モジュール３１１８に提供することができる。
【０１４６】
帯域幅決定回路／モジュール３１２２は、（受信された通信のための）チャネル帯域幅を決定するために時間／周波数同期回路／モジュール３１１０出力を使用することができる。例えば、帯域幅決定回路／モジュール３１２２は、チャネル帯域幅を示す帯域幅表示を送信機回路２９０２（図２９参照）から受信することができる。例えば、帯域幅決定回路／モジュール３１２２は、明示又は暗黙の帯域幅表示を入手することができる。一構成では、帯域幅表示は、４ＭＨｚ、５ＭＨｚ、６ＭＨｚ、８ＭＨｚ、１０ＭＨｚ、等（すなわち、４乃至１０ＭＨｚ）のチャネル帯域幅を示すことができる。帯域幅決定回路／モジュール３１２２は、この表示に基づいて受信された通信のための帯域幅を決定し、決定された帯域幅の表示を空間−時間−周波数検出／復号回路／モジュール３１１８に提供することができる。空間−時間−周波数検出／復号回路／モジュール３１１８は、受信された信号からプリアンブルデータ及び又はペイロードデータを検出及び／又は復号するために決定された帯域幅表示を使用することができる。
【０１４７】
受信機回路３１０２は、クロック３１１７及び／又はクロック３１１７のダウンクロックされたバージョンの間で動的に選択するように好適化することができる。特に、ダウンクロック回路／モジュール３１１６は、クロック３１１７にある率を適用し、それによってクロック３１１７の周波数を低減させることができる。選択されたクロック信号（Ｃｌｋ）は、受信機チェーン（例えば、時間−周波数同期回路／モジュール３１１０、デフォーマッタ３１１２、離散フーリエ変換３１１４、及び／又は空間−時間−周波数検出／復号回路３１１８）のうちの１つ以上のコンポーネントに提供される。ダウンクロックによるクロック周波数の低減は、その結果、波形帯域幅が第１の帯域幅（クロック３１１７の周波数が使用されていた場合）から第２の帯域幅（ダウンクロック回路３１１６の周波数を使用）に低減される。これは、受信機回路３１０２が、クロック３１１７が提供することができるよりも小さい帯域幅を有することができる未使用テレビチャネルを通じての送信をモニタリング及び／又は受信するのを可能にする。さらに、帯域幅の低減を補償するために、受信機チェーンは、受信された波形を使用するときにはより多くの副搬送波を使用するように好適化することができる。受信機回路２７１６／３１０２及び／又は受信機デバイス３００２は、図２乃至２４及び２６に例示された１つ以上の特徴を実施するように好適化することができる。
【０１４８】
図１、２、３、４、５、６、７、８、９、１０、１１、１２、１３、１４、１５、１６、１７、１８、１９、２０、２１、２２、２３、２４、２５、２６、２７、２８、２９、３０、及び／又は３１に例示されるコンポーネント、ステップ、特徴、及び／又は機能のうちの１つ以上は、再編すること及び／又は結合させて単一のコンポーネント、ステップ、特徴又は機能にすること又は幾つかのコンポーネント、ステップ、又は機能で具現化することができる。追加の要素、コンポーネント、ステップ、及び／又は機能も本発明を逸脱せずに加えることができる。図１、２７、２８、２９、３０、及び／又は３１に例示される装置、デバイス、及び／又はコンポーネントは、図２、３、４、５、６、７、８、９、１０、１１、１２、１３、１４、１５、１６、１７、１８、１９、２０、２１、２２、２３、２４、２５、及び／又は２６において説明される方法、特徴、又はステップのうちの１つ以上を実施するように構成することができる。ここにおいて説明されるアルゴリズムは、ソフトウェアに効率的に実装すること及び／又はハードウェア内に埋め込むことができる。
【０１４９】
さらに、本開示の一態様では、図２７で例示される処理回路２７０２は、図２、３、４、５、６、７、８、９、１０、１１、１２、１３、１４、１５、１６、１７、１８、１９、２０、２１、２２、２３、２４、２５、及び／又は２６で説明されるアルゴリズム、方法、及び／又はステップを実施するために特に設計された及び／又はハードワイヤされた専用プロセッサ（例えば、特定用途向け集積回路（例えば、ＡＳＩＣ））であることができる。従って、該専用プロセッサ（例えば、ＡＳＩＣ）は、図２、３、４、５、６、７、８、９、１０、１１、１２、１３、１４、１５、１６、１７、１８、１９、２０、２１、２２、２３、２４、２５、及び／又は２６で説明されるアルゴリズム、方法、及び／又はステップを実行するための手段の一例であることができる。メモリ回路２７０４は、専用プロセッサ（例えば、ＡＳＩＣ）によって実行されたときに図２、３、４、５、６、７、８、９、１０、１１、１２、１３、１４、１５、１６、１７、１８、１９、２０、２１、２２、２３、２４、２５、及び／又は２６で説明されるアルゴリズム、方法、及び／又はステップを実施することをその専用プロセッサに行わせるプロセッサ２７０２によって読み取り可能な命令を格納することもできる。
【０１５０】
さらに、本開示の態様は、フローチャート、流れ図、構造図、又はブロック図として描かれるプロセスとして説明できることが注目される。フローチャートは、動作を一連のプロセスとして描くことができるが、それらの動作の多くは、並行して又は同時並行して実施することができる。さらに、動作の順序は再編することができる。プロセスは、それ動作が完了されたときに終了される。プロセスは、方法、関数、プロシージャ、サブルーチン、サブプログラム、等に対応することができる。プロセスが関数に対応するときには、それの終了は、その関数が呼び出し関数又は主関数に戻ることに対応する。
【０１５１】
さらに、記憶媒体は、データを格納するための１つ以上のデバイスを表すことができ、読み取り専用メモリ（ＲＯＭ）、ランダムアクセスメモリ（ＲＡＭ）、磁気ディスク記憶媒体、光学記憶媒体、フラッシュメモリデバイス及び／又は情報を格納するための機械によって読み取り可能な媒体、プロセッサによって読み取り可能な媒体、及び／又はコンピュータによって読み取り可能な媒体を含む。用語“機械によって読み取り可能な媒体”、“コンピュータによって読み取り可能な媒体”、及び／又は“プロセッサによって読み取り可能な媒体”は、制限することなしに、命令及び／又はデータを格納、含有又は搬送するための非一時的な媒体、例えば、ポータブルな又は固定式の記憶デバイス、光学記憶デバイス、及び様々なその他の媒体を含むことができる。従って、ここにおいて説明される様々な方法は、“機械によって読み取り可能な媒体”、“コンピュータによって読み取り可能な媒体”、及び／又は“プロセッサによって読み取り可能な媒体”内に格納することができ及び１つ以上のプロセッサ、機械及び／又はデバイスによって実行可能な命令及び／又はデータによって完全に又は部分的に実装することができる。
【０１５２】
さらに、本開示の態様は、ハードウェア、ソフトウェア、ファームウェア、ミドルウェア、マイクロコード、又はそれらのあらゆる組み合わせによって実装することができる。ソフトウェア、ファームウェア、ミドルウェア又はマイクロコード内に実装されるときには、必要なタスクを実施するためのプログラムコード又はコードセグメントは、機械によって読み取り可能な媒体、例えば、記憶媒体又はその他の記憶装置、に格納することができる。プロセッサは、必要なタスクを実施することができる。コードセグメントは、プロシージャ、関数、サブプログラム、プログラム、ルーチン、サブルーチン、モジュール、ソフトウェアパッケージ、クラス、又は、命令、データ構造、又はプログラム文のあらゆる組み合わせを表すことができる。コードセグメントは、情報、データ、引数、パラメータ、又はメモリ内容を渡す及び／又は受け取ることによって他のコードセグメント又はハードウェア回路に結合することができる。情報、引数、パラメータ、データ、等は、メモリ共有、メッセージを渡す、トークンを渡す、ネットワーク送信、等を含むあらゆる適切な手段を介して渡すこと、転送すること、又は送信することができる。
【０１５３】
ここにおいて開示される例と関係させて説明される様々な例示的な論理ブロック、モジュール、回路、要素、及び／又はコンポーネントは、ここにおいて説明される機能を果たすように設計された汎用プロセッサ、デジタル信号プロセッサ（ＤＳＰ）、特定用途向け集積回路（ＡＳＩＣ）、フィールドプログラマブルゲートアレイ（ＦＰＧＡ）、その他のプログラマブル論理デバイス、ディスクリートゲートロジック、ディスクリートトランジスタロジック、ディスクリートハードウェアコンポーネント、又はそれらのあらゆる組合せ、を用いて実装又は実行することが可能である。汎用プロセッサはマイクロプロセッサであることができるが、代替においては、そのプロセッサは従来のどのようなプロセッサ、コントローラ、マイクロコントローラ、又はステートマシンであってもよい。プロセッサは、計算コンポーネントの組合せ、例えば、ＤＳＰと、１つのマイクロプロセッサとの組合せ、複数のマイクロプロセッサとの組合せ、ＤＳＰコアと関連する１つ以上のマイクロプロセッサとの組合せ、又はあらゆるその他の該構成、として実装することも可能である。
【０１５４】
ここにおいて開示される例と関係させて説明される方法又はアルゴリズムは、直接ハードウェア内において、プロセッサによって実行されるソフトウェアモジュール内において、又は両方の組み合わせ内において、処理ユニット、プログラミング命令、又はその他の指示の形態で、具現化することが可能であり、単一のデバイスに内蔵すること又は複数のデバイス間で分散させることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能なディスク、ＣＤ−ＲＯＭ、又は当業において既知であるその他のあらゆる形態の記憶媒体において常駐することができる。記憶媒体は、プロセッサに結合することができ、このため、プロセッサは、記憶媒体から情報を読み出すこと及び記憶媒体に情報を書き込むことができる。代替においては、記憶媒体は、プロセッサと一体化させることができる。
【０１５５】
ここにおいて開示される態様と関係させて説明される様々な例示的論理ブロック、モジュール、回路、及びアルゴリズム上のステップは、電子ハードウェア、コンピュータソフトウェア、又は両方の組み合わせとして実装可能であることを当業者はさらに理解するであろう。ハードウェアとソフトウェアのこの互換性を明確に例示するため、上記においては、様々な例示的コンポーネント、ブロック、モジュール、回路、及びステップが、各々の機能の観点で一般的に説明されている。該機能がハードウェアとして又はソフトウェアとして実装されるかは、特定の用途及び全体的システムに対する設計上の制約事項に依存する。
【０１５６】
ここにおいて説明される発明の様々な特徴は、本発明を逸脱せずに異なるシステムにおいて実装することができる。本開示の上記の態様は、単なる例であるにすぎず、本発明を制限するとは解釈されるべきでないことが注目されるべきである。本開示の態様に関する説明は、例示的であることが意図され、請求項の範囲を限定することは意図されない。以上のように、本教示は、その他のタイプの装置に対して容易に適用可能であり、多くの代替、変更、及び変形が当業者にとって明確になるであろう。
【図１】
2014515570.tif 000003
【図２】
2014515570.tif 000004
【図３】
2014515570.tif 000005
【図４】
2014515570.tif 000006
【図５】
2014515570.tif 000007
【図６】
2014515570.tif 000008
【図７】
2014515570.tif 000009
【図８】
2014515570.tif 000010
【図９】
2014515570.tif 000011
【図１０】
2014515570.tif 000012
【図１１】
2014515570.tif 000013
【図１２】
2014515570.tif 000014
【図１３】
2014515570.tif 000015
【図１４】
2014515570.tif 000016
【図１５】
2014515570.tif 000017
【図１６】
2014515570.tif 000018
【図１７】
2014515570.tif 000019
【図１８】
2014515570.tif 000020
【図１９】
2014515570.tif 000021
【図２０】
2014515570.tif 000022
【図２１】
2014515570.tif 000023
【図２２】
2014515570.tif 000024
【図２３】
2014515570.tif 000025
【図２４】
2014515570.tif 000026
【図２５】
2014515570.tif 000027
【図２６】
2014515570.tif 000028
【図２７】
2014515570.tif 000029
【図２８】
2014515570.tif 000030
【図２９】
2014515570.tif 000031
【図３０】
2014515570.tif 000032
【図３１】
2014515570.tif 000033
【国際調査報告】
2014515570.tif 000034
2014515570.tif 000035
2014515570.tif 000036